(57)【要約】【課題】消費税を徴収する機能を備え、有価価値を預り消費税と遊技媒体の貸し出しに対応する遊技用有価価値とに区分し、遊技用有価価値を表示することができる遊技媒体貸出機および遊技媒体貸出方法を提供する。【解決手段】複数のパチンコ機２および複数のパチンコ機２のそれぞれに接続された台間機３、４、複数のスロットマシン機５およびスロットマシン機５間に接続された台間機６が島コンピュータ７を介してネットワーク８に接続されている。また、台間機とともに遊技ホールでは発券機２０、再プレー受付機１２、計数機９、景品管理機（ＰＯＳ）１１、精算機１０などが設置されている。例えば、台間機３、４において、有価価値を預り消費税と遊技媒体の貸し出しに対応する遊技用有価価値とに区分し、遊技用有価価値を表示する。【選択図】図２８
2010075750.tif 000002
【特許請求の範囲】
【請求項１】
有価価値を特定可能な有価価値特定情報が記憶された記憶媒体を受け付けて、その特定された有価価値に基づいて遊技媒体を貸し出すための処理を行う遊技媒体貸出機であって、
記憶媒体を受け付ける記憶媒体受付手段と、
貨幣を受け入れて該貨幣を識別する貨幣識別手段と、
前記貨幣識別手段により識別された貨幣の金額に対応する有価価値を、預り消費税と遊技媒体の貸し出しに対応する遊技用有価価値とに区分する有価価値区分手段と、
前記有価価値区分手段で区分された有価価値のうち、少なくとも、遊技媒体の貸し出しに対応する遊技用有価価値を表示する表示手段と
を具備したことを特徴とする遊技媒体貸出機。
【請求項２】
有価価値を特定可能な有価価値特定情報が記憶された記憶媒体を受け付けて、その特定された有価価値に基づいて遊技媒体を貸し出すための処理を行う遊技媒体貸出機であって、
記憶媒体を受け付ける記憶媒体受付手段と、
受け付けられた前記記憶媒体の有価価値特定情報に基づいて特定された有価価値を、預り消費税と遊技媒体の貸し出しに対応する遊技用有価価値とに区分する有価価値区分手段と、
前記有価価値区分手段で区分された有価価値のうち、少なくとも、遊技媒体の貸し出しに対応する遊技用有価価値を表示する表示手段と
を具備したことを特徴とする遊技媒体貸出機。
【請求項３】
有価価値を特定可能な有価価値特定情報が記憶された記憶媒体を受け付けて、その特定された有価価値に基づいて遊技媒体を貸し出すための処理を行う遊技媒体貸出方法であって、
記憶媒体を記憶媒体受付手段が受け付ける記憶媒体受付ステップと、
貨幣を受け入れて該貨幣を貨幣識別手段が識別する貨幣識別ステップと、
前記貨幣識別ステップにおいて識別された貨幣の金額に対応する有価価値を、預り消費税と遊技媒体の貸し出しに対応する遊技用有価価値とに有価価値区分手段が区分する有価価値区分ステップと、
前記有価価値区分ステップにおいて区分された有価価値のうち、少なくとも、遊技媒体の貸し出しに対応する遊技用有価価値を表示手段が表示する表示ステップと
を具備したことを特徴とする遊技媒体貸出方法。
【請求項４】
有価価値を特定可能な有価価値特定情報が記憶された記憶媒体を受け付けて、その特定された有価価値に基づいて遊技媒体を貸し出すための処理を行う遊技媒体貸出方法であって、
記憶媒体を記憶媒体受付手段が受け付ける記憶媒体受付ステップと、
受け付けられた前記記憶媒体の有価価値特定情報に基づいて特定された有価価値を、預り消費税と遊技媒体の貸し出しに対応する遊技用有価価値とに有価価値区分手段が区分する有価価値区分ステップと、
前記有価価値区分ステップにおいて区分された有価価値のうち、少なくとも、遊技媒体の貸し出しに対応する遊技用有価価値を表示手段が表示する表示ステップと
を具備したことを特徴とする遊技媒体貸出方法。
【発明の詳細な説明】
【技術分野】
【０００１】
本発明は、例えば、パチンコ機、スロットマシーン、ゲーム機などの遊技機を備える遊技ホールで使用され、パチンコ玉やメダルなどの遊技媒体を貸し出す際に消費税を徴収することができる遊技媒体貸出機および遊技媒体貸出方法に関する。
【背景技術】
【０００２】
パチンコホールでは、遊技者は、遊技媒体貸出機から遊技媒体（パチンコ玉）を借りて、遊技機において遊技を行う。この遊技媒体貸出機は、多くの場合、パチンコ機などの遊技機に付設され、遊技媒体の貸し出しを行っている。遊技者は、遊技媒体貸出機から遊技媒体の借り入れを行う際、予め、発券機において発券された、例えば、ＩＣカードなどを遊技媒体貸出機の所定の挿入部に挿入するか、または、現金を直接遊技媒体貸出機の所定の挿入部に挿入して遊技媒体を借り入れる。
【０００３】
これまでの遊技媒体貸出機では、ＩＣカードまたは現金によって遊技媒体を貸し出す際、消費税を遊技者から徴収することは行っていなかった。また、ＩＣカードを発行する発券機では、遊技者から消費税を徴収することなく、投入された貨幣の金額そのものに相当する度数を有するＩＣカードを発行していた。さらに、ＩＣカードの有する度数を換金する精算機では、遊技者から消費税を徴収することなく、ＩＣカードの残度数そのものに相当する貨幣を支払っていた。このため、遊技者から徴収すべき消費税は、パチンコホールが負担しなければならなかった。
【０００４】
そこで、消費税を遊技者から徴収すべき機器の必要性に対応して、例えば、消費税を徴収することができる精算機などの技術が開示されている（例えば、特許文献１参照。）。
【先行技術文献】
【特許文献】
【０００５】
【特許文献１】特開２００２−３４６２００号公報
【発明の概要】
【発明が解決しようとする課題】
【０００６】
従来の消費税を徴収する機能を備えた、例えば、精算機では、消費税を差し引いた金額は、例えば、５０００円から消費税率５％（内税）を差し引く場合、消費税（２３８円）が差し引かれ、遊技者に支払われる金額は４７６２円という１円単位の金額となる。しかし、この４７６２円という１円単位の金額を遊技者に支払うためには、精算機に１円単位の金額を支払うことができる機能を有しなければならず、これは、機器構造の複雑化、機器の生産コストの増大となる問題があった。
【０００７】
そこで、従来の精算機では、例えば、千円札、５００円および１００円硬貨のように取り扱う金種を絞り、１０円および１円の単位の金額を切り捨てた金額を遊技客に支払っていた。つまり、消費税を含めた、精算処理や遊技媒体の貸し出しに対する度数の減数などを行う場合には、端数を生じることがあり、従来の消費税を徴収する機能を備えた遊技システムでは、この端数の取扱いも１つの問題となっていた。
【０００８】
そこで本願では、上記した課題を解決するためになされたものであり、消費税を徴収する機能を備え、有価価値を預り消費税と遊技媒体の貸し出しに対応する遊技用有価価値とに区分し、遊技用有価価値を表示することができる遊技媒体貸出機および遊技媒体貸出方法を提供することを目的とする。
【課題を解決するための手段】
【０００９】
上記目的を達成するために、本発明の遊技媒体貸出機は、有価価値を特定可能な有価価値特定情報が記憶された記憶媒体を受け付けて、その特定された有価価値に基づいて遊技媒体を貸し出すための処理を行う遊技媒体貸出機であって、記憶媒体を受け付ける記憶媒体受付手段と、貨幣を受け入れて該貨幣を識別する貨幣識別手段と、前記貨幣識別手段により識別された貨幣の金額に対応する有価価値を、預り消費税と遊技媒体の貸し出しに対応する遊技用有価価値とに区分する有価価値区分手段と、前記有価価値区分手段で区分された有価価値のうち、少なくとも、遊技媒体の貸し出しに対応する遊技用有価価値を表示する表示手段とを具備したことを特徴とする。
【００１０】
また、本発明の遊技媒体貸出機は、有価価値を特定可能な有価価値特定情報が記憶された記憶媒体を受け付けて、その特定された有価価値に基づいて遊技媒体を貸し出すための処理を行う遊技媒体貸出機であって、記憶媒体を受け付ける記憶媒体受付手段と、受け付けられた前記記憶媒体の有価価値特定情報に基づいて特定された有価価値を、預り消費税と遊技媒体の貸し出しに対応する遊技用有価価値とに区分する有価価値区分手段と、前記有価価値区分手段で区分された有価価値のうち、少なくとも、遊技媒体の貸し出しに対応する遊技用有価価値を表示する表示手段とを具備したことを特徴とする。
【００１１】
これらの遊技媒体貸出機によれば、貨幣の金額に対応する有価価値や有価価値特定情報から特定される有価価値が、預り消費税と遊技媒体の貸し出しに対応する遊技用有価価値とに区分されるので、従来から採用されている有価価値に対応する度数表示機能によって、少なくとも遊技用有価価値に対応する度数を、そして場合によって預り消費税分を度数に換算した値を表示部などに表示させ、実際に利用可能な度数を遊技者などに知らせることができる。そして１万円、５千円、２千円、千円などの貨幣を受け付け、消費税率５％を課税する場合、それぞれ４７６円、２３８円、９５円、４７円を預り消費税として区分し、また、それぞれ９５２４円、４７６２円、１９０５円、９５３円を遊技用有価価値として区分する。これによって、預り消費税に対応する５００円、２５０円、１００円、５０円の各金種を受け付け可能に各金種に対応した貨幣識別装置を備える必要がなく安価にすることができ、その分のスペースが必要ないので従来通りの４ｃｍ幅の薄型を維持することができる。そして、預り消費税を遊技媒体の貸し出しに応じて預り消費税から減算することができるので、遊技者から貸玉に対する消費税を適確に徴収することができる。さらに、消費税率などを任意に設定することができるので、例えば、税制や業界慣行の変革、各県の事情に適合させてその値を設定することができる。
【００１２】
ここで、記憶媒体は、カード形状、コイン形状などの形状を有し、記憶媒体に記憶された有価価値特定情報には、例えば、遊技者を識別するためのＩＤ、入金された金額を度数化した度数など情報が含まれる。例えば、このＩＤに基づいて、管理装置に記録された有価価値を読み出すことで有価価値を特定することなどができる。また、貨幣には、硬貨、紙幣が含まれる。
【００１３】
本発明の遊技媒体貸出方法は、有価価値を特定可能な有価価値特定情報が記憶された記憶媒体を受け付けて、その特定された有価価値に基づいて遊技媒体を貸し出すための処理を行う遊技媒体貸出方法であって、記憶媒体を記憶媒体受付手段が受け付ける記憶媒体受付ステップと、貨幣を受け入れて該貨幣を貨幣識別手段が識別する貨幣識別ステップと、前記貨幣識別ステップにおいて識別された貨幣の金額に対応する有価価値を、預り消費税と遊技媒体の貸し出しに対応する遊技用有価価値とに有価価値区分手段が区分する有価価値区分ステップと、前記有価価値区分ステップにおいて区分された有価価値のうち、少なくとも、遊技媒体の貸し出しに対応する遊技用有価価値を表示手段が表示する表示ステップとを具備したことを特徴とする。
【００１４】
また、本発明の遊技媒体貸出方法は、有価価値を特定可能な有価価値特定情報が記憶された記憶媒体を受け付けて、その特定された有価価値に基づいて遊技媒体を貸し出すための処理を行う遊技媒体貸出方法であって、記憶媒体を記憶媒体受付手段が受け付ける記憶媒体受付ステップと、受け付けられた前記記憶媒体の有価価値特定情報に基づいて特定された有価価値を、預り消費税と遊技媒体の貸し出しに対応する遊技用有価価値とに有価価値区分手段が区分する有価価値区分ステップと、前記有価価値区分ステップにおいて区分された有価価値のうち、少なくとも、遊技媒体の貸し出しに対応する遊技用有価価値を表示手段が表示する表示ステップとを具備したことを特徴とする。
【００１５】
これらの遊技媒体貸出方法によれば、貨幣の金額に対応する有価価値や有価価値特定情報から特定される有価価値が、預り消費税と遊技媒体の貸し出しに対応する遊技用有価価値とに区分されるので、従来から採用されている有価価値に対応する度数表示機能によって、少なくとも遊技用有価価値に対応する度数を、そして場合によって預り消費税分を度数に換算した値を表示部などに表示させ、実際に利用可能な度数を遊技者などに知らせることができる。そして１万円、５千円、２千円、千円などの貨幣を受け付け、消費税率５％を課税する場合、それぞれ４７６円、２３８円、９５円、４７円を預り消費税として区分し、また、それぞれ９５２４円、４７６２円、１９０５円、９５３円を遊技用有価価値として区分する。これによって、預り消費税に対応する５００円、２５０円、１００円、５０円の各金種を受け付け可能に各金種に対応した貨幣識別装置を備える必要がなく安価にすることができ、その分のスペースが必要ないので従来通りの４ｃｍ幅の薄型を維持することができる。そして、預り消費税を遊技媒体の貸し出しに応じて預り消費税から減算することができるので、遊技者から貸玉に対する消費税を適確に徴収することができる。さらに、消費税率などを任意に設定することができるので、例えば、税制や業界慣行の変革、各県の事情に適合させてその値を設定することができる。
【００１６】
ここで、記憶媒体は、カード形状、コイン形状などの形状を有し、記憶媒体に記憶された有価価値特定情報には、例えば、遊技者を識別するためのＩＤ、入金された金額を度数化した度数など情報が含まれる。例えば、このＩＤに基づいて、管理装置に記録された有価価値を読み出すことで有価価値を特定することなどができる。また、貨幣には、硬貨、紙幣が含まれる。
【発明の効果】
【００１７】
本発明の遊技媒体貸出機および遊技媒体貸出方法によれば、消費税を徴収する機能を備え、有価価値を預り消費税と遊技媒体の貸し出しに対応する遊技用有価価値とに区分し、遊技用有価価値を表示することができる。
【図面の簡単な説明】
【００１８】
【図１】本発明の一実施の形態の消費税徴収型遊技システムの概要図である。
【図２】会員用ＩＣカードおよび非会員用ＩＣカードの斜視図である。
【図３】発券機の外観を示す側面図である。
【図４】発券機の構成部を示す図である。
【図５】発券機における動作の流れを示す図である。
【図６】再プレー受付機の外観を示す側面図である。
【図７】再プレー受付機の構成部を示す図である。
【図８】再プレー受付機における動作の流れを示す図である。
【図９】台間機（ユニット）の平面図である。
【図１０】台間機（サンド）の平面図である。
【図１１】台間機（台間メダル貸し機）の平面図である。
【図１２】台間機の表示部３ｅの一部拡大正面図である。
【図１３】台間機の内部構成図である。
【図１４】カード処理機の斜視図である。
【図１５】カード処理機のカード処理機開壁部の開口状態の斜視図である。
【図１６】図１４に示したカード処理機のＡ−Ａ断面図である。
【図１７】図１６に示すカード処理機のＢ−Ｂ断面図である。
【図１８】会員用ＩＣカードまたは非会員用ＩＣカードの搬送動作を示す図１６のＢ−Ｂ断面図である。
【図１９】会員用ＩＣカードまたは非会員用ＩＣカードの搬送動作を示す図１６のＢ−Ｂ断面図である。
【図２０】会員用ＩＣカードまたは非会員用ＩＣカードの搬送動作を示す図１６のＢ−Ｂ断面図である。
【図２１】会員用ＩＣカードまたは非会員用ＩＣカードの搬送動作を示す図１６のＢ−Ｂ断面図である。
【図２２】会員用ＩＣカードまたは非会員用ＩＣカードの搬送動作を示す図１４のＡ−Ａ断面図である。
【図２３】会員用ＩＣカードまたは非会員用ＩＣカードの搬送動作を示す図１４のＡ−Ａ断面図である。
【図２４】会員用ＩＣカードまたは非会員用ＩＣカードの搬送動作を示す図１６のＢ−Ｂ断面図である。
【図２５】会員用ＩＣカードまたは非会員用ＩＣカードの搬送動作を示す図１６のＢ−Ｂ断面図である。
【図２６】会員用ＩＣカードまたは非会員用ＩＣカードの搬送動作を示す図１６のＢ−Ｂ断面図である。
【図２７】台間機の構成部を示す図である。
【図２８】台間機における動作の流れを示す図である。
【図２９】台間機における動作の流れを示す図である。
【図３０】台間機における動作の流れを示す図である。
【図３１】台間機における動作の流れを示す図である。
【図３２】計数機の外観を示す斜視図である。
【図３３】計数機の構成部を示す図である。
【図３４】計数機における動作の流れを示す図である。
【図３５】景品管理機（ＰＯＳ）の外観を示す側面図である。
【図３６】景品管理機（ＰＯＳ）の構成部を示す図である。
【図３７】景品管理機（ＰＯＳ）における動作の流れを示す図である。
【図３８】精算機の外観を示す側面図である。
【図３９】精算機の構成部を示す図である。
【図４０】精算機における動作の流れを示す図である。
【図４１】管理装置の構成部を示す図である。
【図４２】管理装置における動作の流れを示す図である。
【図４３】会員ＩＣカードが用いられた場合の情報管理一覧表の一例を示す図である。
【図４４】会員用ＩＣカードの使用履歴を集計した使用履歴管理一覧表の一例を示す図である。
【図４５】ＩＣコインが用いられた場合の情報管理一覧表の一例を示す図である。
【図４６】非会員用ＩＣカードの使用履歴を集計した使用履歴管理一覧表の一例を示す図である。
【図４７】各台間機毎の使用履歴を集計した使用履歴管理一覧表の一例を示す図である。
【図４８】台間機、計数機、精算機、景品管理機（ＰＯＳ）における集計値を統合した遊技ホール全体としての情報管理一覧表の一例を示す図である。
【発明を実施するための形態】
【００１９】
以下、本発明に係る消費税徴収型遊技システム１の一実施の形態を図面を参照して説明する。
【００２０】
図１に、本発明の一実施の形態の消費税徴収型遊技システム１の概要図を示す。また、図２の（ａ）に会員の遊技者が使用するカード形状記憶媒体である会員用ＩＣカード３０の斜視図、（ｂ）に非会員の遊技者が使用するカード形状記憶媒体である非会員用ＩＣカード３１の斜視図を示す。
【００２１】
ここで、会員の遊技者とは、住所、氏名、年齢、性別、好きな台、連絡先、暗証番号などの属性情報が会員の遊技者を互いに識別するＩＤに基づいて管理装置に登録され、会員用ＩＣカード３０を有する遊技者をいう。また、非会員の遊技者とは、会員登録されていない一般の遊技者をいう。
【００２２】
この一実施の形態の消費税徴収型遊技システム１では、複数のパチンコ機２および複数のパチンコ機２のそれぞれに接続された消費税徴収型遊技媒体貸出機として機能する台間機３、４、複数のスロットマシン機５およびスロットマシン機５間に接続された消費税徴収型遊技媒体貸出機として機能する台間機６が島コンピュータ７を介してネットワーク８に接続されている。
【００２３】
また、ネットワーク８には、消費税徴収型計数機として機能する計数機９、精算機１０、消費税徴収型景品払出機として機能する景品管理機（ＰＯＳ）１１、再プレー受付機１２、発券機２０、データ表示機２１、データ公開機２２なども接続されている。
【００２４】
これらの機器からの情報は、ネットワーク８を介して管理装置１３に出力され、さらに、プロトコルコンバータ１４、モデム１５を介してカードセンタ１６に送信される。なお、モデム１５からカードセンタ１６への情報の通信は、一般通信回線を介して行われる。
【００２５】
管理装置１３は、例えば、管理装置１３の情報を参照する機能を含んだパーソナルコンピュータ１７などとも接続されている。また、管理装置１３からの情報は、ネットワーク８を介して各機器に出力される。
【００２６】
また、台間機３、４、６が２台に対して一台の割合で貯留機構付き紙幣識別装置（ビルバリ）１９が取り付けられている。また、景品管理機（ＰＯＳ）１１には、景品払出機１８を併設することもできる。
【００２７】
以下に、本発明の一実施の形態の消費税徴収型遊技システム１を構成する記憶媒体や各機器のそれぞれについて説明する。
【００２８】
（会員用ＩＣカード３０および非会員用ＩＣカード３１）
次に、図２に示された（ａ）会員用ＩＣカード３０および（ｂ）非会員用ＩＣカード３１について説明する。
【００２９】
会員用ＩＣカード３０および非会員用ＩＣカード３１は、従来から遊技システムで使用されていたＩＣチップを有する記憶媒体であり、カード形状を有している。非会員用ＩＣカード３１は、例えば、会員用ＩＣカード３０よりもカードの縦および横の長さが短く、さらに、厚さが薄く構成されている。
【００３０】
これらの会員用ＩＣカード３０や非会員用ＩＣカード３１は、ＩＣチップと、そのＩＣチップを取り巻くアンテナ部とを有する非接触型の記憶媒体であり、アンテナ部を介してＩＣチップに情報の読み書きをすることができる。
【００３１】
会員用ＩＣカード３０または非会員用ＩＣカード３１を用いた管理システムにおいては、それぞれについて、次に示した管理システムの内のいずれか１つを採用することができる。
【００３２】
会員用ＩＣカード３０は、（１）ＩＤだけの記録情報を有し、その他の情報は管理装置１３において管理されるシステム、または、（２）ＩＤ以外に度数などの有価情報などの情報を有し、さらに、その情報は管理装置１３においても管理されるシステムを採用することができる。
【００３３】
ここで、会員用ＩＣカード３０を用いた場合の情報とは、ＩＤ、度数、貸玉、アウト（発射玉）、セーフ（遊技機への供給玉、つまり遊技の上皿への供給玉：遊技者の獲得玉）、勝敗（セーフからアウトを減じたもの）、入金、追加入金、貸玉数、貯玉数、再プレー用貯玉数、再プレー手数料、ポイント、遊技台種別、預り消費税などの情報、これらの情報を履歴情報、日毎情報、週毎情報とした情報、住所、氏名、年齢、性別、好きな台、連絡先、暗証番号などの会員情報などをいう。また、これらに限るものではなく、遊技管理を行う上で必要な情報であれば管理することができる。さらに、これらの情報は、会員用ＩＣカード３０を用いた場合の会員として処理される情報である。
【００３４】
また、上記ポイントには、来店ポイント（台間機に会員用ＩＣカードを差し込むと付与されるポイント）、貸玉ポイント（貸し玉数に応じて付与されるポイント）、勝敗ポイント（アウト数からセーフ数の差に応じて、負けた客に付与されるポイント）、稼動ポイント（アウト数に応じて付与されるポイント）などがある。また、会員用ＩＣカード３０を用いた場合の管理装置１３によって管理される情報は、これらに限るものではなく、遊技管理を行う上で必要な情報であれば管理することができる。
【００３５】
非会員用ＩＣカード３１は、（３）ＩＤだけの記録情報を有し、その他の情報は管理装置１３において管理されるシステム、（４）度数などの有価情報などの情報を有し、管理装置１３においてはその情報を管理しないシステム、（５）ＩＤ以外に度数などの有価情報などの情報を有し、さらに、その情報は管理装置１３においても管理されるシステムを採用することができる。（４）は、管理装置１３において情報の管理をする必要がある会員用ＩＣカード３０には採用されない。
【００３６】
ここで、非会員用ＩＣカード３１を用いた場合の情報とは、度数、貸玉、入金、追加入金、貸玉数、預り消費税などの情報、これらの情報を所定の期間に限って管理する情報などをいう。これらの情報は、非会員用ＩＣカード３１を用いた場合の非会員として処理される情報である。また、これらの情報には、アウト（発射玉）、セーフ（遊技機への供給玉、つまり遊技の上皿への供給玉：遊技者の獲得玉）、勝敗（セーフからアウトを減じたもの）、貯玉数、再プレー用貯玉数、再プレー手数料、ポイント、遊技台種別などが含まれない点で会員用ＩＣカード３０を用いた場合の会員として処理される情報と異なる。また、非会員用ＩＣカード３１を用いた場合の管理装置１３によって管理されている情報は、これらに限るものではなく、遊技管理を行う上で必要な情報であれば管理することができる。
【００３７】
ここで、会員用と同様に非会員用にもＩＣカードを用いた例を示したが、非会員用のＩＣチップを有する記憶媒体として、コイン形状のＩＣコインを用いることもできる。この場合には、台間機３、４、６には、このＩＣコインを受け入れるための受入部が構成される。
【００３８】
なお、本発明の一実施の形態の消費税徴収型遊技システム１において、上述した（１）会員用ＩＣカード３０は、ＩＤだけの記録情報を有し、その他の情報は管理装置１３において管理される場合について説明するが、勿論、上述した他の管理システム（２）も採用することができる。また、消費税徴収型遊技システム１において、上述した（３）非会員用ＩＣカード３１は、ＩＤだけの記録情報を有し、その他の情報は管理装置１３において管理される場合について説明するが、勿論、上述した他の管理システム（４）、（５）も採用することができる。
【００３９】
以下に説明する本発明の一実施の形態の消費税徴収型遊技システム１を構成する各機器において、精算機１０では、非会員用ＩＣカード３１が使用された場合に、残度数を精算する際、使用した度数より算出した消費税分を入金時に預かった消費税分より差し引いた残りの預り消費税の情報を記録した預り証を発行するものを選択することもできる。また、精算機１０では、会員用ＩＣカード３０が使用された場合には、会員用ＩＣカード３０に記録されているＩＤに基づいて、預り消費税の情報を管理装置１３に出力し、管理装置１３においてＩＤ毎に預り消費税の情報を記録するものとする。
【００４０】
なお、ここでは、上述した預り消費税の管理構成を一例として示しているが、この管理構成に限るものではない。例えば、精算機１０において、預り消費税の情報を非会員用ＩＣカード３１のＩＤに基づいて、預り消費税の情報を管理装置１３に出力し、管理装置１３においてＩＤ毎に預り消費税の情報を記録してもよい。この場合、預り証を発行する必要がなくなり、預り証を処理する機能は削除することができる。本発明の消費税の処理は、上記管理構成や以降例示するものも含めて複数であり、各遊技ホール毎に税制についての指導の改廃の繰り返し県毎の差や、営業施策上好ましいと思える消費税の処理を選択可能であり、１つの遊技ホールにおいても各遊技機毎の消費税対応機能にあわせて複数の処理を遊技機毎に同時に複数選択することもできる。
【００４１】
（発券機２０）
図３は、発券機２０の外観を示す側面図、図４は発券機２０の構成部を示す図、図５は発券機２０における動作の流れを示す図である。
【００４２】
まず、図３を参照して、発券機２０の構成について説明する。
図３には、発券機２０を側面から見た図が示されており、カード挿入口２０ａ、紙幣挿入口２０ｂ、購入度数ボタン２０ｃ、預り証挿入口２０ｇで主に構成されている。
【００４３】
発券機２０は、紙幣挿入口２０ｂから挿入された紙幣額に対して購入度数ボタン２０ｃで選択された、１００００円、５０００円、３０００円、１０００円、投入された金額全部をあらわす「１００００」「５０００」「３０００」「１０００」「全部」の表示の中から金額に対応する度数を会員用ＩＣカード３０に更新したり、会員用ＩＣカード３０が用いられない場合には、その金額に対応する度数が記録された非会員用ＩＣカード３１の発行を行うものである。この際、発券機２０において、消費税を徴収する場合には、後述する所定の手段によって、購入金額に対応して消費税が徴収するを選択することもできる。
【００４４】
さらに、発券機２０では、非会員用ＩＣカード３１が使用された場合に、残度数を精算する際、精算機１０において使用した度数より算出した消費税分を以前の入金時に預かった消費税分より差し引いた残りの預り消費税の情報が記録された預り証が発行するようにし、その預り証からその記録された残りの預り消費税情報を読み取り、非会員用ＩＣカード３１の発行時に、その残りの預りの消費税情報に対し新たに入金した分の預り消費税を加算することも選択できる。また、発券機２０では、会員用ＩＣカード３０が使用された場合に、預り消費税の情報は、会員用ＩＣカード３０のＩＤに基づいて管理装置に出力され、管理装置でＩＤ毎に記録される。
【００４５】
なお、精算機１０において消費税情報を非会員用ＩＣカード３１のＩＤに基づいて管理装置１３に記録してもよい。この場合には、精算機１０からの預り証の発行、発券機２０における預り証挿入口２０ｇなどの預り証処理機能の保有などをする必要がなくなるので、機器の構成を簡易化することができる。
【００４６】
ここで、度数とは、入金された金額を度数化したもので、例えば、１万円を度数化すると１００度数となる。また、発券機２０では、会員用ＩＣカード３０を利用する場合に、来店ポイントが付与される。付与された来店ポイントは、管理装置１３において、会員用ＩＣカード３０のＩＤに基づいて管理されているポイント数に加算される。
【００４７】
図４に示すように、発券機２０は、制御部１００、カード処理部１０１、非会員用カード発行部１０２、選択ボタン検知部１０３、貨幣識別部１０４、預り証処理部１０５から構成されている。
【００４８】
制御部１００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部１００では、カード処理部１０１、非会員用カード発行部１０２、選択ボタン検知部１０３、貨幣識別部１０４、預り証処理部１０５の各機部間の信号の出入力、および、ネットワーク８を介して管理装置１３との間の信号の出入力を制御している。また、制御部１００では、ＲＯＭやＲＡＭに格納された、例えば、消費税演算プログラムなどに基づいて、消費税を徴収するための各種演算を行う。
【００４９】
カード処理部１０１は、会員カード処理部として機能し、カード挿入口２０ａから挿入された会員用ＩＣカード３０に記録された、例えば、ＩＤやそのＩＤで管理されている有価情報などの読み取り、その読み取った情報の制御部１００への出力、制御部１００からの更新された有価情報などの会員用ＩＣカード３０への書き込みなどを行うもので、例えば、リーダライタなどで構成される。
【００５０】
非会員用カード発行部１０２は、非会員カード処理部として機能し、非会員用ＩＣカード３１にＩＤを付与して発行を行うもので、例えば、リーダライタなどで構成される。また、非会員用カード発行部１０２は、紙幣挿入口２０ｂから挿入された紙幣額に対して購入度数ボタン２０ｃで選択された金額に対応する度数や預り消費税の情報などを非会員用ＩＣカード３１のＩＤとともに制御部１００への出力するものである。
【００５１】
選択ボタン検知部１０３は、購入度数ボタン２０ｃ、取消／釣りボタン２０ｄが押されたことを検知し、その押された信号に基づいて、制御部１００に信号を出力するものである。
【００５２】
貨幣識別部１０４は、紙幣挿入口２０ｂから挿入される４種類の紙幣を識別し、識別した紙幣の情報を制御部１００に出力するものである。また、制御部１００からの情報に基づいて、紙幣返却口２０ｆから紙幣を、また硬貨返却口２０ｈから硬貨を返却する。
【００５３】
預り証処理部１０５は、預り証挿入口２０ｇから挿入された預り証に記録された、例えば、預り消費税の情報などの読み取り、その読み取った情報の制御部１００への出力などを行うもので、例えば、リーダライタなどで構成される。なお、預り消費税の情報などの読み取りが完了した預り証は、発券機２０内に回収されることが好ましい。なお、この発券機２０には、預り証処理部１０５を設けた構成を示しているが、この預り証処理部１０５は、必要に応じて設ければよい。
【００５４】
そして、制御部１００によって制御される、カード処理部１０１、非会員用カード発行部１０２、選択ボタン検知部１０３、貨幣識別部１０４、預り証処理部１０５の各機器部は、次のように動作する（図５）。
【００５５】
以下に、図５を参照してその動作を説明する。
貨幣識別部１０４は、紙幣挿入口２０ｂからの入金を待機しており、紙幣挿入口２０ｂにおける紙幣の挿入を検知すると、それに応じた処理を実行する。
【００５６】
貨幣識別部１０４は、紙幣が入金された否かを判定する（ステップＳ１１０）。ステップＳ１１０の判定でＮｏの場合には、待機状態となる。
【００５７】
ステップＳ１１０の判定でＹｅｓの場合には、貨幣識別部１０４は、入金された紙幣の識別を行い、その識別情報を制御部１００に出力する（ステップＳ１１１）。また、貨幣識別部１０４で識別された紙幣は、発券機２０内の紙幣回収部（図示しない）に回収される（ステップＳ１１１）。
【００５８】
制御部１００は、入力した識別情報に基づいて、入金額を表示させるための表示情報を表示部２０ｅに出力し、表示部２０ｅではその表示情報に基づいて入金額を表示する（ステップＳ１１２）。
【００５９】
続いて、選択ボタン検知部１０３において、購入度数ボタン２０ｃの希望のボタン（１００００円ボタン、５０００円ボタン、３０００円ボタン、１０００円ボタン、全部ボタン）が押されたことを検知しない場合（ステップＳ１１３のＯＦＦのまま）には、制御部１００は待機状態となり、例えば、この状態で取消／釣りボタン２０ｄが押されたことが判定されると（ステップＳ１３０のＹｅｓ）、入金された紙幣は紙幣返却口２０ｆから返却される（ステップＳ１３１）。
【００６０】
選択ボタン検知部１０３において、購入度数ボタン２０ｃの希望のボタンが押されたことを検知した場合（ステップＳ１１３のＯＮ）には、例えば、購入度数ボタン２０ｃが連続して押されていても同じ動作を繰り返さないようにするために、購入度数ボタン２０ｃのＯＮ履歴がクリアされる（ステップＳ１１４）。そして、選択された購入度数ボタン２０ｃの情報は、選択ボタン検知部１０３から制御部１００に出力される。
【００６１】
続いて、制御部１００において、例えば、制御部１００に記録された情報に基づいて、消費税を徴収するか否かを判定する（ステップＳ１１５）。
【００６２】
ステップＳ１１５の判定でＹｅｓの場合には、制御部１００は、預り消費税（Ａ１）を次の式（１）または式（２）によって算出する（ステップＳ１１６）。
Ａ１  ＝  Ｂ１  ×  Ｃ１  …式（１）
Ａ１  ＝  Ｂ１  ×  Ｃ１  ／  （１  +  Ｃ１）  …式（２）
【００６３】
ここで、Ｂ１は購入度数、Ｃ１は消費税率を示す。また、式（１）を用いることで消費税が外税の場合の預り消費税（Ａ１）が算出され、式（２）を用いることで消費税が内税の場合の預り消費税（Ａ１）が算出される。
【００６４】
なお、このステップＳ１１６において、預り消費税（Ａ１）は、現在の度数残高に対し所定の税率で所持されることが望ましく、例えば、現在の度数残高が１００度数（１万円分）とすると消費税率５％の場合、５００円が預り消費税として所持されるようにする。つまり、外税であれば、現在度数残高が０かつ預り消費税が５であり、新たな入金が１万円あった場合、預り消費税は新たに徴収しない。内税であれば、現在度数残高が０かつ預り消費税が２であり、新たな入金が１万円であた場合、新たに徴収する預り消費税は、本来、４７６円分の度数である４．７６であるが、預り消費税は２あったので、差し引き２．７６度数を預り消費税とし、１００度数から２．７６度数を減じた度数を新たな度数として設定するようにしてもよい。このようにすることで必要以上の預り消費税の徴収が避けられる。
【００６５】
制御部１００は、この算出された預り消費税（Ａ１）に関する表示情報を表示部２０ｅに出力し、表示部２０ｅではその表示情報に基づいて預り消費税（Ａ１）を表示する（ステップＳ１１７）。
【００６６】
続いて、制御部１００は、識別された紙幣の金額が、購入度数に対応する金額と外税の場合の預り消費税（Ａ１）との合計金額より大きいか否かを判定する（ステップＳ１１８）。
【００６７】
ステップＳ１１８の判定で、識別された紙幣の金額が購入度数に対応する金額と外税の場合の預り消費税（Ａ１）との合計金額より小さい場合（ステップＳ１１８のＮｏ）には、制御部１００は、購入度数に対応する金額と外税の場合の預り消費税（Ａ１）との合計金額から識別された紙幣の金額を差し引き、不足金額を算出する。そして、制御部１００は、その算出した不足金額に関する情報を表示部２０ｅに出力し、表示部２０ｅではその表示情報に基づいて不足金額を表示する（ステップＳ１１９）。
【００６８】
ステップＳ１１５の判定でＮｏの場合には、制御部１００は、預り消費税（Ａ１）を「０」とする（ステップＳ１２０）。
【００６９】
続いて、制御部１００は、識別された紙幣の金額が、購入度数に対応する金額より大きいか否かを判定する（ステップＳ１２１）。
【００７０】
ステップＳ１２１の判定で、識別された紙幣の金額が購入度数ボタン２０ｃの金額より小さい場合（ステップＳ１２１のＮｏ）には、制御部１００は待機状態となり、例えば、この状態で取消／釣りボタン２０ｄが押されたことが判定されると（ステップＳ１３０のＹｅｓ）、入金された紙幣は紙幣返却口２０ｆから返却される（ステップＳ１３１）。
【００７１】
一方、ステップＳ１２１の判定で、識別された紙幣の金額が購入度数ボタン２０ｃの金額以上の場合（ステップＳ１２１のＹｅｓ）、またはステップＳ１１８の判定で、識別された紙幣の金額が購入度数に対応する金額と外税の場合の預り消費税（Ａ１）との合計金額より大きい場合（ステップＳ１１８のＹｅｓ）には、カード処理部１０１は、会員用ＩＣカード３０が挿入されているか否かを判定する（ステップＳ１２２）。
【００７２】
ステップＳ１２２の判定でＹｅｓの場合、カード処理部１０１は、会員用ＩＣカード３０に記録されたＩＤを読み取り、読み取ったＩＤ、貨幣識別部１０４で識別された紙幣の金額、選択された購入度数ボタン２０ｃの金額、算出された預り消費税（Ａ１）などをネットワーク８を介して管理装置１３に送信する（ステップＳ１２３）。また、会員用ＩＣカード３０を利用の場合に付与される来店ポイントが付与され、付与された来店ポイントは、管理装置１３において、会員用ＩＣカード３０のＩＤに基づいて管理されているポイント数に加算される（ステップＳ１２３）。管理装置１３は、読み取られたＩＤの度数残高に、購入した度数を追加し、その更新された情報をネットワーク８を介して制御部１００に出力する（ステップＳ１２３）。また、管理装置１３において、会員用ＩＣカード３０のＩＤに基づいて管理されている預り消費税に対し、ステップＳ１２３において送信された新たな預り消費税が加算される（ステップＳ１２３）。
【００７３】
そして、制御部１００は、管理装置１３から出力された、例えば、度数残高などの情報を表示するための表示情報を表示部２０ｅに出力し、表示部２０ｅは、例えば、その表示情報に基づいて度数残高などを表示する（ステップＳ１２４）。また、この際、表示部２０ｅに、預り消費税（Ａ１）や預り消費税（Ａ１）に相当する度数を除いた実際に利用可能な度数残高などを表示させてもよい。
【００７４】
続いて、制御部１００は、カード処理部１０１に会員用ＩＣカード３０を返却するための情報を出力し、カード処理部１０１は、その情報に基づいてカード挿入口２０ａから会員用ＩＣカード３０を返却する。（ステップＳ１２５）。
【００７５】
一方、ステップＳ１２２の判定でＮｏの場合、非会員用カード発行部１０２は、貯留された非会員用ＩＣカード３１にＩＤを付与し、その情報を制御部１００に出力する（ステップＳ１２６）。
【００７６】
さらに、制御部１００は、そのＩＤ情報、貨幣識別部１０４で識別された紙幣の金額、選択された購入度数ボタン２０ｃの金額、算出された預り消費税（Ａ１）などをネットワーク８を介して管理装置１３に送信する（ステップＳ１２７）。また、ここで、管理装置１３において、非会員用ＩＣカード３１のＩＤに基づいて管理されている預り消費税に対し、ステップＳ１２７にて送信された新たな預り消費税が加算される（ステップＳ１２７）。さらに、管理装置１３において、ステップＳ１３６において預り証に記録されたＩＤに基づいて管理される未処理の預り消費税があれば、算出された預り消費税（Ａ１）に加算され、預り証に記録されたＩＤに基づいて管理される未処理の預り消費税は処理済みとなりクリアされる。
【００７７】
また、非会員用カード発行部１０２は、付与されたＩＤを非会員用ＩＣカード３１に記録する。そして、制御部１００は、非会員用カード発行部１０２に非会員用ＩＣカード３１を返却するための情報を出力し、非会員用カード発行部１０２は、その情報に基づいてカード挿入口２０ａから非会員用ＩＣカード３１を発行する（ステップＳ１２８）。
【００７８】
なお、預り証の代わりに非会員カードを用いる場合、ステップＳ１３２〜ステップＳ１３６が実行されない代わりに、カード挿入口２０ａに非会員用ＩＣカード３１を受け入れ可能とし、かつ、非会員用ＩＣカード３１を感知する場合もステップＳ１２２にてＮｏの判定がなされ、ステップＳ１２６を実行する。この場合、その非会員用ＩＣカード３１のＩＤに基づいて管理装置１３に記録されている前回の預り消費税が有効期限を過ぎていなければ（有効期限を過ぎていれば「預り証有効期限切れ」などの表示を行い、このＩＤとＩＤに基づいて管理装置１３に記録される前回の預り消費税はクリアされる。）、管理装置１３では、ステップＳ１１６にて算出した預り消費税（Ａ１）をこの前回の預り消費税に加算する。そして、管理装置１３において、新たにステップＳ１２６にて発行されたＩＤに基づいて預り消費税が記憶され、元の預り証としての預り消費税を特定するＩＤと前回の預り消費税はクリアされる（ステップＳ１２７）。そして、受け入れた非会員用ＩＣカード３１に対し、預り消費税を特定するＩＤはクリアされ、ステップＳ１２６にて発行された新たなＩＤが記録され発行される（ステップＳ１２８）。
【００７９】
続いて、制御部１００において、貨幣識別部１０４で識別された紙幣の金額から選択された購入度数ボタン２０ｃの金額を減じ、残金額に対応する情報を表示部２０ｅに出力する（ステップＳ１２９）。そして、制御部１００から出力された残金額に対応する情報に基づいて、表示部２０ｅでは、その残金額を表示する（ステップＳ１２９）。
【００８０】
次に、選択ボタン検知部１０３のよって、取消／釣りボタン２０ｄが押されたことが判定された場合（ステップＳ１２３のＹｅｓ）には、選択ボタン検知部１０３は、その情報を制御部１００に出力する。
【００８１】
そして、制御部１００は、貨幣識別部１０４に残金を返却するための情報を出力する。貨幣識別部１０４は、その情報に基づいて、残金を紙幣返却口２０ｆまたは硬貨返却口２０ｈから返却する（ステップＳ１３１）。
【００８２】
一方、選択ボタン検知部１０３のよって、取消／釣りボタン２０ｄが押されたことが判定されない場合（ステップＳ１２３のＮｏ）には、制御部１００は待機状態となる。
【００８３】
次に、預り証処理部１０５によって、預り証が預り証挿入口２０ｇから挿入されたことが検知された場合（ステップＳ１３２のＹｅｓ）には、続いて、預り証処理部１０５は、その預り証の有効期限が期限内か否かを判定する（ステップＳ１３３）。
【００８４】
預り証処理部１０５は、預り証の有効期限が期限切れであると判定した場合（ステップＳ１３３のＮｏ）には、その情報を制御部１００に出力する。そして、制御部１００は、その情報に基づいて、表示情報を表示部２０ｅに出力し、表示部２０ｅではその表示情報に基づいて、例えば「預り証有効期限切れ」などの表示をする（ステップＳ１３４）。
【００８５】
一方、預り証処理部１０５は、預り証の有効期限が期限内であると判定した場合（ステップＳ１３３のＹｅｓ）には、預り証に記録されている預り消費税の情報を読み取り、その情報を制御部１００に出力する。制御部１００は、その情報に基づいて、表示情報を表示部２０ｅに出力し、表示部２０ｅは、その表示情報に基づいて、預り消費税額を表示する（ステップＳ１３５）。さらに、制御部１００は、預り消費税の情報を、例えば、非会員用ＩＣカード３１のＩＤに基づいて、管理装置１３に出力し、管理装置１３では、その預り消費税の情報をＩＤ毎に記録する。
【００８６】
（再プレー受付機１２）
図６は、再プレー受付機１２の外観を示す側面図、図７は再プレー受付機１２の構成部を示す図、図８は再プレー受付機１２における動作の流れを示す図である。
【００８７】
まず、図６を参照して、再プレー受付機１２の構成について説明する。
図６には、再プレー受付機１２を側面から見た図が示されており、カード挿入口１２ａ、暗証番号入力用テンキーボード１２ｂ、端玉／端メダル返却ボタン１２ｃ、カード返却ボタン１２ｄ、再プレー受付ボタン１２ｅ、端玉／端メダル受取口１２ｆ、表示部１２ｇ、預り証挿入口１２ｈで主に構成されている。
【００８８】
再プレー受付機１２は、会員用ＩＣカード３０に記憶されたＩＤと共に、管理装置１３の再プレーＦＬＧ、貯玉数および再プレー用貯玉数の情報を書き換えるための要求信号を、ネットワーク８を介して管理装置１３に送信し、再プレーを行える状態にするものである。
【００８９】
再プレーＦＬＧは、管理装置１３に書き込まれている情報で、再プレーを可能にしたり、不可能にしたりするものであり、例えば、１が書き込まれていれば再プレー可能、０が書き込まれていれば再プレー不可能になる。ここで、再プレーとは、計数機９において計数され貯玉された貯玉数のうち所定の金額（例えば１万円）に相当する玉数を再プレー用貯玉数とし、その再プレー用貯玉数分の貸玉の貸し出しによって、遊技をすることをいう。また、再プレー受付機１２では、会員用ＩＣカード３０の利用によって付与されるポイントを、例えば、再プレー用貯玉数に還元することもできる。
【００９０】
また、再プレー受付機１２は、残度数を精算する際、精算機１０において発行され、使用した度数より算出した消費税分を入金時に預かった消費税分より差し引いた残りの預り消費税の情報が記録された預り証が、預り証挿入口１２ｈから挿入された場合には、その預り消費税に対応する分の、パチンコ玉やメダルなどの遊技媒体を払出すことも行う。
なお、精算機１０において、預り証を発行せずに、消費税情報を会員用ＩＣカード３０や非会員用ＩＣカード３１のＩＤに基づいて管理装置１３に記録してもよく、この場合には、会員用ＩＣカード３０や非会員用ＩＣカード３１をカード挿入口１２ａより挿入し、会員用ＩＣカード３０や非会員用ＩＣカード３１のＩＤ毎に管理装置１３に記録された消費税情報を読み取ることができる。これによって、再プレー受付機１２に、預り証挿入口１２ｈなどの預り証処理機能を保有する必要がなくなるので、機器の構成を簡易化することができる。
【００９１】
図７に示すように、再プレー受付機１２は、制御部１５０、カード処理部１５１、端玉返却部１５２、選択ボタン検知部１５３、預り証処理部１５４から構成されている。
【００９２】
制御部１５０は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部１５０では、カード処理部１５１、端玉返却部１５２、選択ボタン検知部１５３の各機部間の信号の出入力、および、ネットワーク８を介して管理装置１３との間の信号の出入力を制御している。
【００９３】
カード処理部１５１は、会員カード処理部として機能し、カード挿入口１２ａから挿入された会員用ＩＣカード３０に記憶された、例えば、ＩＤやそのＩＤで管理されている有価情報などの読み取り、その読み取った情報の制御部１５０への出力、制御部１５０からの更新された有価情報を特定可能なＩＤなどを会員用ＩＣカード３０に書き込みするなどを行うもので、例えば、リーダライタなどで構成される。
【００９４】
選択ボタン検知部１５３は、暗証番号入力用テンキーボード１２ｂ、端玉／端メダル返却ボタン１２ｃ、カード返却ボタン１２ｄ、再プレー受付ボタン１２ｅが押されたことを検知し、その押された信号に基づいて、制御部１５０に信号を出力するものである。
【００９５】
預り証処理部１５４は、預り証挿入口１２ｈから挿入された預り証に記録された、例えば、消費税情報などの読み取り、その読み取った情報の制御部１５０への出力などを行うもので、例えば、リーダライタなどで構成される。なお、消費税情報などの読み取りが完了した預り証は、再プレー受付機１２内に回収されることが好ましい。なお、この再プレー受付機１２には、預り証処理部１５４を設けた構成を示しているが、消費税情報が会員用ＩＣカード３０や非会員用ＩＣカード３１のＩＤに基づいて管理装置１３に記録された場合には、カード処理部１５１によって会員用ＩＣカード３０や非会員用ＩＣカード３１のＩＤを読み取り、その読み取ったＩＤに基づいて、管理装置１３に記録された消費税情報を読み取ることができる。この場合には、預り証処理部１５４を削除することができる。
【００９６】
そして、制御部１５０によって制御される、カード処理部１５１、端玉返却部１５２、選択ボタン検知部１５３、預り証処理部１５４の各機器部は、次のように動作する（図８）。
【００９７】
以下に、図８を参照してその動作を説明する。
カード処理部１５１は、カード挿入口１２ａからの会員用ＩＣカード３０の挿入を待機しており、会員用ＩＣカード３０の挿入を検知すると、それに応じた処理を実行する。また、預り証処理部１５４は、預り証挿入口１２ｈからの預り証の挿入を待機しており、預り証の挿入を検知すると、それに応じた処理を実行する。    
【００９８】
カード処理部１５１は、会員用ＩＣカード３０が挿入されているか否かを判定する（ステップＳ１６０）。
【００９９】
ステップＳ１６０の判定で、Ｎｏの場合には、カード処理部１５１は、その情報を制御部１５０に出力する。
【０１００】
続いて、預り証処理部１５４は、預り証（または預り証として非会員用ＩＣカード３１）が挿入されているか否かを判定する（ステップＳ１６１）。
【０１０１】
ステップＳ１６１の判定で、Ｎｏの場合には、預り証処理部１５４は、その情報を制御部１５０に出力し、制御部１５０は待機状態となる。
【０１０２】
一方、ステップＳ１６１の判定で、Ｙｅｓの場合には、預り証処理部１５４は、さらに、預り証に記録されたＩＤ情報によって管理装置に問い合わせて得た回答の預り消費税が「０」であるか否かを判定する（ステップＳ１６２）。
【０１０３】
ステップＳ１６２の判定で、Ｎｏの場合には、預り証処理部１５４は、その情報を制御部１５０に出力し、制御部１５０は待機状態となる。
【０１０４】
ステップＳ１６２の判定で、Ｙｅｓの場合には、預り証処理部１５４は、預り証から読み取った預り消費税の情報を制御部１５０に出力する。制御部１５０は、その情報に基づいて、預り消費税に対応する遊技媒体を返却する情報を端玉返却部１５２に出力し、端玉返却部１５２は、その情報に基づいて端玉／端メダル受取口１２ｆから遊技媒体を返却する（ステップＳ１６３）。さらに、制御部１５０は、その預り消費税の情報を表示部１２ｇに出力し、表示部１２ｇは、その情報に基づいて預り消費税額を表示する（ステップＳ１６３）。
【０１０５】
このとき、会員用ＩＣカード３０が挿入され（ステップＳ１６０でＹｅｓ）、端玉／端メダル返却ボタン１２ｃが押され（ステップＳ１６９の端玉／端メダル返却）、会員用ＩＣカード３０より読み取ったＩＤにより特定される貯玉数（管理装置１３より受信）より任意の所定量を暗証番号入力用テンキーボード１２ｂにより表示部１２ｇで確認しながら指定するとその分の端玉を返却する（ステップＳ１７０）。続いて、ステップＳ１６２で預り消費税が「０」でない場合には、その分の端玉を返却する（ステップＳ１６３）。
【０１０６】
一方、カード処理部１５１によって、会員用ＩＣカード３０が挿入されていることが判定された場合（ステップＳ１６０のＹｅｓ）には、カード処理部１５１は、会員用ＩＣカード３０に記憶されたＩＤおよび暗証番号を読み取り、制御部１５０に出力する（ステップＳ１６４）。
【０１０７】
次に、選択ボタン検知部１５３は、暗証番号入力用テンキーボード１２ｂで入力された暗証番号を検知し、その検知信号を制御部１５０に出力する（ステップＳ１６５）。
【０１０８】
続いて、制御部１５０は、会員用ＩＣカード３０から読み取られた暗証番号と暗証番号入力用テンキーボード１２ｂで入力された暗証番号とを比較判定する（ステップＳ１６６）。
【０１０９】
ステップＳ１６６の判定で、双方の番号が一致しない場合（ＮＧの場合）は、カード処理部１５１によって、会員用ＩＣカード３０をカード挿入口１２ａから返却する（ステップＳ１６７）。
【０１１０】
一方、ステップＳ１６６の判定で、双方の番号が一致した場合（ＯＫの場合）は、カード処理部１５１は、読み取ったＩＤを、制御部１５０に出力し、さらに制御部１５０は、そのＩＤをネットワーク８を介して管理装置１３に送信する（ステップＳ１６８）。そして、管理装置１３は、そのＩＤで管理されている貯玉数などを読み取る（ステップＳ１６８）。
【０１１１】
次に、選択ボタン検知部１５３は、端玉／端メダル返却ボタン１２ｃ、カード返却ボタン１２ｄ、再プレー受付ボタン１２ｅのいずれかのボタンが押されたことを検知し、押されたボタンを判定する（ステップＳ１６９）。
【０１１２】
ステップＳ１６９の判定で、端玉／端メダル返却ボタン１２ｃが押されたことが判定されると、その検知信号は、制御部１５０に出力され、さらに、制御部１５０からネットワーク８を介して管理装置１３に出力される。そして、管理装置１３から端玉分の返却信号が、制御部１５０を介して端玉返却部１５２に出力され、端玉返却部１５２によって、端玉が端玉／端メダル受取口１２ｆから返却される（ステップＳ１７０）。ここで、端玉／端メダル返却ボタン１２ｃは、貯玉数が少数で、その貯玉を再プレー受付をせずに返却したい場合に押されるもので、それによって、端玉／端メダル受取口１２ｆから返却されるのが端玉である。
【０１１３】
続いて、預り証処理部１５４は、預り証に預り消費税の情報が記録されているか否かを判定する（ステップＳ１６２）。
【０１１４】
ステップＳ１６２の判定で、Ｎｏの場合には、預り証処理部１５４は、その情報を制御部１５０に出力し、制御部１５０は待機状態となる。
【０１１５】
ステップＳ１６２の判定で、Ｙｅｓの場合には、預り証処理部１５４は、預り証から読み取った預り消費税の情報を制御部１５０に出力する。制御部１５０は、その情報に基づいて、預り消費税に対応する遊技媒体を返却する情報を端玉返却部１５２に出力し、端玉返却部１５２は、その情報に基づいて端玉／端メダル受取口１２ｆから遊技媒体を返却する（ステップＳ１６３）。さらに、制御部１５０は、その預り消費税の情報を表示部１２ｇに出力し、表示部１２ｇは、その情報に基づいて預り消費税額を表示する（ステップＳ１６３）。
【０１１６】
ステップＳ１６９の判定で、カード返却ボタン１２ｄが押されたことが判定されると、カード処理部１５１は、会員用ＩＣカード３０をカード挿入口１２ａから返却する（ステップＳ１７１）。
【０１１７】
ステップＳ１６９の判定で、再プレー受付ボタン１２ｅが押されたことが判定されると、その検知信号は、制御部１５０に出力され、さらに、制御部１５０からネットワーク８を介して管理装置１３に出力される。そして、管理装置１３において、ステップＳ１６８でＩＤに基づいて読み取られた貯玉数（Ｘ１）が次の式（３）（パチンコの場合）を満たすか否かが判定される（ステップＳ１７２）。
Ｘ１  ≧  ２５００＋２５００×（手数料レート）  …式（３）
【０１１８】
ステップＳ１７２の判定で、Ｎｏの場合、再プレー用貯玉数（Ｙ１）が次の式（４）から算出される（ステップＳ１７３）。
Ｙ１  ＝  Ｘ１  −  Ｘ１×（手数料レート）  …式（４）
ここで、手数料レートは、例えば、０．３７５などであり、この値は任意に変更される。
【０１１９】
そして、管理装置１３において、ＩＤに基づいて再プレー用貯玉数（Ｙ１）が登録され、貯玉数は０と書き換えられる（ステップＳ１７３、ステップＳ１７４）。
【０１２０】
ステップＳ１７２の判定で、Ｙｅｓの場合、管理装置１３において、貯玉数（Ｘ２）は次の式（５）の値に書き換えられ、再プレー用貯玉数が２５００に登録される（ステップＳ１７５、ステップＳ１７６）。
Ｘ２  ＝  Ｘ１−２５００−２５００×（手数料レート）  …式（５）
【０１２１】
ステップＳ１７３またはステップＳ１７６で、再プレー用貯玉数が登録されると、ＩＤに基づいて管理装置１３の再プレーＦＬＧを１に書き換え、再プレー可能な状態にする（ステップＳ１７７）。
【０１２２】
また、上記式（３）、（４）、（５）はパチンコ台を対象としたものであるが、スロットマシンのを対象とする場合、２５００玉に代えて１万円分の５００メダルとすることができる。再プレー受付機１２に切替ボタンなどを設け、その切替ボタンで、パチンコ台およびスロットマシンのどちらの再プレー受付をするかを選択できるようにすることもできる。また、それぞれ、別体式の再プレー受付機１２として設けられてもよい。
【０１２３】
ここで、再プレー受付機１２における処理は、上記処理に限るものではない。例えば、再プレー用貯玉を、再プレー受付機１２の端玉／端メダル受取口１２ｆに排出させてもよい。また、再プレー受付機１２は単独で構成されるものに限らず、例えば、台間機３、４、６に併設されてもよい。この場合、台間機３、４、６には、暗証番号入力用テンキーボードなどがさらに設けられる。
【０１２４】
（台間機３、４、６）
次に、消費税徴収型遊技媒体貸出機として機能する台間機３、４、６について、図９〜１３を参照して説明する。
【０１２５】
ここで、図９〜１１には、台間機３、４、６の平面図、図１２には、台間機３の表示部３ｅの一部拡大正面図を示す。また、図１３には、台間機３、４、６の内部構成図を示す。
【０１２６】
図９〜１１には、３種類の台間機３、４、６を正面から見た図が示されており、図９に示した台間機３（ユニット）および図１０に示した台間機４（サンド）はパチンコ用であり、図１１に示した台間機６（台間メダル貸し機）はスロットマシン用である。
【０１２７】
台間機３（ユニット）は、パチンコ機２と情報通信ができるので、パチンコ機２の貸玉ボタンが押されると、パチンコ機２内部からパチンコ機２の上皿へ直接パチンコ玉を供給することができる。一方、台間機４（サンド）は、パチンコ機２と情報通信ができないので、パチンコ玉は、サンドのノズルよりパチンコ機２の上皿へ供給される。
【０１２８】
また、台間機６（台間メダル貸し機）は、台間機４（サンド）と同様に遊技機と情報通信ができないので、メダルは、台間機６（台間メダル貸し機）のメダル払出口に供給され、遊技者によってスロットマシン機５に移動される。なお、台間機６（台間メダル貸し機）のメダル払出口にノズルを取り付け、自動的にメダルがスロットマシン機５のメダル払出口に供給されるようにしてもよい。
【０１２９】
また、各台間機３、４、６には、カード挿入口３ａ、４ａ、６ａ、貸玉ボタン３ｂ、４ｂ（遊技機に貸玉ボタンを有しているので台間機３（ユニット）にはない場合もある。）、再プレー用貸玉ボタン３ｃ、４ｃ、貸メダルボタン６ｂ、再プレー用貸メダルボタン６ｃ、返却ボタン３ｄ、４ｄ、６ｄ、表示部３ｅ、４ｅ、６ｅ、状態表示ランプ３ｆ、４ｆ、６ｆ、カード回収部３ｇ、４ｇ、６ｇ、リモコン受光部３ｈ、４ｈ、６ｈ、カード種別表示部３ｉ、４ｉ、６ｉ、メダル払出口６ｋなどが設けられている。また、図１３に示すように、台間機３、４、６内には、制御部３５、カード処理機２００、電源回路３６、貯留機構付き紙幣識別装置（ビルバリ）１９などが設置されている。
【０１３０】
カード処理機２００は、カード挿入口３ａ、４ａ、６ａから挿入された会員用ＩＣカード３０または非会員用ＩＣカード３１からＩＤなどの情報を読み取るものであり、例えば、リーダライタなどで構成される。また、カード処理機２００は、カード処理機２００内に設けられた度数が０となった非会員用カードを貯留するカード貯留部から非会員用カードを取り出し、例えば、ＩＤなどを記録してカード挿入口３ａ、４ａ、６ａから再発行することもできる。
【０１３１】
ここで、１枚の会員用ＩＣカード３０または非会員用ＩＣカード３１がカード挿入口３ａ、４ａ、６ａから挿入されると、例えば、ソレノイドなどの機械的手段によって、カード挿入口３ａ、４ａ、６ａが封鎖されるので、他の会員用ＩＣカード３０または非会員用ＩＣカード３１を挿入することはできなくなる。これによって、複数の会員用ＩＣカード３０または非会員用ＩＣカード３１がカード挿入口３ａ、４ａ、６ａに挿入されることで生じるカード詰りなどを防止することができる。また、ソレノイドなどの機械的手段を用いずに、他の方法でカード詰りなどを防止してもよい。
【０１３２】
貸玉ボタン３ｂ、４ｂは、遊技者がパチンコ玉の貸し出しを要求するときに、押されるボタンである。例えば、貸玉ボタン３ｂ、４ｂが１回押されると５００円分のパチンコ玉が貸し出しされる。なお、パチンコ玉の貸し出しは、標準的には５００円単位で行われ、１００円分（２５玉）づつ５回に分けて貸し出される。
【０１３３】
貸メダルボタン６ｂは、遊技者がメダルの貸し出しを要求するときに押されるボタンである。例えば、貸メダルボタン６ｂが１回押されると１０００円分のメダルが貸し出しされる。なお、メダルの貸し出しは、１０００円単位で行われる。
【０１３４】
再プレー用貸玉ボタン３ｃ、４ｃおよび再プレー用貸メダルボタン６ｃは、再プレー受付機１２において再プレー手続が行われた会員用ＩＣカード使用時にのみ利用され、再プレー用に利用することができるパチンコ玉またはメダルを貸し出しするときに押される。
【０１３５】
返却ボタン３ｄ、４ｄ、６ｄは、カード挿入口３ａ、４ａ、６ａから挿入された会員用ＩＣカード３０または非会員用ＩＣカード３１を排出させるための操作ボタンで、特に、遊技終了時などに押されるものである。
【０１３６】
表示部３ｅ、４ｅ、６ｅは、例えば、預り消費税を度数に換算した値や預り消費税を含まない実際に利用可能な度数残高などを表示する。この表示は、同時に行ったり、また、交互に行うことなどができる。これによって、度数を確認でき、入金のタイミングを図ることができ、預り消費税に対応する度数が除かれた実際に利用可能な度数残高を知ることができる。また、表示部３ｅ、４ｅ、６ｅには、度数以外の情報を表示してもよい。例えば、図１２に示した台間機３の表示部３ｅの一部拡大正面図に示されるように、「１０００円のみ入金可」「会員」「再プレー」「○○万○○○．○」などの表示がなされる。
【０１３７】
状態表示ランプ３ｆ、４ｆ、６ｆは、台間機３、４、６の状態を視覚的に識別するためのもので、例えば、エラー発生時は赤色点滅、正常動作時には緑色点灯する。電源がＯＦＦ状態とされ、オフライン動作中は消灯される。
【０１３８】
カード回収部３ｇ、４ｇ、６ｇは、後述する会員カード処理部および非会員カード処理部として機能するカード処理機２００の非会員用カードを貯留するカード貯留部において、非会員用カードの貯留限度量に達した場合に、非会員用カードを回収するものである。カード回収部３ｇ、４ｇ、６ｇに回収された非会員用カードは、従業員などによって、例えば、営業終了後などに回収される。
【０１３９】
リモコン受光部３ｈ、４ｈ、６ｈは、遊技ホールの従業員が使用するリモコンを受光する部分である。
【０１４０】
カード種別表示部３ｉ、４ｉ、６ｉは、例えば、緑点灯、赤点灯、青点灯の３種類の点灯が可能である。緑点灯では、キャッシュオン、すなわち直接紙幣が使用されカードが挿入されていないことを示し、赤点灯では、非会員用ＩＣカード３１が使用されていることを示し、青点灯では、会員用ＩＣカード３０が使用されていることを示す。
【０１４１】
制御部３５は、台間機３、４、６内の各構成機器の制御、台間機３、４、６以外の、例えば、島コンピュータ７などとの情報通信を行うものであり、インターフェース回路３５ａ、ＣＰＵ３５ｂ、ＲＯＭ３５ｃ、ＲＡＭ３５ｄから主に構成される。
【０１４２】
電源回路は、台間機３、４、６内の各構成機器を駆動するための電力を各構成機器に供給するものである。
【０１４３】
貯留機構付き紙幣識別装置（ビルバリ）１９は、紙幣挿入口３ｊ、４ｊ、６ｊから挿入される４種類の紙幣に対応できるコンパクトサイズの紙幣識別機であり、台間機３、４、６および島コンピュータ７と情報通信ができるように接続されている。この貯留機構付き紙幣識別装置（ビルバリ）１９は、例えば、図１に示すように、２台の台間機３、４、６に対し１台の割合で、台間機３、４、６の上部の固定されたランプ板部に、貯留機構付き紙幣識別装置（ビルバリ）１９が設置することができる。この貯留機構付き紙幣識別装置１９は、また、貯留機構付き紙幣識別装置１９は、２台のパチンコ機２またはスロットマシン機５に対して１台の割合で設けられているため、貯留機構付き紙幣識別装置１９の紙幣挿入口１９ａに入金されたときには、２台のパチンコ機２またはスロットマシン機５の内どちらのパチンコ機２またはスロットマシン機５への入金かを判定する必要がある。そこで、貯留機構付き紙幣識別装置１９に２個の遊技機指定ボタン１９ｂを設け、入金された側の遊技機指定ボタン１９ｂを押すことによって、入金された側のパチンコ機２またはスロットマシン機５の指定を行う。
【０１４４】
また、図９〜１１、１３に示すように、貯留機構付き紙幣識別装置１９は、台間機３、４、６の本体に一体的に構成することもできる。
【０１４５】
（カード処理機２００）
次に、台間機３、４、６のカード挿入口３ａ、４ａ、６ａから挿入された会員用ＩＣカード３０または非会員用ＩＣカード３１の処理および非会員用ＩＣカード３１の発券を行うカード処理機２００の一例を図を参照して説明する。
【０１４６】
図１４は、カード処理機２００の斜視図である。また、図１５は、カード処理機２００のカード処理機開壁部２０１ｂの開口状態の斜視図である。図１６は、図１４に示したカード処理機２００のＡ−Ａ断面図である。
【０１４７】
カード処理機２００は、カード処理機本体２０１ａ、カード処理機開壁部２０１ｂ、カード挿入口２０２、リーダライタ部２０３、カード貯留部２０４、挿入検知センサ２０８、位置セット検知センサ２０９、落下検知センサ２１０、搬送ベルト２０５から主に構成されている。
【０１４８】
リーダライタ部２０３は、アンテナ駆動回路を含むＩＣ部２０３ａ、アンテナ部２０３ｂから構成される。リーダライタ部２０３では、挿入された会員用ＩＣカード３０または非会員用ＩＣカード３１からの情報の読み取りや、会員用ＩＣカード３０または非会員用ＩＣカード３１への情報の書き込みが行われる。また、リーダライタ部２０３は、カード処理機開壁部３４１ｂの外壁側に設置され、会員用ＩＣカード３０または非会員用ＩＣカード３１とカード処理機開壁部２０１ｂの壁部を介して情報の送受信を行っている。
【０１４９】
なお、リーダライタ部２０３で読み取り、書き込み、または、読み取りおよび書き込みが不可能な会員用ＩＣカード３０または非会員用ＩＣカード３１が挿入された場合には、その会員用ＩＣカード３０または非会員用ＩＣカード３１は、カード挿入口２０２から返却される。
【０１５０】
搬送ベルト２０５は、リーダライタ部２０３およびカード貯留部２０４が設けられたカード処理機開壁部２０１ｂの内壁に対向して、カード処理機本体２０１ａに設けられた開口部に配置され、上下２段に設けられている。例えば、搬送ベルト２０５が、下１段にのみ設けられている場合には、カード貯留部２０４に貯留されている非会員用ＩＣカード３１の下部が押さえられるために、非会員用ＩＣカード３１の上部は、カード処理機本体２０５ａの内壁側に偏る。これによって、カード貯留部２０４に貯留すべき非会員用ＩＣカード３１のカード貯留部２０４への移動が妨げられる。しかし、図１５に示すように、上下２段に搬送ベルト２０５を設けることで、カード貯留部２０４に貯留されている非会員用ＩＣカード３１のカード処理機本体２０１ａの内壁側への偏りが抑制されるので、カード貯留部２０４に貯留すべき非会員用ＩＣカード３１のカード貯留部２０４への移動をスムーズに行うことができる。
【０１５１】
また、図１６のカード処理機２００のＡ−Ａ断面図に示すように、搬送ベルト２０５は、回転軸２１１によって伝達された搬送ステップモータ２１２の回転によって動作する。また、上下２段に設けられた搬送ベルト２０５は、同期して動作する。搬送ベルト２０５の動作によって、カード挿入口２０２から挿入された会員用ＩＣカード３０または非会員用ＩＣカード３１は、所定の位置まで搬送される。
【０１５２】
また、図１６に示すカード処理機２００のＢ−Ｂ断面図を図１７に示す。同図に示すように、搬送ベルト２０５は、３種の回転ギヤ２１３ａ、２１３ｂ、２１３ｃで構成された５つの回転ギヤで回転されている。回転ギヤの径は、回転ギヤ２１３ａ、回転ギヤ２１３ｂ、回転ギヤ２１３ｃの順に大きい。また、径が一番小さい回転ギヤ２１３ａは、カード挿入口２０２側に配置され、次に径の大きい回転ギヤ２１３ｂが所定の間隔をおいて配置されている。さらに、径の一番大きい３つの回転ギヤ２１３ｃが、それぞれ所定の間隔をおいて配置されている。
【０１５３】
ここで、搬送ベルト２０５には、突出部２１４が形成され、搬送ベルト２０５が回転したときに、カード処理機開壁部２０１ｂの内壁に接触しないように、カード処理機開壁部２０１ｂの内壁には、突出部２１４が通過できるように凹部２１５が形成されている。突出部２１４の突出高さは、非会員用ＩＣカード３１の厚さよりも若干小さい。
【０１５４】
カード貯留部２０４は、度数残高がゼロになった非会員用ＩＣカード３１を貯留する部分である。また、会員用ＩＣカード３０または非会員用ＩＣカード３１がカード挿入口２０２に挿入されずに、貨幣が台間機に挿入され、遊技終了後に度数残高がある場合には、その度数残高およびＩＤを記憶させて発券するための非会員用ＩＣカード３１がカード貯留部２０４から取り出される。カード貯留部２０４は、カード処理機開壁部２０１ｂのカード通路側の壁に、非会員用ＩＣカード３１の縦横のサイズよりも大きな縦横サイズの凹部を形成することによって構成される。
【０１５５】
図１４に示すように、カード挿入口２０２は、重力方向に対して傾いて形成されている。また、図１６に示すように、カード挿入口２０２の傾きに対応して、カード貯留部２０４の凹部の底面は、その底面の壁部の厚さが重力方向に対して増加するように、重力方向に対して傾いて形成されている。さらに、カード通路も、カード挿入口２０２の傾きに対応して重力方向に対して傾いて形成されている。これによって、会員用ＩＣカード３０または非会員用ＩＣカード３１を搬送する搬送ベルト２０５、回転軸２１１などもカード挿入口２０２の傾きに対応して傾いて設置されている。なお、カード貯留部２０４に貯留されている非会員用ＩＣカード３１の底面を支えるカード貯留部２０４の側壁部の面は、重力方向に対して垂直な面、つまり水平面で構成されている。
【０１５６】
このように、カード貯留部２０４に貯留される非会員用ＩＣカード３１が、その下部をカード処理機本体２０１ａの内壁側に、その上部をカード支持板２１６側に位置させることで、カード排出部２１７に貯留されている非会員用ＩＣカード３１がなだれ落ちるのを防止することができる。
【０１５７】
カード貯留部２０４の凹部には、凹部に一端が固定され、他端がカード支持板２１６に固定されてカード処理機本体２０１ａの方向へ付勢されるばね２１８が設けられている。
そしてばね２１８によって付勢され貯留されたブランク状態の非会員用ＩＣカード３１は、カード搬送ベルト２０６がカード挿入口２０２方向へ駆動するとカード貯留部２０４より取り出し可能となる。
【０１５８】
また、カード貯留部２０４の凹部には、貯留された非会員用ＩＣカード３１が満杯となった際に、自動的にカード回収部３ｇ、４ｇ、６ｇに導く、カード排出部２１７が設けれている。貯留された非会員用ＩＣカード３１が満杯になると、過剰分の非会員用ＩＣカード３１は、カード排出部２１７を通過して、カード排出部２１７の下方に設置されたカード回収部３ｇ、４ｇ、６ｇへ落下して回収される。
【０１５９】
さらに、カード貯留部２０４の凹部の底面およびその底面に対向するカード処理機本体２０１ａの内壁には、貯留カード空検知センサ２１９が設置され、一方が発光部、他方が受光部である。この貯留カード空検知センサ２１９は、カード貯留部２０４に非会員用ＩＣカード３１が貯留されていないことを検知するものである。
【０１６０】
貯留カード空検知センサ２１９には、例えば、光学的センサなどが用いられる。カード貯留部２０４に非会員用ＩＣカード３１が貯留されていない場合には、例えば、貯留カード空検知センサ２１９の発光部から出射された光は、カード支持板２１６に開口された光透過孔２２０を介して貯留カード空検知センサ２１９の受光部に入射する。貯留カード空検知センサ２１９の受光部において、その光が検知されると、例えば、管理装置１３へ台間機３、４、６の台番号とともに、非会員用ＩＣカード３１をカード貯留部２０４に補充指示する旨の情報を出力する。管理装置３７は、その情報を受信すると、例えば、場内放送などによって、その台番号と補充指示を従業員に通知する。
【０１６１】
なお、カード通路は、カード挿入口２０２から奥部にかけて徐々に非会員用ＩＣカード３１の１枚分の厚み分、カード処理機開壁部２０１ｂ方向へなだらかな傾斜を形成している。このためその傾斜に沿って、搬送ベルト２０５が奥部に非会員用ＩＣカード３１を搬送すると、カード貯留部２０４に積層されて貯留された非会員用ＩＣカード３１の端部に、搬送する非会員用ＩＣカード３１の端部が衝突することなく、ばね２１８の弱い付勢力に抗して、非会員用ＩＣカード３１をカード貯留部２０４へ貯留することができる。非会員用ＩＣカード３１より厚い会員用ＩＣカード３０は、この徐々に幅狭に形成された進入通路に詰まる手前で、会員カード侵入防止堤２２１によって進入を妨害される。また、カード通路のカード挿入口３ａの近傍のカード処理機本体２０１ａの内壁に、例えば、ソレノイドなどの機械的手段によって、カード挿入口３ａ、４ａ、６ａを封鎖可能なカード挿入防止手段２２２が備えられている。
【０１６２】
また、カード貯留部２０４の凹部の底面には、電磁石２２３が取り付けられている。また、カード支持板２１６の電磁石２２３と対向する位置には、金属板２２４が取り付けることもできる。なお、金属板２２４を構成する材料には、磁性体が用いられる。ここで、電磁石２２３を作動すると、金属板２２４は、電磁石２２３に引き付けられ、ばね２１８を押圧する方向（図１６では右方向）に移動する。そして、カード貯留部２０４に貯留されている非会員用ＩＣカード３１の一部をカード排出部２１７に導くことができる。
【０１６３】
挿入検知センサ２０８、位置セット検知センサ２０９および落下検知センサ２１０は、例えば、光学的センサで構成される。各検知センサは、２つの対になるセンサで構成され、２つの対になるセンサは、カード通路を挟んで対向するように配置されている。ここで、２つの対になるセンサの一方は発光部、他方は受光部で構成されている。
【０１６４】
次に、カード挿入口２０２から挿入された会員用ＩＣカード３０または非会員用ＩＣカード３１の搬送動作を図１８〜２６を参照して説明する。
【０１６５】
ここで、図１８〜２１および図２４〜２６には、図１６のＢ−Ｂ断面図が示され、図２２および２３には、図１４のＡ−Ａ断面図が示されている。
【０１６６】
挿入検知センサ２０８が、カード挿入口２０２から会員用ＩＣカード３０または非会員用ＩＣカード３１が挿入されたことを検知すると、搬送ステップモータ２１２を駆動し、搬送ベルト２０５を作動させる（図１８）。
【０１６７】
会員用ＩＣカード３０または非会員用ＩＣカード３１は、搬送ベルト２０５によって、リーダライタ部２０３との情報のやり取りを行える位置まで搬送される。ここで、会員用ＩＣカード３０または非会員用ＩＣカード３１は、会員用ＩＣカード３０または非会員用ＩＣカード３１と搬送ベルト２０５との間の摩擦力によってすべることなく搬送される。そして、その情報のやり取りを行える位置に会員用ＩＣカード３０または非会員用ＩＣカード３１が搬送されたことが、位置セット検知センサ２０９によって検知されると、搬送ベルト２０５の動作が停止される（図１９）。
【０１６８】
会員用ＩＣカード３０または非会員用ＩＣカード３１に記録されている、例えばＩＤなどの情報が、リーダライタ部２０３で読み取られる。会員用ＩＣカード３０が用いられた場合には、遊技終了後、台間機３、４、６の返却ボタン３ｄ、４ｄ、６ｄが押されると、最新の情報がリーダライタ部２０３によって会員用ＩＣカード３０に書き込まれ、カード挿入口２０２から返却される。なお、会員用ＩＣカード３０が用いられた場合には、度数残高がゼロでもカード挿入口２０２から返却される（図２０）。
【０１６９】
非会員用ＩＣカード３１が用いられた場合には、遊技終了後、台間機３、４、６の返却ボタン３ｄ、４ｄ、６ｄが押され、度数残高を有すれば、最新の情報が非会員用ＩＣカード３１のＩＤとともに、リーダライタ部２０３で一時記録され、非会員用ＩＣカード３１は、カード挿入口２０２から返却される（図２０）。このリーダライタ部２０３で記録されたＩＤおよび最新の情報は、例えば、台間機３、４、６の制御部３５に出力され、この制御部３５から管理装置１３に出力される。
【０１７０】
一方、度数残高がゼロのときには、搬送ベルト２０５を再度作動し、非会員用ＩＣカード３１は、カード貯留部２０４に対向する位置まで搬送される（図２１）。
【０１７１】
カード貯留部２０４に対向する位置まで搬送するときには、図１９に示すように、カード貯留部２０４に貯留された非会員用ＩＣカード３１は、最大径の３つの回転ギヤ２１３ｃによって、その非会員用ＩＣカード３１の搬送方向奥側のほぼ半分の面が、上下２本の搬送ベルト２０５によって支持されている。このように支持されることによって、貯留された非会員用ＩＣカード３１のカード挿入口２０２側の面と、搬送ベルト２０５との間に、回転ギヤ２１３ｂの径と回転ギヤ２１３ｃの径の差に対応する隙間が形成される。
【０１７２】
搬送される非会員用ＩＣカード３１は、搬送ベルト２０５に搬送されてその隙間に挿入される。そして、非会員用ＩＣカード３１の先端部が、ばね２１８により回転ギヤ２１３ｃの方向に押圧される貯留された非会員用ＩＣカード３１と、搬送ベルト２０５を介して回転ギヤ２１３ｃとが接触する位置に到達すると、搬送ベルト２０５が回動しても搬送する非会員用ＩＣカード３１は搬送ベルト２０５に対し滑ってしまい一旦停止する。そして、移動してきた突出部２１４が非会員用ＩＣカード３１の後端部に当接し押圧して、非会員用ＩＣカード３１を貯留された非会員用カードＩＣ３１と搬送ベルト２０５を介して回転ギヤ２１３ｃとが接触する位置に押し込む。最終的には、突出部２１４は、回動を続けて、カード貯留部２０４に対向する位置となるまで、非会員用ＩＣカード３１を、カード貯留部２０４に貯留される位置とするまで搬送する（図２１）。
【０１７３】
ここで、回転ギヤ２１３ａ、回転ギヤ２１３ｂ、回転ギヤ２１３ｃは、カード処理機本体２０１ａの内壁に対して、それぞれの回転面が直線的に配列されるのが好ましく、これによって、会員用ＩＣカード３０または非会員用ＩＣカード３１をスムーズに搬送することができる。また、回転ギヤ２１３ａ、２１３ｂ、２１３ｃと搬送ベルト２０５が滑らないようにするため搬送ベルト２０５はタイミングベルトであることが好ましい。
【０１７４】
一方、カード貯留部２０４への非会員用ＩＣカード３１の貯留量が増加すると、ばね２１８は、カード貯留部２０４の凹部の底面側に縮められ、貯留されている非会員用ＩＣカード３１もカード貯留部２０４の凹部の底面側に移動する（図２２）。
【０１７５】
そして、カード貯留部２０４に貯留された非会員用ＩＣカード３１が所定量を超えると、貯留された非会員用ＩＣカード３１のカード支持板２１６側の非会員用ＩＣカード３１がカード排出部２１７の開口部に達し、重力によりカード排出部２１７を落下し、カード回収部３ｇ、４ｇ、６ｇに回収される（図２３）。このときに、電磁石２２３を作動し、金属板２２４を電磁石２２３に引き付け、非会員用ＩＣカード３１に対するばね２１８の押圧力を緩和してもよい。
【０１７６】
次に、会員用ＩＣカード３０または非会員用ＩＣカード３１がカード挿入口２０２に挿入されずに、貨幣が貯留機構付き紙幣識別装置１９に挿入された場合について説明する。
【０１７７】
会員用ＩＣカード３０または非会員用ＩＣカード３１がカード挿入口２０２に挿入されずに、貨幣が貯留機構付き紙幣識別装置１９に挿入されると、搬送ベルト２０５は、カード挿入口２０２から会員用ＩＣカード３０または非会員用ＩＣカード３１を搬送路に導く場合の回転とは逆に回転させられる（図２４）。
【０１７８】
そして、搬送ベルト２０５の突出部２１４によって、カード貯留部２０４の開口側に貯留されている非会員用ＩＣカード３１をカード挿入口２０２側に押圧する。このとき突出部２１４に押圧された非会員用ＩＣカード３１は、カード貯留部２０４の開口部の一端に形成されたＲ部２２５によって、スムーズに搬送路に導かれる（図２５）。ここで、突出部２１４の突出高さは、非会員用ＩＣカード３１の厚さよりも若干小さくされているので、突出部２１４が、複数の非会員用ＩＣカード３１を押圧することはない。
【０１７９】
そして、非会員用ＩＣカード３１が、リーダライタ部２０３との情報のやり取りを行える位置まで搬送される（図２６）。
【０１８０】
遊技終了後、台間機３、４、６の返却ボタン３ｄ、４ｄ、６ｄが押され、度数残高を有すれば、最新の情報がリーダライタ部２０３によって非会員用ＩＣカード３１に書き込まれ、カード挿入口２０２から発行される（図２０）。
【０１８１】
一方、度数残高がゼロのときには、搬送ベルト２０５を再度作動し、非会員用ＩＣカード３１は、カード貯留部２０４に対向する位置まで搬送される（図２１）。そして、再度、非会員用ＩＣカード３１は、カード貯留部２０４に貯留される。
【０１８２】
なお、ここでは、会員用ＩＣカード３０または非会員用ＩＣカード３１がカード挿入口２０２に挿入されずに、貨幣が貯留機構付き紙幣識別装置１９に挿入された場合に、貨幣が貯留機構付き紙幣識別装置１９に挿入されたのち直ちに、カード貯留部２０４から非会員用ＩＣカード３１が取り出される例を示したが、カード貯留部２０４からの非会員用ＩＣカード３１の取り出しは、遊技終了後、台間機３、４、６の返却ボタン３ｄ、４ｄ、６ｄが押され、度数残高を有することが確認されてから行われてもよい。
【０１８３】
（台間機３、４、６の動作）
次に、上述したカード処理機２００を備える台間機３、４、６の動作について、図２７〜３１を参照して説明する。
【０１８４】
各台間機３、４、６における基本的な動作は同じであるので、ここでは、一例として台間機３（ユニット）における動作について説明する。図２７は、台間機３の構成部を示す図、図２８〜３１は、台間機３における動作の流れを示す図である。
【０１８５】
また、ここでは、会員用ＩＣカード３０または非会員用ＩＣカード３１は、ＩＤだけを有し、その他の情報は管理装置１３において管理されるシステムにおける動作の説明をする。さらに、この説明では、会員用ＩＣカード３０を利用する場合には、再プレー受付機１２で再プレー受付された後においては、再プレーＦＬＧが１、再プレーに利用可能な玉数を再プレー用貯玉数として管理装置１３が有しているシステムであることを前提とする。
【０１８６】
図２７に示すように、台間機３は、制御部３００、カード処理部３０１、カード貯留処理部３０２、カード位置検知部３０３、選択ボタン検知部３０４、貨幣識別部３０５から構成されている。
【０１８７】
制御部３００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて、例えば、消費税の算出などの各種の演算処理を実行する。この制御部３００では、カード処理部３０１、カード貯留処理部３０２、カード位置検知部３０３、選択ボタン検知部３０４、貨幣識別部３０５の各機部間の信号の出入力、および、島コンピュータ７、ネットワーク８を介して管理装置１３との間の信号の出入力を制御している。ここで、島コンピュータ７は、パチンコ機２、スロットマシン機５および台間機３、４、６と、ネットワーク８との間の情報の通信を行うもので、データロガなどで構成されている。
【０１８８】
カード処理部３０１は、カード挿入口３ａから挿入された会員用ＩＣカード３０または非会員用ＩＣカード３１に記録された、例えば、ＩＤやそのＩＤで管理されている有価情報などの読み取り、その読み取った情報の制御部３００への出力、制御部３００からの更新された有価情報などの会員用ＩＣカード３０または非会員用ＩＣカード３１への書き込みなどを行うもので、例えば、リーダライタなどで構成される。また、カード処理部３０１は、非会員用ＩＣカード３１を発行する場合に、非会員用ＩＣカード３１にＩＤなどを記録する。さらに、カード処理部３０１は、搬送ベルト２０５などによるカード搬送手段を有し、カード搬送手段は、例えば、カード挿入口３ａから挿入された会員用ＩＣカード３０または非会員用ＩＣカード３１をリーダライタ部２０３と通信可能な位置に移動することなどを行う。
【０１８９】
カード貯留処理部３０２は、非会員用ＩＣカード３１のカード貯留部２０４への貯留、カード貯留部２０４からの取り出しまたはカード回収部３ｇ、４ｇ、６ｇへの搬送を行うもので、カード取込上部およびカード取込下部などで構成される。また、カード貯留処理部３０２は、カード貯留部２０４が貯留できる非会員用ＩＣカード３１の貯留限界量に達したか否かを判定する機能も有するものである。
【０１９０】
カード位置検知部３０３は、会員用ＩＣカード３０または非会員用ＩＣカード３１の搬送が、適切に行われたか否かを検知するもので、前述した、挿入検知センサ２０８、位置セット検知センサ２０９、落下検知センサ２１０などで構成される。
【０１９１】
選択ボタン検知部３０４は、貸玉ボタン３ｂ、再プレー用貸玉ボタン３ｃ、返却ボタン３ｄが押されたことを検知し、その押された信号に基づいて、制御部３００に信号を出力するものである。
【０１９２】
貨幣識別部３０５は、貯留機構付き紙幣識別装置１９からの信号に基づき４種類の紙幣を識別し、識別した紙幣の情報を制御部３００に出力するものである。ここでは、貨幣識別部３０５は、台間機３に一体的に構成されている。
【０１９３】
そして、制御部３００によって制御される、カード処理部３０１、カード貯留処理部３０２、カード位置検知部３０３、選択ボタン検知部３０４、貨幣識別部３０５の各機器部は、次のように動作する（図２８〜３１）。
【０１９４】
以下に、図２８〜３１を参照してその動作を説明する。
カード処理部３０１は、カード挿入口３ａからの会員用ＩＣカード３０または非会員用ＩＣカード３１の挿入を待機しており、会員用ＩＣカード３０または非会員用ＩＣカード３１の挿入を検知すると、それに応じた処理を実行する。また、貨幣識別部３０５は、紙幣挿入口３ｊからの紙幣の挿入を待機しており、紙幣の挿入を検知すると、それに応じた処理を実行する。
【０１９５】
貨幣識別部３０５は、紙幣の受け入れがされたか否かを判定する（ステップＳ３１０）。
ステップＳ３１０の判定で、Ｙｅｓの場合、貨幣識別部３０５は、その情報を制御部３００に出力し、制御部３００は、紙幣挿入口３ｊの近傍に設けられた入金可ランプ（図示しない）を消灯させ、それ以上の入金を禁止することを遊技者に示す（ステップＳ３１１）。
【０１９６】
続いて、制御部３００は、例えば、カード挿入防止手段２２２を作動させ、カード挿入口３ａから会員用ＩＣカード３０または非会員用ＩＣカード３１が挿入されるのを防止する（ステップＳ３１２）。
【０１９７】
続いて、貨幣識別部３０５は、紙幣の入金額に対応する情報を制御部３００に出力する。カード処理部３０１またはカード位置検知部３０３は常に会員用ＩＣカード３０または非会員用ＩＣカード３１が挿入されたか否かを判定している。そして、カード処理部３０１またはカード位置検知部３０３によって、会員用ＩＣカード３０または非会員用ＩＣカード３１がカード処理部３０１に挿入されていることが判定された場合、カード処理部３０１で会員用ＩＣカード３０または非会員用ＩＣカード３１のＩＤが読み取られる。制御部３００に出力される。制御部３００は、貨幣識別部３０５からの紙幣の入金額に対応する度数とカード処理部３０１からのＩＤの情報を島コンピュータ７、ネットワーク８を介して管理装置１３に送信する（ステップＳ３１３）。管理装置１３に送信された情報は、管理装置１３に記録される（ステップＳ３１３）。ここで挿入された会員用ＩＣカード３０または非会員用ＩＣカード３１が読み取りまたは書き込みが不可能な場合は、カード処理部３０１は、会員用ＩＣカード３０または非会員用ＩＣカード３１を返却する。
【０１９８】
また、制御部３００は、カード処理部３０１からの入金額に対応する度数の情報に基づいて、次に示す式（６）、（７）によって入金額に対応する度数（Ｄ１）を使用可能度数（Ｅ１）と預り消費税度数（Ｆ１）とに区分する（ステップＳ３１３）。
Ｆ１  ＝  Ｄ１  ×  Ｇ１  ／  （１  ＋  Ｇ１）  …式（６）
Ｅ１  ＝  Ｄ１  −  Ｆ１  …式（７）
ここで、Ｇ１は、消費税率を示す。
【０１９９】
この使用可能度数（Ｅ１）および預り消費税度数（Ｆ１）は、制御部３００からＩＤとともに管理装置１３に出力され、管理装置１３においてＩＤ毎に記録される（ステップＳ３１３）。
【０２００】
なお、このステップＳ３１３において、預り消費税は、現在の度数残高に対し所定の税率で所持されることが望ましく、入金額に対応する度数（Ｄ１）に対し実際に徴収される預り消費税（ＦＦ１）とし、その入金に対応して新たに設定される度数（ＥＥ１）とすることもできる。これらの預り消費税（ＦＦ１）および入金に対応して新たに設定される度数（ＥＥ１）は、次の式（６ａ）、式（７ａ）によって算出される。
ＦＦ１  ＝  Ｆ１  −  ＺＺ１  …式（６ａ）
ＥＥ１  ＝  Ｄ１  −  ＦＦ１  ＋  ＺＺ２  …式（７ａ）
ここで、ＺＺ１は、預り消費税残高、ＺＺ２は、度数残高を示す。
【０２０１】
預り消費税残高（ＺＺ１）、度数残高  （ＺＺ２）はＩＤ情報によって管理装置１３より受信される。この場合、例えば、現在の度数残高が１００度数（１万円分）とすると消費税率５％の場合、５００円が預り消費税として所持されるようにする。つまり、外税であれば、現在度数残高が「０」かつ預り消費税が「５」であり、新たな入金が１万円あった場合、預り消費税は新たに徴収しない。内税であれば、現在度数残高が「０」かつ預り消費税が「２」であり、新たな入金が１万円であった場合、新たに徴収する預り消費税は本来、４７６円分の度数である４．７６であるが、預り消費税が「２」であるので、差し引き２．７６度数を預り消費税とし、１００度数から２．７６度数を減じた度数を新たな度数として設定するようにしてもよい。このようにすることで必要以上の預り消費税の徴収が避けられる。
【０２０２】
一方、カード処理部３０１またはカード位置検知部３０３によって、会員用ＩＣカード３０または非会員用ＩＣカード３１がカード処理部３０１に挿入されていないと判定された場合、前述した非会員用ＩＣカード３１のカード貯留部２０４からの取出動作（図２４〜２６）で説明したように、カード貯留処理部３０２によって、カード貯留部２０４から非会員用ＩＣカード３１が取り出される。そして、取り出された非会員用ＩＣカード３１は、カード処理部３０１に搬送される（ステップＳ３１４）。
【０２０３】
そして、カード処理部３０１に搬送された非会員用ＩＣカード３１は、カード処理部３０１によってＩＤが与えられる（ステップＳ３１４）。制御部３００は、そのＩＤ、紙幣の入金額に対応する度数、式（６）、（７）によって算出された使用可能度数（Ｅ１）および預り消費税度数（Ｆ１）を管理装置１３に出力する。管理装置１３は、その情報をＩＤに基づいて記録する（ステップＳ３１４）。
【０２０４】
次いで、制御部３００は、入金処理が完了したか否かを貨幣識別部３０５からの信号に基づいて判定する（ステップＳ３１５）。
【０２０５】
ステップＳ３１５の判定で、入金処理が完了を判定された場合には、制御部３００は、表示部３ｅに、入金額に対応する度数、使用可能度数（Ｅ１）などを表示するための表示情報を出力する。表示部３ｅは、その表示情報に基づいて入金額に対応する度数、使用可能度数（Ｅ１）を、例えば、ＬＥＤなどを発光させて表示する（ステップＳ３１６）。
【０２０６】
入金処理の完了は、非会員用ＩＣカード３１のＩＤに基づいて、度数などが制御部３００に適正に記録されたか確認（ベリファイ）することでなされ、それが確認できるまで制御部３００は待機状態となる（ステップＳ３１９）。
【０２０７】
続いて、制御部３００の入金履歴がクリアされる（ステップＳ３１７）。さらに、制御部３００は、紙幣挿入口３ｊの近傍に設けられた入金可ランプ（図示しない）を点灯させ、入金が可能であることを遊技者に示す（ステップＳ３１８）。
【０２０８】
続いて、制御部３００は、例えば、カード挿入防止手段２２２を作動させ、カード挿入口３ａから会員用ＩＣカード３０または非会員用ＩＣカード３１が挿入可能にする（ステップＳ３１９）。そして、リターンし、スタートに戻る。
【０２０９】
ステップＳ３１０の判定で、貨幣識別部３０５が紙幣を受け入れていないと判定した場合（ステップＳ３１０のＮｏ）の場合には、貨幣識別部３０５は、その情報を制御部３００に出力する。続いて、挿入検知センサ２０８、位置セット検知センサ２０９などのカード位置検知部３０３によって、会員用ＩＣカード３０または非会員用ＩＣカード３１が挿入されているか否かが判定される（ステップＳ３２０）
【０２１０】
カード位置検知部３０３において、会員用ＩＣカード３０または非会員用ＩＣカード３１が挿入されていないと判定された場合（ステップＳ３２０のＮｏ）には、カード位置検知部３０３は、その情報を制御部３００に出力する。制御部３００は、貯留用の非会員用ＩＣカード３１の補充要求に関する情報を管理装置１３に出力し、管理装置３７は、その情報を受信すると、例えば、場内放送などによって、その台番号と補充指示を従業員に通知する（ステップＳ３２１）。
【０２１１】
続いて、制御部３００は、紙幣挿入口３ｊの近傍に設けられた入金可ランプ（図示しない）を点灯させ、入金が可能であることを遊技者に示す（ステップＳ３２２）。
【０２１２】
続いて、制御部３００は、例えば、カード挿入防止手段２２２を作動させ、カード挿入口３ａから会員用ＩＣカード３０または非会員用ＩＣカード３１が挿入可能にする（ステップＳ３２３）。そして、リターンし、スタートに戻る。
【０２１３】
一方、カード位置検知部３０３において、会員用ＩＣカード３０または非会員用ＩＣカード３１が挿入されていると判定された場合（ステップＳ３２０のＹｅｓ）には、カード位置検知部３０３は、その情報を制御部３００に出力する。
【０２１４】
制御部３００は、その情報に基づいて、挿入された会員用ＩＣカード３０または非会員用ＩＣカード３１をリーダライタ部２０３に移動させるための情報をカード処理部３０１に出力する。そして、カード処理部３０１のカード搬送手段である搬送ベルト２０５が駆動され、挿入された会員用ＩＣカード３０または非会員用ＩＣカード３１は、リーダライタ部２０３と通信可能な所定の位置に移動される（ステップＳ３２４）。
【０２１５】
続いて、制御部３００は、例えば、カード挿入防止手段２２２を作動させ、カード挿入口３ａから会員用ＩＣカード３０または非会員用ＩＣカード３１が挿入されるのを防止する（ステップＳ３２５）。
【０２１６】
続いて、カード処理部３０１によって、会員用ＩＣカード３０または非会員用ＩＣカード３１の情報の読み取りおよび／または書き込みが可能か否かが判定される（ステップＳ３２６）。
【０２１７】
ステップＳ３２６の判定で、Ｎｏの場合には、カード処理部３０１は、その情報を制御部３００に出力する。制御部３００は、情報の読み取りまたは書き込みが不可能な不良のカードを返却させる情報をカード処理部３０１に出力し、搬送ベルト２０５を駆動し、不良のカードをカード挿入口３ａから返却する（ステップＳ３２７）。
【０２１８】
続いて、制御部３００は、表示部３ｅに、挿入されたカードが読み取りおよび／または書き込みができない不良カードであることを表示するための表示情報を出力し、表示部３ｅでは、その情報に基づいて、例えば、「エラーコード○○○」、「不良カード」、「読み取りおよび／または書き込み不可能」などの表示をする（ステップＳ３２８）。また、制御部３００は、島コンピュータ７、ネットワーク８を介して管理装置１３に、これらのエラー情報を出力する。さらに、制御部３００は、状態表示ランプ３ｆにエラー発生中を示す赤点滅表示させる（ステップＳ３２９）。また、ブザー、場内放送などでエラーが発生したことを報知することも可能である。
【０２１９】
さらに、制御部３００は、紙幣挿入口３ｊの近傍に設けられた入金可ランプ（図示しない）を消灯させ、それ以上の入金を禁止することを遊技者に示す（ステップＳ３３０）。
【０２２０】
続いて、制御部３００は、例えば、カード挿入防止手段２２２を作動させ、カード挿入口３ａから会員用ＩＣカード３０または非会員用ＩＣカード３１が挿入されるのを防止する（ステップＳ３３１）。
【０２２１】
ここで、カード搬送不良の原因となるカードが取り除かれるなどエラーが解除されるまで待機したのち（ステップＳ３３２のＹｅｓ）、エラーが解除された場合（ステップＳ３３２のＮｏ）には、エラー履歴がクリアされ（ステップＳ３３３）、ステップＳ３１８へ進む。
【０２２２】
一方、ステップＳ３２６の判定で、会員用ＩＣカード３０または非会員用ＩＣカード３１の情報の読み取りおよび／または書き込みが可能であると判定された場合（ステップＳ３２６のＹｅｓ）には、制御部３００は、カード搬送部３０６からの情報に基づいて搬送不良などのその他の不良がないか否かを判定する（ステップＳ３３４）。
【０２２３】
ステップＳ３２６の判定で、その他の不良があると判定された場合（ステップＳ３３４のＹｅｓ）には、制御部３００は、カードを返却させる情報をカード処理部３０１に出力し、搬送ベルト２０５を駆動し、不良のカードをカード挿入口３ａから返却する（ステップＳ３２７）。
【０２２４】
続いて、制御部３００は、表示部３ｅに、搬送エラーなどの他のエラー情報を表示するための表示情報を出力し、表示部３ｅでは、その情報に基づいて、例えば、「エラーコード○○○」、「搬送エラー」などの表示をする（ステップＳ３２８）。また、制御部３００は、島コンピュータ７、ネットワーク８を介して管理装置１３に、これらのエラー情報を出力する。さらに、制御部３００は、状態表示ランプ３ｆにエラー発生中を示す赤点滅表示させる（ステップＳ３２９）。また、ブザー、場内放送などでエラーが発生したことを報知することも可能である。
【０２２５】
さらに、制御部３００は、紙幣挿入口３ｊの近傍に設けられた入金可ランプ（図示しない）を消灯させ、それ以上の入金を禁止することを遊技者に示す（ステップＳ３３０）。
【０２２６】
続いて、制御部３００は、例えば、カード挿入防止手段２２２を作動させ、カード挿入口３ａから会員用ＩＣカード３０または非会員用ＩＣカード３１が挿入されるのを防止する（ステップＳ３３１）。
【０２２７】
ここで、カード搬送不良の原因となるカードが取り除かれるなどエラーが解除されるまで待機したのち（ステップＳ３３２のＹｅｓ）、エラーが解除された場合（ステップＳ３３２のＮｏ）には、エラー履歴がクリアされ（ステップＳ３３３）、ステップＳ３１８へ進む。
【０２２８】
ステップＳ３２６の判定と、その他の不良がないと判定された場合（ステップＳ３３４のＮｏ）には、制御部３００は、状態表示ランプ３ｆに正常動作中を示す緑色点灯表示させる（ステップＳ３３５）。
【０２２９】
さらに、制御部３００は、紙幣挿入口３ｊの近傍に設けられた入金可ランプ（図示しない）を点灯させ、入金可能であることを遊技者に示す（ステップＳ３３６）。
【０２３０】
続いて、制御部３００は、カード処理部３０１の情報に基づいて、カード挿入口３ａから会員用ＩＣカード３０または非会員用ＩＣカード３１が、台間機３に挿入されるのが初回か否かを判定する（ステップＳ３３７）。
【０２３１】
ステップＳ３３７の判定で、挿入されるのが初回であると判定された場合（ステップＳ３３７のＹｅｓ）には、制御部３００は、制御部３００に記録された情報に基づいて、消費税処理するか否かが判定する（ステップＳ３３８）。
【０２３２】
ステップＳ３３８の判定で、消費税処理すると判定された場合（ステップＳ３３８のＹｅｓ：管理装置１３にこのカード挿入時に預り消費税と遊技用の度数に区分する動作モードが設定されている場合）には、制御部３００は、カード処理部３０１からの入金額に対応する度数の情報に基づいて、上述した式（６）及び（７）によって入金額に対応する度数（Ｄ１）を使用可能度数（Ｅ１）と預り消費税度数（Ｆ１）とに区分し、表示部３ｅに使用可能度数（Ｅ１）と預り消費税度数（Ｆ１）を１０秒間２秒毎に交互に表示する（ステップＳ３３９）。この交互表示にあわせて「消費税」「度数」の文字が表示部３ｅに表示される（ステップＳ３３９）１０秒後からは使用可能度数のみとなり「度数」の文字のみが継続的に表示されることになる。そして、この使用可能度数（Ｅ１）および預り消費税度数（Ｆ１）は、制御部３００からＩＤとともに管理装置１３に出力され、管理装置１３においてＩＤ毎に記録される（ステップＳ３３９）。
【０２３３】
続いて、選択ボタン検知部３０４で、遊技者が貸玉ボタン３ｂを選択することに基づく貸玉要求信号が入力されたか否かが判定される（ステップＳ３５０）。ステップＳ３５０の判定がＹｅｓの場合には、選択ボタン検知部３０４は、その情報を制御部３００に出力し、制御部３００は、使用可能度数を表示するための情報を表示部３ｅに出力する。表示部３ｅでは、その情報に基づいて、貸玉して消費した度数を差し引いた残りの使用可能度数を表示する（ステップＳ３５１）。
【０２３４】
また、制御部３００は、詳細は後述するが、貸玉要求信号に基づいて、貸し出される遊技媒体に対する消費税処理を行う（ステップＳ３５２）。
【０２３５】
また、制御部３００では、会員用ＩＣカード３０または非会員用ＩＣカード３１のＩＤと、預り消費税、減算された度数残高を管理装置１３へ送信する。管理装置１３は、これらの情報をＩＤ毎に書き込む。（ステップＳ３５３）。
【０２３６】
さらに、会員用ＩＣカード３０が利用されている場合には、管理装置１３では、貸玉要求信号に相当する度数に応じて付与されるポイントをＩＤに基づいて加算する（ステップＳ３５４）。
【０２３７】
ステップＳ３５０の判定がＮｏの場合には、選択ボタン検知部３０４で、遊技者が再プレー用貸玉ボタン３ｃを選択することに基づく再プレー用貸玉要求信号が入力されたか否かが判定される（ステップＳ３５５）。
【０２３８】
ステップＳ３５５の判定がＹｅｓの場合には、再プレー用貸玉要求信号がＩＤに基づいて、制御部３００から管理装置１３に送信される。管理装置１３は、ＩＤに基づいて管理されている再プレーＦＬＧの値を制御部３００に出力する。制御部３００では、管理装置１３からの再プレーＦＬＧの値を判定する（ステップＳ３５６）。再プレー受付機１２で受付されたときには、管理装置１３内の記録値である再プレーＦＬＧが１となり、受付されていないときには、再プレーＦＬＧが０となっている。
【０２３９】
ステップＳ３５６の判定において、再プレーＦＬＧが１であることが制御部３００によって判定された場合、制御部３００は、再プレー可能貯玉数に対応する度数を表示するための情報を表示部３ｅに出力する。表示部３ｅでは、その情報に基づいて再プレー可能貯玉数に対応する度数を表示する（ステップＳ３５７）。
【０２４０】
また、制御部３００は、再プレー用貸玉要求信号をパチンコ機２の制御部に出力する（ステップＳ３５８）。パチンコ機２の制御部は、パチンコ機２から所定数のパチンコ玉の貸し出しを行わせる（ステップＳ３５８）。また、制御部３００は、再プレー用貸玉要求信号に相当する玉数の情報を管理装置１３に出力する。そして、管理装置１３では、再プレー用貯玉数から再プレー用貸玉要求信号に相当する玉数が減算され、減算後の再プレー用貯玉数がＩＤ毎に書き込まれる（ステップＳ３５８）。なお、ここで再プレーによる貸玉時には消費税は徴収されない。消費税の徴収は度数を消費しての貸玉した際すでに徴収済みであり、その貸玉で得た再プレー用の貯玉数に対し再び徴収すると二重徴収となる。
【０２４１】
一方、ステップＳ３５６の判定において、再プレーＦＬＧが０であることが制御部３００によって判定された場合、パチンコ玉の貸し出しは行われず、ステップＳ３６１へ進む。このときには、例えば、制御部３００は、表示部３ｅに「再プレーできません。」などの表示をさせることもできる。また、ステップＳ３５５でＮｏと判定されると、ステップＳ３５９に進む。
【０２４２】
続いて、制御部３００は、管理装置１３から再プレー用貯玉数の情報を受信し、その情報に基づいて再プレー用貯玉数が０か否かを判定する（ステップＳ３５９）。
【０２４３】
ステップＳ３５９の判定において、Ｙｅｓの場合には、制御部３００は、再プレーＦＬＧの数値を０に書き換える情報を管理装置１３に出力する（ステップＳ３６０）。そして、管理装置１３では、ＩＤに基づいて再プレーＦＬＧの数値が０に書き換える（ステップＳ３６０）。
【０２４４】
ステップＳ３５９の判定において、Ｎｏの場合には、選択ボタン検知部３０４で、返却ボタン３ｄを選択することに基づく返却要求信号が入力されたか否かが判定される（ステップＳ３７０）。
【０２４５】
ステップＳ３７０の判定で、返却要求信号が入力された場合（ステップＳ３７０のＹｅｓ）には、選択ボタン検知部３０４は、その情報を制御部３００に出力する。そして、制御部３００は、制御部３００に記録された次に示す度数化モード情報（I）〜（IV）のいずれか１つの情報を読み取る（ステップＳ３７１）。
（I）預り消費税度数分をカード返却時に使用可能度数と合算する度数化モード情報（特に、会員用ＩＣカード３０が使用される場合に適用）
（II）預り消費税度数に対応した分（例えば、パチンコ玉であれば１度数２５個）の遊技媒体を返却する度数化モード情報
（III）預り消費税度数分をカード返却時に使用可能度数と合算し、度数として小数点以下の度数を有した場合に、その小数点以下の度数に対応した分の遊技媒体を返却する（例えば、小数点以下の度数が０．４であった場合には、パチンコ玉であれば１０個）度数化モード情報
（IV）預り消費税度数に対応した度数を記録した預り証を発行する（例えば、台間機３のカード貯留部２０４に貯留された非会員用ＩＣカード３１に記録して発行）度数化モード情報
【０２４６】
続いて、制御部３００は、ステップＳ３７１において読み取った情報に基づいて、度数化モード情報（I）〜（IV）のいずれか１つに対応する処理を行うための情報をカード処理部３０１、カード貯留処理部３０２、カード搬送部３０６、パチンコ機の制御部などに出力し、度数化モード情報（I）〜（IV）のいずれか１つに対応する処理を行わせる（ステップＳ３７２）。
【０２４７】
続いて、カード処理部３０１またはカード位置検知部３０３が、非会員用ＩＣカード３１があるか否かを判定する（ステップＳ３７３）。
【０２４８】
ステップＳ３７３の判定において、Ｎｏの場合には、カード処理部３０１またはカード位置検知部３０３は、その情報を制御部３００に出力する。制御部３００は、カード処理部３０１に、カード挿入口３ａより会員用ＩＣカード３０を返却する情報を出力する。カード処理部３０１は、その情報に基づいて会員用ＩＣカード３０を返却する（ステップＳ３７４）。
【０２４９】
一方、ステップＳ３７３における判定で、Ｙｅｓの場合には、カード処理部３０１またはカード位置検知部３０３は、その情報を制御部３００に出力する。続いて、カード処理部３０１は、非会員用ＩＣカード３１に度数残高があるか否かを判定する（ステップＳ３７５）。
【０２５０】
ステップＳ３７５の判定において、Ｙｅｓの場合には、カード処理部３０１は、その情報を制御部３００に出力する。制御部３００は、カード処理部３０１に、カード挿入口３ａより非会員用ＩＣカード３１を返却する情報を出力する。そして、カード処理部３０１は、その情報に基づいて非会員用ＩＣカード３１を返却する（ステップＳ３７６）。
【０２５１】
ステップＳ３７５の判定において、Ｎｏの場合には、カード処理部３０１は、その情報を制御部３００に出力する。続いて、カード貯留処理部３０２は、カード貯留部２０４が貯留量が限界か否かを判定する（ステップＳ３３７）。
【０２５２】
ステップＳ３３７の判定において、Ｙｅｓの場合には、カード貯留処理部３０２は、その情報を制御部３００に出力する。制御部３００は、前述した非会員用ＩＣカード３１のカード排出部２１７への誘導動作を行わせる情報をカード貯留処理部３０２に出力する。そして、カード貯留処理部３０２は、非会員用ＩＣカード３１をカード回収部３ｇへ搬送する（ステップＳ３７８）。
【０２５３】
ステップＳ３３７の判定において、Ｎｏの場合には、カード貯留処理部３０２は、その情報を制御部３００に出力する。制御部３００は、前述した非会員用ＩＣカード３１のカード貯留部２０４への貯留動作を行わせる情報をカード貯留処理部３０２に出力する。そして、カード貯留処理部３０２は、非会員用ＩＣカード３１をカード貯留部２０４に貯留する（ステップＳ３７９）。
【０２５４】
さらに、制御部３００は、例えば、カード挿入防止手段２２２を作動させ、カード挿入口３ａから会員用ＩＣカード３０または非会員用ＩＣカード３１が挿入できるようにする（ステップＳ３８０）。また、制御部３００は、返却ボタンのＯＮ履歴をクリアする（ステップＳ３８１）。
【０２５５】
一方、ステップＳ３７０の判定において、返却要求信号が入力された場合（ステップＳ３７０のＮｏ）には、選択ボタン検知部３０４は、その情報を制御部３００に出力する。そして、カード処理部３０１またはカード位置検知部３０３は、会員用ＩＣカード３０が挿入されているか否かを判定する（ステップＳ３８２）。
【０２５６】
ステップＳ３８２の判定で、Ｙｅｓの場合には、カード処理部３０１またはカード位置検知部３０３は、その情報を制御部３００に出力する。そして、制御部３００は、状態表示ランプ３ｆに青色を点灯させ（ステップＳ３８３）、ソレノイドでカード挿入口３ａを封鎖させる（ステップＳ３８４）。
【０２５７】
一方、ステップＳ３８２の判定において、Ｎｏの場合には、カード処理部３０１またはカード位置検知部３０３は、その情報を制御部３００に出力する。
【０２５８】
続いて、カード処理部３０１またはカード位置検知部３０３は、非会員用ＩＣカード３１が挿入されているか否かを判定する（ステップＳ３８５）。
【０２５９】
ステップＳ３８５の判定において、Ｙｅｓの場合には、カード処理部３０１またはカード位置検知部３０３は、その情報を制御部３００に出力する。そして、制御部３００は、状態表示ランプ３ｆに赤色を点灯させ（ステップＳ３８６）、ソレノイドでカード挿入口３ａを封鎖させる（ステップＳ３８４）。ステップＳ３８５の判定において、Ｎｏの場合には、リターンしてスタートに戻る。
【０２６０】
ここで、上記した台間機３の各機器部の動作には、次に示すような動作も導入することができる。
【０２６１】
例えば、台間機３において遊技媒体の貸し出しに対応する消費税を徴収しない場合には、その貸し出しに対応する未収用消費税の情報は、会員用ＩＣカード３０または非会員用ＩＣカード３１の返却時に、会員用ＩＣカード３０または非会員用ＩＣカード３１のＩＤに基づいて制御部３００から管理装置１３に出力され、管理装置１３でＩＤ毎に管理される。
【０２６２】
また、台間機３において遊技媒体の貸し出しに対応する消費税を徴収しない場合で、非会員用ＩＣカード３１の度数がなくなり回収されたときには、その貸し出しに対応する未収用消費税の情報を、貯留された非会員用ＩＣカード３１に記録し、未収用消費税記録カードとして発行してもよい。また、非会員用ＩＣカード３１を有せず、現金を台間機３に挿入することで遊技し、度数残高を有して遊技を終了するときには、発行される非会員用ＩＣカード３１のＩＤに基づいて度数残高情報に加えて、未収用消費税の情報を制御部３００から管理装置１３に出力し、管理装置１３でＩＤ毎に管理することもできる。さらに、非会員用ＩＣカード３１を有せず、現金を台間機３に挿入することで遊技し、その現金に対する度数がなくなったときには、貯留されている非会員用ＩＣカード３１に未収用消費税の情報を記録し、未収用消費税記録カードとして発行することもできる。
【０２６３】
また、非会員用ＩＣカード３１が遊技中に度数残高がなくなっため回収された場合において、区分された預り消費税に対応する度数が残っているときには、貯留された非会員用ＩＣカード３１にその預り消費税に対応する度数残高を記録し、預り消費税記録カードとして発行することもできる。
【０２６４】
（消費税処理の動作）
次に、上記した台間機３の動作におけるステップＳ３５２の消費税処理の動作について、図３１を参照して説明する。
【０２６５】
選択ボタン検知部３０４は、所定の設定スイッチにおいて貸玉回数の設定値に基づく信号を検知すると、その情報を制御部３００に出力する。そして、制御部３００は、その貸玉回数の設定値に基づく情報を記録する（ステップＳ４００）。この貸玉回数の設定値とは、入金に最小単位に対してパチンコ玉であれば１回２５玉を何回貸し出すかの設定を行うもので、例えば、通常、最低入金額は５００円であるので、その最低入金額に対して５回と設定すれば、５回（１２５玉）の貸し出しを行う。なお、この最低入金額、貸玉回数は適宜に設定することができる。ここでは、基本的に１回の貸し出しで５回の貸玉（１回２５玉）を行うものとする。
【０２６６】
続いて、制御部３００は、貸し出し１回分に対応する使用可能度数（Ｅ１）および預り消費税度数（Ｆ１）があるか否かが判定する（ステップＳ４０１）。
【０２６７】
ステップＳ４０１の判定で、Ｎｏの場合には、制御部３００は、最低貸玉回数（１回）に対応する使用可能度数（Ｅ１）および預り消費税度数（Ｆ１）があるか否かが判定する（ステップＳ４０２）。
ステップＳ４０２の判定で、Ｙｅｓの場合には、図３０に示したステップＳ３７１の動作に進む。
【０２６８】
一方、ステップＳ４０２の判定で、Ｎｏの場合には、現在設定されている貸玉回数の設定値から１を減じて、１回の貸し出しにおける貸玉回数を４回とする（ステップＳ４０３）。そして、制御部３００は、再度、貸し出し１回分に対応する使用可能度数（Ｅ１）および預り消費税度数（Ｆ１）があるか否かが判定する（ステップＳ４０１）。このステップＳ４０３の工程を経て、ステップＳ４０１の判定を行う場合には、貸し出し１回分の貸玉回数の設定値は、ステップＳ４０３において設定された設定値を用いて判定される。
【０２６９】
一方、ステップＳ４０１の判定で、制御部３００が、貸し出し１回分に対応する使用可能度数（Ｅ１）および預り消費税度数（Ｆ１）があると判定した場合（ステップＳ４０１のＹｅｓ）には、貸し出し１回における貸玉回数（Ｎ）を設定する（ステップＳ４０４）。例えば、１回目のステップＳ４０１の判定でＹｅｓであった場合には、貸玉回数は５回、ステップＳ４０３の工程を経て２回目のステップＳ４０１の判定でＹｅｓであった場合には、貸玉回数は４回、ステップＳ４０３の工程を経て３回目のステップＳ４０１の判定でＹｅｓであった場合には、貸玉回数は３回となる。
【０２７０】
続いて、貸玉回数が１回目における動作に入り、制御部３００は、貸玉回数が「０」であるか否かを判定し、「０」であれば、待機状態となる（ステップＳ４０５のＹｅｓ）。
【０２７１】
制御部３００は、貸玉回数が「０」でないと判定する（ステップＳ４０５のＮｏ）と、消費税徴収モードの情報を読み出し、パチンコ玉の貸し出し時に消費税を徴収する貸玉徴収モードか、それ以外の消費税徴収モードであるかを判定する（ステップＳ４０６）。ここで、台間機３における消費税徴収モードは、（ａ）貸玉徴収モード、（ｂ）パチンコ玉の貸し出し時に預り消費税度数（Ｆ１）を減じる貸玉時度数徴収モード、（ｃ）パチンコ玉の貸し出し時に消費税を徴収せずに、パチンコ玉の貸し出しに対応する消費税情報を記憶しておく貸玉時未徴収モード、（ｄ）計数結果や景品払出数から消費税分減じる結果景品徴収モードに大別される。
【０２７２】
ステップＳ４０６の判定で、制御部３００が、消費税徴収モードが（ａ）貸玉徴収モードであると判定した場合（ステップＳ４０６の貸玉徴収モード）には、続いて、制御部３００は、設定消費税率と、次の式（８）によって算出された算出消費税率（Ｈ１）との比較を行う（ステップＳ４０７）。
Ｈ１  ＝  Ｉ１  ／  Ｊ１  …式（８）
【０２７３】
ここで、Ｉ１は、消費税率に基づいて減じられた貸玉数の積算値であり、Ｊ１は、消費税率に基づいて貸玉数を減じる前の消費税がないとしたら貸し出されるはずであった貸玉数の積算値である。なお、これらＩ１、Ｊ１は、開店時に電源ＯＮとなった際に、それぞれ「０」とするようにしてもよい。また、入金毎、カード挿入毎、カード返却毎、所定金額分の貸玉毎、算出消費税率（Ｈ１）に一致する毎（このようにすると多くも少なくもなく正確に消費税徴収が可能、ただし消費税率によって割り切れなければ、算出消費税率（Ｈ１）を消費税率としてもよい）に、それぞれ「０」とするようにしてもよい。これらＩ１、Ｊ１を０としなければ無限に数値が増加するので好ましくない。
【０２７４】
この式（８）によって算出される算出消費税率（Ｈ１）は、常に、設定消費税率に一致するものではなく、消費税率に基づいて減じられた貸玉数の積算値（Ｉ１）を、例えば、１玉増減することで、複数回の貸玉回数を通じて平均的に設定消費税率になるように調整される。
【０２７５】
そこで、制御部３００は、設定消費税率と算出消費税率（Ｈ１）との比較を行い、設定消費税率が算出消費税率（Ｈ１）以上になる場合（ステップＳ４０７の（i）≧（ii））には、消費税率に基づいて減じられる貸玉数（Ｉ１）を１玉増加する（ステップＳ４０８）。
【０２７６】
一方、設定消費税率が算出消費税率（Ｈ１）より小さくなる場合（ステップＳ４０７の（i）＜（ii））には、消費税率に基づいて減じられる貸玉数（Ｉ１）を１玉減らす（ステップＳ４０９）。
【０２７７】
続いて、制御部３００は、通常１回の貸玉で貸し出される２５玉から消費税率に基づいて減じられる貸玉数（Ｉ１）を減じた貸玉数の貸し出しを行わせるための情報を、台間機３はユニット型であるので、パチンコ機の制御部に出力し、パチンコ機から貸玉が貸し出す（ステップＳ４１０）。なお、台間機３が、ユニット型以外のサンド型、メダル貸出用の台間機である場合には、台間機から貸玉が貸し出される。
【０２７８】
一方、ステップＳ４０６の判定で、制御部３００が、消費税徴収モードが（ａ）貸玉徴収モード以外の、その他の徴収モードであると判定した場合（ステップＳ４０６のその他の徴収モード）には、制御部３００は、２５玉の貸し出しを行わせるための情報を、パチンコ機の制御部に出力し、パチンコ機から貸玉が貸し出す（ステップＳ４１１）。なお、台間機３が、ユニット型以外のサンド型、メダル貸出用の台間機である場合には、台間機から貸玉が貸し出される。
【０２７９】
続いて、制御部３００は、２５玉の貸し出しに対する消費税を上述した（ｂ）パチンコ玉の貸し出し時に預り消費税度数（Ｆ１）を減じる貸玉時度数徴収モード、（ｃ）パチンコ玉の貸し出し時に消費税を徴収せずに、パチンコ玉の貸し出しに対応する消費税情報を記憶しておく貸玉時未徴収モードのいずれか１つの方法によって徴収する（ステップＳ４１２）。また、消費税はこれらの消費税徴収モードに限るものではなく、例えば、貸玉の貸し出しは、通常通り１回の貸し出しで５回の貸玉（１回２５玉）を行い、賞玉（入賞することにより払出されるパチンコ玉）から消費税に対応する数のパチンコ玉を減じてもよい。この場合には、例えば、その消費税に対応する数のパチンコ玉を分割し、数回の賞玉の払い出しから減じるなどの方法がある。
【０２８０】
さらに、制御部３００は、ステップＳ４１０またはステップＳ４１１において貸し出される貸玉数を表示するための表示情報を表示部３ｅに出力する。表示部３ｅでは、その情報に基づいて、貸し出される貸玉数を表示する（ステップＳ４１３）。
【０２８１】
続いて、制御部３００は、貸玉回数Ｎから１を減じて、再度、ステップＳ４０５に戻し、それ以降の動作さを貸玉回数Ｎが「０」になるまで繰り返す（ステップＳ４１４）。
【０２８２】
（計数機９）
図３２は、計数機９の外観を示す斜視図、図３３は、計数機９の構成部を示す図、図３４は、計数機９における動作の流れを示す図である。
【０２８３】
まず、図３２を参照して、計数機９の構成について説明する。
図３２には、計数機９の斜視図が示されており、カード挿入口９ａ、遊技媒体投入部９ｂ、全部ボタン９ｃ、計数結果表示部９ｄ、返却ボタン９ｅ、レシート発券口９ｆから主に構成されている。
【０２８４】
計数機９は、パチンコ玉またはメダルの数量を計数するものである。会員用ＩＣカード３０、非会員用ＩＣカード３１、未収用消費税記録カード、預り消費税記録カードなどを受け入れるカード挿入口９ａに、例えば、会員用ＩＣカード３０または非会員用ＩＣカード３１が挿入された場合には、会員用ＩＣカード３０または非会員用ＩＣカード３１に記憶されたＩＤを読み取り、計数された計数値が貯玉数としてそのＩＤに基づき管理装置１３に記憶される。また、計数機９では、会員用ＩＣカード３０の利用によって付与されるポイントを、例えば、玉数として還元し、計数機９によって計数された玉数にその還元された玉数を加算することもできる。
【０２８５】
また、計数機９は、例えば、会員用ＩＣカード３０、非会員用ＩＣカード３１、未収用消費税記録カード、預り消費税記録カードのいずれか１つのカードが挿入されないと動作しないようにすることができる。これによって、計数機９において、遊技媒体の貸し出しなどに対応する消費税を徴収する場合には、遊技媒体の計数を行う遊技者から公平に消費税を徴収することができる。
【０２８６】
ここで、会員用ＩＣカード３０、非会員用ＩＣカード３１、未収用消費税記録カードまたは預り消費税記録カードがカード挿入口９ａに挿入された場合には、各カードに計数情報を記録して返却することもできれば、バーコードとしてレシートに記録してレシート発券口９ｆから発行することもできる。
【０２８７】
なお、レシートを発行する場合には、レシートには、簡易管理用ＩＤが記録され、その簡易管理用ＩＤは、そのレシートを用いて景品交換されるまで、管理装置１３で計数機９で計数された玉数とともに管理される。
【０２８８】
図３３に示すように、計数機９は、制御部５００、カード処理部５０１、簡易記録媒体処理部５０２、選択ボタン検知部５０３、計数処理部５０４から構成されている。
【０２８９】
制御部５００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部５００では、カード処理部５０１、簡易記録媒体処理部５０２、選択ボタン検知部５０３、計数処理部５０４の各機部間の信号の出入力、および、ネットワーク８を介して管理装置１３との間の信号の出入力を制御している。
【０２９０】
カード処理部５０１は、カード挿入口９ａから挿入された会員用ＩＣカード３０、非会員用ＩＣカード３１、未収用消費税記録カードまたは預り消費税記録カードに記憶された、例えば、ＩＤ、そのＩＤで管理されている有価情報、未収用消費税情報、預り消費税情報などの読み取り、その読み取った情報の制御部５００への出力、制御部５００からの更新された有価情報などの各カードへの書き込みなどを行うもので、例えば、リーダライタなどで構成される。
【０２９１】
簡易記録媒体処理部５０２は、制御部５００によって、計数処理部５０４で計数された玉数と、例えば、消費税情報とから算出された玉数に対応する情報および簡易管理用ＩＤをレシートに、例えば、バーコードとして記録し、その記録されたレシートをレシート発券口９ｆから発券するものである。
【０２９２】
選択ボタン検知部５０３は、全部ボタン９ｃ、返却ボタン９ｅが押されたことを検知し、その押された信号に基づいて、制御部５００に信号を出力するものである。
【０２９３】
計数処理部５０４は、遊技媒体投入部９ｂに投入された玉数を計数し、その計数した情報を制御部５００へ出力するものである。計数処理部５０４で計数された結果は、例えば、計数結果表示部９ｄに表示することもできる。
【０２９４】
そして、制御部５００によって制御される、カード処理部５０１、簡易記録媒体処理部５０２、選択ボタン検知部５０３、計数処理部５０４の各機器部は、次のように動作する（図３４）。
【０２９５】
以下に、図３４を参照してその動作を説明する。
カード処理部５０１は、カード挿入口９ａからの会員用ＩＣカード３０、非会員用ＩＣカード３１、未収用消費税記録カード、預り消費税記録カードなどのカードの挿入を待機しており、カードの挿入を検知すると、それに応じた処理を実行する。また、計数処理部５０４は、遊技媒体投入部９ｂに、例えば、パチンコ玉などの遊技媒体が投入されるのを待機しており、遊技媒体投入部９ｂに遊技媒体が投入されると、それに応じた処理を実行する。
【０２９６】
遊技媒体投入部９ｂに遊技媒体が投入されると、計数処理部５０４は、投入された遊技媒体の計数を行い、その計数情報を制御部５００に出力する（ステップＳ５１０）。
【０２９７】
制御部５００は、その計数結果を、例えば、計数結果表示部９ｄに表示するための情報を計数結果表示部９ｄに出力することもできる。続いて、全部ボタン９ｃが押されたが否かを選択ボタン検知部４０３が判定する（ステップＳ５１１）。
【０２９８】
ステップＳ５１１の判定で、Ｎｏの場合には、リターンしスタートに戻る。ステップＳ５１１の判定で、Ｙｅｓの場合には、その情報を制御部５００に出力する。
【０２９９】
続いて、カード処理部５０１において会員用ＩＣカード３０または非会員用ＩＣカード３１が挿入されているか否かが判定される（ステップＳ５１２）。ここで、非会員用ＩＣカード３１は従来計数機９に挿入されることはないが、本実施例では非会員用ＩＣカード３１を用いて未収用消費税や預り消費税を処理する場合、計数機９に非会員用ＩＣカード３１を挿入する。この場合、非会員用ＩＣカード３１には台間機３、４、６において、未収用消費税または預り消費税を特定可能なＩＤや未収用消費税情報または預かり消費税情報が記録される。非会員用ＩＣカード３１、未収用消費税を特定可能なＩＤや未収用消費税を記録した未収用消費税記録カード、および預り消費税を特定可能なＩＤや預り消費税を記録した預り消費税記録カードのいずれかの少なくとも一つを使用可能としてもよい。このようにすることで遊技機毎に異なる未収用消費税記録カードや預り消費税記録カードを発券する場合や何も発券しない場合には、非会員用ＩＣカード３１を発券して、計数機にこれらのカードを全て対応可能とすることができる。
【０３００】
ステップＳ５１２の判定で、Ｙｅｓの場合には、カード処理部５０１は、会員用ＩＣカード３０、非会員用ＩＣカード３１、未収用消費税記録カード、預り消費税記録カードに記憶されたＩＤを読み取り、読み取ったＩＤを制御部５００に出力する（ステップＳ５１３）。
【０３０１】
続いて、返却ボタン９ｅが押されたか否かを選択ボタン検知部５０３が判定する（ステップＳ５１４）。
【０３０２】
ステップＳ５１４の判定で、Ｎｏの場合には、リターンしスタートに戻り、選択ボタン検知部５０３が返却ボタンを感知するまで待機することになる。
【０３０３】
一方、ステップＳ５１４の判定で、Ｙｅｓの場合には、選択ボタン検知部５０３は、その情報を制御部５００に出力する。
【０３０４】
一方、ステップＳ５１２の判定で、カード処理部５０１において会員用ＩＣカード３０または非会員用ＩＣカード３１（未収用消費税記録カード、預り消費税記録カード）が挿入されていないと判定された場合（ステップＳ５１２のＮｏ）には、「消費税を記録した会員カード、非会員カード、消費税カードを挿入してください。」と表示し（ステップS５１５）、リターンしスタートに戻り、カード処理部５０１が会員用ＩＣカード３０、非会員用ＩＣカード３１、未収用消費税記録カード、預り消費税記録カードを感知するまで待機することになる。
【０３０５】
ステップＳ５１４の判定で、Ｙｅｓの場合には、制御部５００は、各カードから読み取られた情報に、台間機３、４、６において消費税を徴収していないことによって記録される未収用消費税情報があるか否かを判定する（ステップＳ５１６）。
【０３０６】
ステップＳ５１６の判定で、Ｙｅｓの場合には、制御部５００は、未収用消費税情報に基づいて、次の式（９）によって、未収用消費税に対応する遊技媒体数（Ｋ１）を算出する（ステップＳ５１７）。
Ｋ１  ＝  Ｌ１  ×  Ｍ１  …式（９）
ここで、Ｌ１は、消費税率（例えば、消費税が５％の場合０．０５）であり、Ｍ１は、過去貸し出された遊技媒体数の積算値である。
【０３０７】
なお、式（９）の算出工程を台間機３、４、６の備え、台間機３、４、６からの未収用消費税情報として未収用消費税に対応する遊技媒体数（Ｋ１）を有することもできる。また、ステップＳ５１６の判定で、Ｎｏの場合には、未収用消費税情報はないので、未消費税に対応する遊技媒体数（Ｋ１）は「０」となる。
【０３０８】
なお、ここでは、未収用消費税に対応する遊技媒体数（Ｋ１）を未収用消費税情報に基づいて、式（９）によって算出する一例を示したが、この算出方法に限るものではない。
【０３０９】
続いて、制御部５００は、例えば、会員用ＩＣカード３０または非会員用ＩＣカード３１が挿入されている場合には、ＩＤ情報に基づき、未収用消費税に関連した情報を消去するための情報を管理装置１３に出力し、管理装置１３は、その情報に基づいてＩＤ毎に管理されている情報から未収用消費税に関連した情報を消去する（ステップＳ５１８）。また、例えば、非会員用ＩＣカード３１（遊技のための度数と関連しない未収用消費税記録カードでもよい）に未収用消費税に関連した情報が記録されている場合には、制御部５００は、未収用消費税に関連した情報を消去するための情報をカード処理部５０１に出力し、カード処理部５０１は、その情報に基づいて非会員用ＩＣカード３１（遊技のための度数と関連しない未収用消費税記録カードでもよい）に記録されている未収用消費税に関連した情報を消去する（ステップＳ５１７）。
【０３１０】
なお、未収用消費税に関連した情報が消去された非会員用ＩＣカード３１（遊技のための度数と関連しない未収用消費税記録カードでもよい）は、計数機９に回収されるか、または、計数機９から返却される。計数機９から返却された未収用消費税に関連した情報が消去された非会員用ＩＣカード３１（遊技のための度数と関連しない未収用消費税記録カードでもよい）は、例えば、遊技者に所定の回収部に投入させることなどによって回収する。
【０３１１】
なお、未収用消費税に関連した情報とは、式（９）を用いる場合は、Ｍ１（過去貸し出された遊技媒体数の積算値）であり。
【０３１２】
さらに、未収用消費税に関連した情報とは貸出回数（ＫＮ１）でもよい。この場合、未収用消費税に対応する遊技媒体数（Ｋ１）は、次の式（９ａ）によって算出される。
Ｋ１  ＝  Ｌ１  ×  ２５  ×  ＫＮ１  …式（９ａ）
ここで、ＫＮ１は、貸出回数である。
【０３１３】
さらに、未収用消費税に関連した情報とは未収用消費税分の度数の積算値でもよい。この場合、未収用消費税分の度数の積算値は台間機３、４，６にて１回の遊技媒体の貸出に消費される度数に消費税率を積算したものに、１度数の遊技媒体貸出数（パチンコで２５玉）を乗算してＫ１を算出することもできる。
【０３１４】
一方、ステップＳ５１６の判定で、各カードから読み取られた情報に、台間機３、４、６において消費税を徴収していないことによって記録される未収用消費税に関連した情報がないかまたは「０」と判定された場合（ステップＳ５１６のＮｏ）、または、ステップＳ５１８の動作後、制御部５００は、各カードから読み取られた情報に、預り消費税情報があるか否かを判定する（ステップＳ５１９）。
【０３１５】
ステップＳ５１９の判定で、Ｙｅｓの場合には、制御部５００は、預り消費税情報に基づいて、次の式（１０）によって、預り消費税に対応する遊技媒体数（Ｎ１）を算出する（ステップＳ５２０）。
Ｎ１  ＝  Ｌ１  ×  Ｏ１  …式（１０）
ここで、Ｌ１は、消費税率（例えば、消費税が５％の場合０．０５）であり、Ｏ１は、過去貸し出された遊技媒体数の積算値である。
【０３１６】
なお、ステップＳ５１９の判定で、Ｎｏの場合には、預り消費税情報はないので、預り消費税に対応する遊技媒体数（Ｎ１）は「０」となる。
【０３１７】
ここでは、預り消費税に対応する遊技媒体数（Ｎ１）を預り消費税情報に基づいて、式（１０）によって算出する一例を示したが、この算出方法に限るものではない。
【０３１８】
続いて、制御部５００は、例えば、会員用ＩＣカード３０または非会員用ＩＣカード３１（遊技のための度数と関連しない預り消費税記録カードでもよい）が挿入されている場合には、ＩＤ情報に基づき、預り消費税に関連した情報を消去するための情報を管理装置１３に出力し、管理装置１３は、その情報に基づいてＩＤ毎に管理されている情報から預り消費税に関連した情報を消去する（ステップＳ５２１）。また、例えば、非会員用ＩＣカード３１（遊技のための度数と関連しない預り消費税記録カードでもよい）に預り消費税に関連した情報が記録されている場合には、制御部５００は、預り消費税に関連した情報を消去するための情報をカード処理部５０１に出力し、カード処理部５０１は、その情報に基づいて非会員用ＩＣカード３１（遊技のための度数と関連しない預り消費税記録カードでもよい）に記録されている預り用消費税に関連した情報を消去する（ステップＳ５２１）。
【０３１９】
なお、預り消費税に関連した情報が消去された非会員用ＩＣカード３１（遊技のための度数と関連しない預り消費税記録カードでもよい）は、計数機９に回収されるか、または、計数機９から返却される。計数機９から返却された預り消費税に関連した情報が消去された非会員用ＩＣカード３１（遊技のための度数と関連しない預り消費税記録カードでもよい）は、例えば、遊技者に所定の回収部に投入させることなどによって回収する。  
【０３２０】
また、預り消費税に関連した情報とは、式（１０）を用いる場合は、Ｏ１（過去貸し出された遊技媒体数の積算値）である。
【０３２１】
さらに、預り消費税に関連した情報とは貸出回数（ＫＮ１）でもよい。この場合、預り消費税に対応する遊技媒体数（Ｎ１）は、次の式（１０ａ）によって算出される。
Ｎ１  ＝  Ｌ１  ×  ２５  ×  ＫＮ１  …式（１０ａ）
【０３２２】
さらに、預り消費税に関連した情報とは預り消費税分の度数の積算値でもよい。この場合、預り消費税分の度数の積算値は台間機３、４，６にて１回の遊技媒体の貸出に消費される度数に消費税率を積算したものに、１度数の遊技媒体貸出数（パチンコで２５玉）を乗算してＮ１を算出することもできる。
【０３２３】
続いて、制御部５００は、次の式（１１）により、未収用消費税に関連する情報、預り消費税に関連する情報に基づく遊技媒体数として出力する交換遊技媒体数（Ｒ１）を算出する（ステップＳ５２２）。
Ｒ１  ＝  Ｓ１  −  Ｋ１  ＋  Ｎ１  …式（１１）
【０３２４】
ここで、Ｓ１は、ステップＳ５１０で計数された遊技媒体数である。なお、景品管理機（ＰＯＳ）１１においては、この交換遊技媒体数（Ｒ１）に、遊技媒体を買い取る際の買取レート（例えば、パチンコ玉１個を４円で買い取る場合には、買取レートは４）を乗じた値が、交換遊技媒体数（Ｒ１）に対応して換算された換算金額を算出することになる。
【０３２５】
続いて、制御部５００は、未収用消費税に対応する遊技媒体数（Ｋ１）、預り消費税に対応する遊技媒体数（Ｎ１）、交換遊技媒体数（Ｒ１）を表示するための表示情報を計数結果表示部９ｄに出力する（ステップＳ５２３）。
【０３２６】
続いて、制御部５００は、カード挿入口９ａから挿入された会員用ＩＣカード３０、非会員用ＩＣカード３１（未収用消費税記録カード、預り消費税記録カード）を返却する情報をカード処理部５０１に出力し、カード処理部５０１は、その情報に基づいて各カードを返却する（ステップＳ５２４）。なお、この際、非会員用ＩＣカード３１（未収用消費税記録カード、預り消費税記録カード）は回収してもよい。また、非会員用ＩＣカード３１（未収用消費税記録カード、預り消費税記録カード）が挿入されている場合には、制御部５００は、交換遊技媒体数（Ｒ１）に対応した情報を簡易記録媒体処理部５０２に出力し、簡易記録媒体処理部５０２は、その情報を、例えば、レシートなどにバーコードとして記録して発行する（ステップＳ５２４）。なお、会員用ＩＣカード３０または非会員用ＩＣカード３１が使用されている場合でも、交換遊技媒体数（Ｒ１）に対応した情報をレシートなどにバーコードとして記録して発行してもよい。
【０３２７】
また、制御部５００は、会員用ＩＣカード３０、非会員用ＩＣカード３１（未収用消費税記録カード、預り消費税記録カード）、レシートなどのＩＤに基づいて、未収用消費税に対応する遊技媒体数（Ｋ１）、預り消費税に対応する遊技媒体数（Ｎ１）、交換遊技媒体数（Ｒ１）の情報をネットワーク８を介して管理装置１３に出力する。そして、管理装置１３では、それらの情報をＩＤ毎に記録する（ステップＳ５２５）。
【０３２８】
ここで、所定の消費税率に計数された遊技媒体（計数値）を乗じて、これによって算出される値を消費税に対応する遊技媒体数（消費税徴収分）としてもよい。この場合、遊技者の景品交換可能な遊技媒体数（交換遊技媒体数）は、計数値から計数値に消費税率を乗じた値（消費税徴収分）を差し引いたものとなる。
【０３２９】
この場合、貸玉数に応じた未収用消費税ではないので、非会員の場合、貸玉数や未収用消費税や預り消費税を特定する必要がないために非会員はカードを必要としない。このため計数機は貯玉可能な会員用ＩＣカード３１のみを受け入れ可能とし、ステップＳ５１２においては、会員用ＩＣカード３０か否かのみを判断する。このようにすることで、遊技で遊技媒体を獲得できなかった遊技者からは消費税を徴収せず、勝った遊技者から消費税を徴収することとなり、負けた遊技客の負担を軽減できる。
【０３３０】
（景品管理機（ＰＯＳ）１１）
図３５は、景品管理機（ＰＯＳ）１１の外観を示す側面図、図３６は、景品管理機（ＰＯＳ）１１の構成部を示す図、図３７は、景品管理機（ＰＯＳ）１１における動作の流れを示す図である。
【０３３１】
なお、景品管理機（ＰＯＳ）１１では、計数機９において、交換遊技媒体数（Ｒ１）が、会員の遊技者の場合のみ、会員用ＩＣカード３０に交換遊技媒体数（Ｒ１）に対応した情報が記録され、会員用ＩＣカード３０を有しない遊技者には、交換遊技媒体数（Ｒ１）に対応した情報が記録されたレシートが発行された場合について説明する。
【０３３２】
まず、図３５を参照して、景品管理機（ＰＯＳ）１１の構成について説明する。
図３５には、景品管理機（ＰＯＳ）１１を側面から見た図が示されており、カード挿入口１１ａ、暗証番号入力用テンキーボード１１ｂ、バーコードリーダ１１ｃ、表示部１１ｄ、キー選択ボタン１１ｅ、一般景品選択部１１ｆで主に構成されている。
【０３３３】
景品管理機（ＰＯＳ）１１は、カード挿入口１１ａより挿入された会員用ＩＣカード３０より、ＩＤに基づき貯玉数を参照し、貯玉数とその貯玉数により交換される景品種別と数量の表示を行い、景品払出機１８が併設される場合、景品払出機１８へ払い出す景品の種別と数量を指示するものである。また、計数機９で発券されたレシートを用いる場合には、バーコードリーダ１１ｃでレシートに記録された情報を読み取り、その情報に基づく貯玉数の範囲で貯玉数と景品との交換を行うものである。
【０３３４】
キー選択ボタン１１ｅには、例えば、特殊景品無しキー、一般景品キー（たばこ、チョコレート、ジュース、時計、ＣＤ、ゲーム機器等を複数のキーに任意に設定）、終了キー、  戻しキーがある。特殊景品無しキーは、貯玉数を特殊景品以外の景品と交換する場合に押され、一般景品キーは、一般景品との交換を行うときに押される。また、終了キーは、貯玉数と景品との交換を終了する場合に押され、戻しキーは、選択した景品をキャンセルする場合に押されるものである。
【０３３５】
特殊景品には、例えば、「５０００円」の特殊景品、「２５００円」の特殊景品、「１０００円」の特殊景品などがあり、これらの特殊景品と交換する場合には、貯玉数より端玉（景品と交換後の残り玉）を最小にするよう計算されて、例えば、景品払出機１８が併設されている場合には、景品払出機１８から特殊景品が自動的に払い出される。景品払出機１８が併設されていない場合には、表示された交換される景品の種別と数量の表示に基づいて、店員などによって景品が払い出される。また、例えば、タバコ、ジュースなどの一般景品と交換する場合には、一般景品キーを押し、さらに一般景品選択部１１ｆにより、交換したい景品や個数を選択し、景品交換を行う。一般景品と交換する場合には、店員などが景品を払い出すことが多いが、景品払出機などで自動的に景品を払い出すこともできる。
【０３３６】
また、景品管理機（ＰＯＳ）１１では、会員用ＩＣカード３０の利用によって付与されるポイントと、例えば、タバコ、ジュースなどの賞品と交換することができるようにしてもよい。
【０３３７】
図３６に示すように、景品管理機（ＰＯＳ）１１は、制御部６００、カード処理部６０１、記録媒体処理部６０２、選択ボタン検知部６０３、景品払出処理部６０４から構成されている。
【０３３８】
制御部６００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部６００では、カード処理部６０１、記録媒体処理部６０２、選択ボタン検知部６０３、景品払出処理部６０４の各機部間の信号の出入力、および、ネットワーク８を介して管理装置１３との間の信号の出入力を制御している。
【０３３９】
カード処理部６０１は、カード挿入口１１ａから挿入された会員用ＩＣカード３０に記憶された、例えば、ＩＤやそのＩＤで管理されている有価情報などの読み取り、その読み取った情報の制御部６００への出力、制御部６００からの更新された有価情報などの会員用ＩＣカード３０への書き込みなどを行うもので、例えば、リーダライタなどで構成される。
【０３４０】
記録媒体処理部６０２は、バーコードリーダ１１ｃなどによって、レシートに記録された玉数および簡易管理用ＩＤを読み取り、その読み取った情報を制御部６００に出力するものである。
【０３４１】
カード処理部６０１や記録媒体処理部６０２で読み取られた、例えば、計数された玉数などの情報は、表示部１１ｄに表示される。また、表示部１１ｄには、景品交換される景品の種類や個数なども表示させる。
【０３４２】
選択ボタン検知部６０３は、暗証番号入力用テンキーボード１１ｂ、キー選択ボタン１１ｅ、一般景品選択部１１ｆの選択ボタンが押されたことを検知し、その押された信号に基づいて、制御部６００に信号を出力するものである。
【０３４３】
景品払出処理部６０４は、選択ボタン検知部６０３で検知された信号に基づいて、例えば、表示部１１ｄや景品払出機１８に払い出される特殊景品の種類や個数などの景品払出情報を出力するものである。
【０３４４】
そして、制御部６００によって制御される、カード処理部６０１、記録媒体処理部６０２、選択ボタン検知部６０３、景品払出処理部６０４の各機器部は、次のように動作する（図３７）。
【０３４５】
以下に、図３７を参照してその動作を説明する。
カード処理部６０１は、カード挿入口１１ａからの会員用ＩＣカード３０の挿入を待機しており、会員用ＩＣカード３０の挿入を検知すると、それに応じた処理を実行する。
【０３４６】
カード処理部６０１において会員用ＩＣカード３０が挿入されているか否かが判定される（ステップＳ６１０）。
【０３４７】
ステップＳ６１０の判定で、Ｎｏの場合には、バーコードリーダによって、レシートに記録された玉数および簡易管理用ＩＤを読み取る（ステップＳ６１１）。カード処理部６０１において読み取られた簡易管理用ＩＤは、制御部６００に出力され、さらに、制御部６００からネットワーク８を介して管理装置１３に出力される（ステップＳ６１１）。そして、管理装置１３に記憶されている簡易管理用ＩＤに基づく玉数を管理装置からネットワーク８を介して制御部５００に出力する（ステップＳ６１１）。
【０３４８】
制御部６００では、レシートに記録された簡易管理用ＩＤに基づく玉数と管理装置１３から出力された簡易管理用ＩＤに基づく玉数とを比較し、それぞれが一致するか否かを判定する（ステップＳ６１２）。
【０３４９】
ステップＳ６１２の判定で、Ｎｏの場合には、制御部６００は待機状態となる。ステップＳ６１２の判定で、Ｙｅｓの場合には、ステップＳ６１９に進む。
【０３５０】
ステップＳ６１０の判定で、カード処理部６０１において会員用ＩＣカード３０が挿入されていると判定された場合（ステップＳ６１０のＹｅｓ）には、カード処理部６０１は、会員用ＩＣカード３０に記憶されたＩＤおよび暗証番号を読み取り、読み取ったＩＤおよび暗証番号を制御部６００に出力する（ステップＳ６１３）。
【０３５１】
また、選択ボタン検知部６０３は、暗証番号入力用テンキーボード１１ｂで入力された暗証番号を検知し、その検知信号を制御部６００に出力する（ステップＳ６１４）。制御部６００は、会員用ＩＣカード３０から読み取られた暗証番号と暗証番号入力用テンキーボード１１ｂで入力された暗証番号とを比較判定する（ステップＳ６１５）。
【０３５２】
ステップＳ６１５の判定で、双方の番号が一致しない場合（ＮＧの場合）には、カード処理部６０１は、会員用ＩＣカード３０をカード挿入口１１ａから返却する（ステップＳ６１６）。ただし、ここで、会員用ＩＣカード３０を返却せずに、店員に暗証番号が一致しない旨を報知し、店員がその会員用ＩＣカード３０を利用した遊技者に、例えば、生年月日や電話番号などを質問し、遊技者による回答が、実際に登録されているものと一致すれば、忘れた暗証番号の変更手続きを取れるようにしてもよい。
【０３５３】
一方、ステップＳ６１５の判定で、双方の番号が一致した場合（ＯＫの場合）には、制御部６００は、ステップＳ６１３で読み取られたＩＤをネットワーク８を介して管理装置１３に送信する（ステップＳ６１７）。そして、管理装置１３は、そのＩＤで管理されている貯玉数などを読み取る（ステップＳ６１７）。
【０３５４】
また、ステップＳ６１０の判定で、カード処理部６０１において会員用ＩＣカード３０が挿入されていないと判定され、さらに、会員登録ボタン（図示しない）が押され、会員登録するための所定の手続操作がなされた場合（ステップＳ６１０のＮｏかつ発行要求）には、選択ボタン検知部６０３は、その情報を制御部６００に出力する。制御部６００は、その情報に基づいて、カード処理部６０１に、例えば、景品管理機（ＰＯＳ）１１に貯留された会員用ＩＣカード３０から会員用ＩＣカード３０を取り出し、ＩＤなどの必要事項を記録しを発行するための情報を出力する。カード処理部６０１では、その情報に基づいて、ＩＤなどの必要事項を記録し会員用ＩＣカード３０を発行する（ステップＳ６１８）。
【０３５５】
続いて、制御部６００は、会員用ＩＣカード３０またはレシートから読み取られた交換遊技媒体数（Ｒ１）を表示するための情報を表示部１１ｄに出力し、表示部１１ｄは、その情報に基づいて、交換遊技媒体数（Ｒ１）を表示する（ステップＳ６１９）。
【０３５６】
ここで、制御部６００は、特殊景品に交換するか否かの情報であるＦＬＧを「０」として、交換遊技媒体数（Ｒ１）を特殊景品に交換するモードに設定する（ステップＳ６２０）。
【０３５７】
続いて、制御部６００は、景品交換時に消費税を徴収するか否かを制御部６００に記録された情報から判定する（ステップＳ６２１）。なお、ここで計数機９や台間機３、４、６などですでに消費税を徴収している場合には、二重に消費税を徴収してしまわないようにステップ６２１をＮｏと判断する。
【０３５８】
ステップＳ６２１の判定で、Ｙｅｓの場合には、制御部６００は、景品交換時における各特殊景品数を算出するときに用いられる係数（Ｔ１）を次の式（１２）により算出する（ステップＳ６２２）。
Ｔ１  ＝  Ｕ１  ×  Ｌ１  …式（１２）
ここで、Ｕ１は、特殊景品交換レートであり、例えば、パチンコ玉のように１玉４円で貸し出されたものを２．５円で交換する場合には、特殊景品交換レートは１．６（４／２．５）となる。また、１玉４円で貸し出されたものを４円で交換する場合には、特殊景品交換レートは１（４／４）となる。Ｌ１は、消費税率であり、例えば、消費税が５％の場合には１．０５（１０５／１００）となる。
【０３５９】
ステップＳ６２１の判定で、景品交換時に消費税を徴収しない場合（ステップＳ６２１のＮｏ）の場合には、景品交換時における各特殊景品数を算出するときに用いられる係数（Ｔ１）は、特殊景品交換レート（Ｕ１）となる（ステップＳ６２３）。
【０３６０】
続いて、制御部６００は、ステップＳ６２２で算出された係数（Ｔ１）またはステップＳ６２３で決められた係数（Ｔ１）を用いて、「５０００円」の特殊景品数（Ｂ５）、「２５００円」の特殊景品数（Ｃ５）、「１０００円」の特殊景品数（Ｄ５）を次に示す式（１３）を用いて算出する（ステップＳ６２４）。
Ａ５  ＝  Ｒ１×４−（５０００×Ｂ５＋２５００×Ｃ５＋１０００×Ｄ５）×Ｔ１  …式（１３）
【０３６１】
ここで、Ａ５は、交換遊技媒体数（Ｒ１）に対応する金額から各特殊景品の合計額に係数を乗じた金額を差し引いた端数分に相当する金額である。ここで、「５０００円」の特殊景品数（Ｂ５）、「２５００円」の特殊景品数（Ｃ５）、「１０００円」の特殊景品数は、この端数分に相当する金額が最小になるような組み合わせにより決定される。なお、「Ｒ１×４」の「４」とは、交換遊技媒体がパチンコ玉の場合における１玉の貸し出し単価４円の「４」である。したがって、スロットマシン機５に用いられるメダルの場合には、「４」の代わりに、１枚のメダルが２０円なので「２０」を用いる。
【０３６２】
また、式（１３）に代えて、次の式（１３ａ）を採用することもできる。（以降、式中の「４」は、パチンコ玉の場合における遊技媒体１つ当たりの貸し出し単価である。）
Ａ５  ＝  Ｒ１×４／（１＋Ｌ１）−（５０００×Ｂ５＋２５００×Ｃ５＋１０００×Ｄ５）×Ｕ１  …式（１３ａ）
【０３６３】
ここで、式（１３）は、遊技媒体数に対応する景品総額を消費税分減算し、該減算した景品総額に対応する景品を払い出すための算出式で、式（１３ａ）は、計数された遊技媒体数より消費税に対応する遊技媒体数分を減算し、該減算された遊技媒体数に対応する景品を払い出すか、遊技媒体数に対応する景品総額を消費税分減算し、該減算した景品総額に対応する景品を払い出すための算出式である。
【０３６４】
次に、景品管理機（ＰＯＳ）１１に設けられたキー選択ボタン１１ｅは、特殊景品無しキー、一般景品キー、終了キー、戻しキーのなどで構成され、これらのキーが押されることによってそれぞれ異なる動作を行う（ステップＳ６２５）。なお、キー選択ボタン１１ｅが選択されない場合には、制御部６００は、待機状態となる（ステップＳ６２５のＮｏ）。
【０３６５】
まず、特殊景品無しキーが選択されたことを選択ボタン検知部６０３が検知した場合（ステップＳ６２５の特殊景品無しキー）には、選択ボタン検知部６０３は、その情報を制御部６００に出力する。制御部６００は、その情報に基づいて、ＦＬＧを特殊景品との交換を行わないことを示す「１」に書き換る（ステップＳ６２６）。さらに、制御部６００は、式（１３）の演算パラメータであるＢ５、Ｃ５、Ｄ５を「０」に書き換える。そして、ステップＳ６２４によって、交換遊技媒体数（Ｒ１）に対応する金額を算出する。
【０３６６】
また、一般景品キーが選択されたことを選択ボタン検知部６０３が検知した場合（ステップＳ６２５の一般景品キー）には、選択ボタン検知部６０３は、その情報を制御部６００に出力する。さらに、選択ボタン検知部６０３は、一般景品選択部１１ｆにより選択された、例えば、タバコ、ジュースなどの一般景品の情報を制御部６００に出力する（ステップＳ６２７）。
【０３６７】
続いて、制御部６００は、一般景品交換時に消費税を徴収するか否かを制御部６００に記録された情報から判定する（ステップＳ６２８）。
【０３６８】
ステップＳ６２８の判定で、Ｙｅｓの場合には、制御部６００は、次の式（１４）により、交換遊技媒体数（Ｒ１）から消費税を含む一般景品額に対応する遊技媒体数を差し引いた残交換遊技媒体数（Ｒ２）を算出する（ステップＳ６２９）。
Ｒ２  ＝  Ｒ１  −  Ｅ５  ×  Ｆ５  ×  （１  ＋  Ｌ１）  ／  ４  …式（１４）
【０３６９】
ここで、Ｅ５は、一般景品の単価であり、Ｆ５は、一般景品数である。
【０３７０】
なお、交換遊技媒体数（Ｒ１）から消費税を含む一般景品額に対応する遊技媒体数を差し引いた残交換遊技媒体数（Ｒ２）は次の式（１４ａ）でも算出することができる。
Ｒ２  ＝  Ｒ１／（１＋Ｌ１）−Ｅ５×Ｆ５  ／  ４  …式（１４ａ）
【０３７１】
ここで、式（１４）は、遊技媒体数に対応する景品総額を消費税分減算し、該減算した景品総額に対応する景品を払い出すための算出式で、式（１４ａ）は、計数された遊技媒体数より消費税に対応する遊技媒体数分を減算し、該減算された遊技媒体数に対応する景品を払い出すか、遊技媒体数に対応する景品総額を消費税分減算し、該減算した景品総額に対応する景品を払い出すための算出式である。
【０３７２】
ステップＳ６２８の判定で、Ｎｏの場合には、制御部６００は、次の式（１５）により、交換遊技媒体数（Ｒ１）から一般景品額に対応する遊技媒体数を差し引いた残交換遊技媒体数（Ｒ２）を算出する（ステップＳ６３０）。
Ｒ２  ＝  Ｒ１  −  Ｅ５  ×  Ｆ５  ／  ４  …式（１５）
【０３７３】
続いて、制御部６００は、在庫管理の情報から交換された一般景品数を減じて、一般景品の在庫数を更新する（ステップＳ６３１）。そして、再び、ステップＳ６２４の動作を行う。
【０３７４】
また、終了キーが選択されたことを選択ボタン検知部６０３が検知した場合（ステップＳ６２５の終了キー）には、選択ボタン検知部６０３は、その情報を制御部６００に出力する。続いて、制御部６００は、非会員（会員用ＩＣカード３０が挿入されていない）かつ交換遊技媒体数（Ｒ１）または残交換遊技媒体数（Ｒ２）が、一般景品の最小単価に対応する遊技媒体数以上であるか否かを判定する（ステップＳ６３２）。
【０３７５】
ステップＳ６３２の判定で、Ｙｅｓの場合には、制御部６００は、さらに景品交換を要求する表示をするための情報を表示部１１ｄに出力し、表示部１１ｄは、その情報に基づいて、例えば、「更に景品交換して下さい」などの表示をする（ステップＳ６３３）。
【０３７６】
ステップＳ６３２の判定で、Ｎｏの場合には、制御部６００は、景品払出処理部６０４において、景品払出機１８が併設されているか否かが判定される（ステップＳ６３４）。
【０３７７】
ステップＳ６３４の判定で、Ｙｅｓの場合には、制御部６００は、ＩＤまたは簡易管理ＩＤに基づいて管理装置１３から読み取られた交換遊技媒体数（Ｒ１）または残交換遊技媒体数（Ｒ２）の情報から、払い出される景品の種類およびその個数などの情報を景品払出処理部６０４に出力するとともに表示部１１ｄに表示する（ステップＳ６３５）。景品払出処理部６０４では、その情報を景品払出機１８に出力し、景品払出機１８から景品を払い出させる（ステップＳ６３５）。
【０３７８】
ステップＳ６３４の判定で、Ｎｏの場合には、制御部６００は、ＩＤまたは簡易管理ＩＤに基づいて管理装置１３から読み取られた貯玉数の情報から、払い出される景品の種類およびその個数などの情報を景品払出処理部６０４に出力する。そして、景品払出処理部６０４は、その情報を表示部１１ｄに表示する（ステップＳ６３６）。この場合には、店員などによって、その表示部１１ｄの表示に基づいて、景品が払い出される。
【０３７９】
そして、制御部６００において、特殊景品在庫数から払い出された特殊景品の数量を差し引き、その情報を景品払出処理部６０４に出力し、景品払出処理部６０４では特殊景品在庫数の情報を更新する（ステップＳ６３７）。
【０３８０】
続いて、制御部６００は、ＦＬＧが「１」か「０」かを判定する（ステップＳ６３８）。
【０３８１】
ステップＳ６３８の判定で、ＦＬＧが「０」であると判定された場合（ステップＳ６３８の「＝０」）には、次の式（１５）で算出される更新交換遊技媒体数（Ｒ３）を算出し、交換遊技媒体数（Ｒ１）に相当する値を更新する（ステップＳ６３９）。
Ｒ３  ＝  Ｒ１（またはＲ２）  −  Ａ５  ／  ４  …式（１５）
【０３８２】
一方、ステップＳ６３８の判定で、ＦＬＧが「１」であると判定された場合（ステップＳ６３８の「＝１」）またはステップＳ６３９の動作後、制御部６００は、更新交換遊技媒体数（Ｒ３）を表示するための情報を表示部１１ｄに出力し、表示部１１ｄは、更新交換遊技媒体数（Ｒ３）を表示する（ステップＳ６４０）。
【０３８３】
次に、再度、カード処理部６０１において会員用ＩＣカード３０が挿入されているか否かが判定される（ステップＳ６４１）。
【０３８４】
ステップＳ６４１の判定で、Ｎｏの場合には、簡易管理ＩＤに基づいて、景品と交換された玉数および払い出された景品の種類や個数は、景品払出処理部６０４に記憶される（ステップＳ６４２）。なお、景品払出処理部６０４に記憶されたこれらの情報は、所定期間記憶されている。また、管理装置１３に記憶されていた簡易管理ＩＤと玉数の情報は消去される（ステップＳ６４２）。
【０３８５】
ステップＳ６４１の判定で、Ｙｅｓの場合には、景品と交換された玉数および払い出された景品の種類や個数などの情報は、ＩＤに基づいて、制御部６００からネットワーク８を介して管理装置１３に送信され、管理装置１３でＩＤ毎に記憶される（ステップＳ６４３）。
【０３８６】
また、戻しキーが選択されたことを選択ボタン検知部６０３が検知した場合（ステップＳ６２５の戻しキー）には、選択ボタン検知部６０３は、その情報を制御部６００に出力する。そして、これまで選択された情報を消去し、再度、ステップＳ６２０へ戻る。
【０３８７】
尚、式（１３）のＡ５、式（１４）のＲ２は、それぞれ預り消費税に対応する遊技媒体数（Ｎ１）や未消費税に対応する遊技媒体数（Ｋ１）を用いる場合であって、計数機９や台間機３、４、６にて徴収しない場合には、それぞれ次の式（１３ｂ）、式（１４ｂ）のようにしてもよい。
Ａ５  ＝  （Ｒ１＋Ｎ１−Ｋ１）×４−（５０００×Ｂ５＋２５００×Ｃ５＋１０００×Ｄ５）×Ｕ１  …式（１３ｂ）
Ｒ２  ＝  Ｒ１＋Ｎ１−Ｋ１−Ｅ５×Ｆ５  ／  ４  …式（１４ｂ）
【０３８８】
上記の式（１３ｂ）、式（１４ｂ）を用いる場合には、遊技者の遊技台毎に異なって算出される過去の累積値Ｎ１、Ｋ１を勝ったときの景品交換時に精算できるので、負けた時の遊技者の負担を軽減できる。一方、式（１３）または式（１３ａ）、式（１４）または式（１４ａ）を用いる場合には、遊技で遊技媒体を獲得できなかった遊技者からは消費税を徴収せず、勝った遊技客から消費税を徴収することとなり、負けた遊技客の負担を軽減することができる。
【０３８９】
（精算機１０）
図３８は、精算機１０の外観を示す側面図、図３９は、精算機１０の構成部を示す図、図４０は精算機１０における動作の流れを示す図である。
【０３９０】
まず、図３８を参照して、精算機１０の構成について説明する。
図３８には、精算機１０を側面から見た図が示されており、カード挿入口１０ａ、暗証番号入力用テンキーボード１０ｂ、紙幣返却口１０ｃ、釣銭受１０ｄ、精算ボタン１０ｅ、取消ボタン１０ｆ、表示部１０ｇ、紙幣挿入口１０ｈ、端玉受１０ｉで主に構成されている。
【０３９１】
精算機１０は、カード挿入口１０ａより挿入された会員用ＩＣカード３０または非会員用ＩＣカード３１の度数残高を現金で返却するものである。ここで、度数とは、入金された金額を度数化したもので、例えば、１万円を度数化すると１００度数となる。度数残高とは、度数から使用した度数分を差し引いた残りの度数である。
【０３９２】
また、精算機１０では、会員用ＩＣカード３０の利用によって付与されるポイントを、例えば、現金化によって還元してもよい。
【０３９３】
会員用ＩＣカード３０が挿入された場合は、精算機１０に設けられた暗証番号入力用テンキーボード１０ｂによって暗証番号が入力されると、会員用ＩＣカード３０に記憶された暗証番号と入力された暗証番号との照合が行われ、それらが一致すれば精算動作を行う。これによって、会員の遊技者の場合には、例えば、会員用ＩＣカード３０を落として、第三者に会員用ＩＣカード３０が渡っても、暗証番号がわからない限りは、度数残高が現金化されることはない。このようにすると遊技者が、例えば、トイレに行くためなどで離席した場合、会員用ＩＣカードを盗まれても度数残高を現金化されることはない。
【０３９４】
また、第三者に会員用ＩＣカード３０が渡った場合、第三者に度数残高分を遊技に使用されることが考えられるが、台間機と管理装置１３とが連携して、例えば、台間機にて入力した会員番号や暗証番号に基づいて、その会員用ＩＣカード３０を各機器に使用できないように制御することなどもできる。
【０３９５】
非会員用ＩＣカード３１を用いる場合には、度数残高として保持できる期間が、例えば、１日などのように限られているため、その期間内でなければ、精算機１０で度数残高を精算し、現金化することができない。これによって、非会員用ＩＣカード３１が、パチンコホールやスロットマシンホールの外部に持ち出され、紛失したり、傷つけられたりするのを防止することができる。
【０３９６】
紙幣挿入口１０ｈは、例えば、台間機３、４、６において、貸玉時に貸玉に対応する消費税を徴収せずに、精算機１０において消費税を徴収する場合に、度数残高よりも徴収される消費税に対応する度数の方が大きいときに、その度数残高と徴収される消費税に対応する度数との差に対応する金額を挿入するところである。なお、挿入した金額からその差額分を差し引いた金額において、例えば、１００円に満たない金額が存在する場合には、その１００円に満たない金額に対応する遊技媒体を端玉受１０ｉから払い出してもよい。
【０３９７】
この端玉受１０ｉからは、これ以外に、例えば、精算時において、例えば、１００円に満たない金額が存在する場合には、その１００円に満たない金額に対応する遊技媒体を払い出してもよい。
【０３９８】
なお、この精算機１０の紙幣返却口１０ｃから払い出される紙幣は、千円札であり、釣銭受１０ｄから払い出される硬貨は百円硬貨としているが、他の紙幣および硬貨を払い出せる構成を採ってもよい。
【０３９９】
図３９に示すように、精算機１０は、制御部７００、カード処理部７０１、貨幣処理部７０２、選択ボタン検知部７０３、端数処理部７０４から構成されている。
【０４００】
制御部７００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部７００では、カード処理部７０１、貨幣処理部７０２、選択ボタン検知部７０３、端数処理部７０４の各機部間の信号の出入力、および、ネットワーク８を介して管理装置１３との間の信号の出入力を制御している。
【０４０１】
カード処理部７０１は、カード挿入口１０ａから挿入された会員用ＩＣカード３０または非会員用ＩＣカード３１に記憶された、例えば、ＩＤやそのＩＤで管理されている有価情報などの読み取り、その読み取った情報の制御部７００への出力、制御部７００からの更新された有価情報などの会員ＩＣカード３０または非会員用ＩＣカード３１への書き込みなどを行うもので、例えば、リーダライタなどで構成される。
【０４０２】
貨幣処理部７０２は、カード処理部７０１で読み取られたＩＤに基づいて、管理装置１３から読み取った有価情報の度数に対応する金額を紙幣返却口１０ｃ、釣銭受１０ｄから返金するものである。また、紙幣挿入口１０ｈから挿入された４種類の紙幣を識別し、識別した紙幣の情報を制御部７００に出力するものである。さらに、貨幣処理部７０２は、度数残高や返金額などの情報を表示部１０ｇに出力し、表示部１０ｇに度数残高や返金額などを表示させることもできる。
【０４０３】
選択ボタン検知部７０３は、暗証番号入力用テンキーボード１０ｂ、精算ボタン１０ｅ、取消ボタン１０ｆが押されたことを検知し、その押された信号に基づいて、制御部７００に信号を出力するものである。
【０４０４】
端数処理部７０４は、制御部７００からの情報に基づいて、精算機１０からの返却額に例えば、１００円に満たない金額が存在する場合には、その１００円に満たない金額に対応する遊技媒体を払い出すものである。
【０４０５】
そして、制御部７００によって制御される、カード処理部７０１、貨幣処理部７０２、選択ボタン検知部７０３、端数処理部７０４の各機器部は、次のように動作する（図４０）。
【０４０６】
以下に、図４０を参照してその動作を説明する。
カード処理部７０１は、カード挿入口１０ａからの会員用ＩＣカード３０、非会員用ＩＣカード３１のカードの挿入を待機しており、カードの挿入を検知すると、それに応じた処理を実行する。
【０４０７】
カード処理部７０１において非会員ＩＣカード３１が投入されているか否かが判定される（ステップＳ７１０）。
【０４０８】
ステップＳ７１０の判定で、Ｙｅｓの場合には、非会員ＩＣカード３１に記憶されている日付情報が制御部７００に出力され、日付が有効か否かが判定される（ステップＳ７１１）。
【０４０９】
ステップＳ７１１の判定において、Ｎｏの場合には、制御部７００は、カード処理部７０１に非会員ＩＣカード３１を返却する情報を出力する。その情報を受けたカード処理部７０１は、非会員ＩＣカード３１をカード挿入口１０ａから返却してリターンする（ステップＳ７１２）。
【０４１０】
ステップＳ７１１の判定において、Ｙｅｓの場合には、カード処理部７０１は、非会員ＩＣカード３１に記憶されたＩＤを読み取り、読み取ったＩＤを制御部７００に出力する。制御部７００に出力されたＩＤは、ネットワーク８を介して管理装置１３に出力される（ステップＳ７１３）。そして、管理装置１３に記憶されている非会員ＩＣカード３１のＩＤに基づく度数残高、消費税などの情報を管理装置１３からネットワーク８を介して制御部７００に出力する（ステップＳ７１３）。制御部７００に出力された度数残高の情報は、制御部７００から貨幣処理部７０２に出力される。さらに、その度数残高、消費税などの情報は、貨幣処理部７０２から表示部１０ｇに出力され、度数残高が表示部１０ｇに表示される（ステップＳ７１９）。
【０４１１】
ステップＳ７１０の判定で、Ｎｏの場合には、カード処理部７０１において会員用ＩＣカード３０が挿入されているか否かが判定される（ステップＳ７１４）。
【０４１２】
ステップＳ７１４の判定で、Ｎｏの場合には、制御部７００は待機状態となる。ステップＳ７１４の判定で、Ｙｅｓの場合には、カード処理部７０１は、会員用ＩＣカード３０に記憶されたＩＤおよび暗証番号を読み取り、読み取ったＩＤおよび暗証番号を制御部７００に出力する（ステップＳ７１５）。また、制御部７００に出力されたＩＤは、ネットワーク８を介して管理装置１３に出力される（ステップＳ７１５）。そして、管理装置１３に記憶されている会員用ＩＣカード３０のＩＤに基づく度数残高、消費税などの情報を管理装置１３からネットワーク８を介して制御部７００に出力する（ステップＳ７１５）。
【０４１３】
次に、選択ボタン検知部７０３は、暗証番号入力用テンキーボード１０ｂで入力された暗証番号を検知し、その検知信号を制御部７００に出力する（ステップＳ７１６）。
【０４１４】
制御部７００は、会員用ＩＣカード３０から読み取られた暗証番号と暗証番号入力用テンキーボード１０ｂで入力された暗証番号とを比較判定する（ステップＳ７１７）。
【０４１５】
ステップＳ７１７の判定で、双方の番号が一致しない場合（ＮＧの場合）には、制御部７００は、カード処理部７０１に会員用ＩＣカード３０を返却する情報を出力する。その情報を受けたカード処理部７０１は、会員用ＩＣカード３０をカード挿入口１０ａから返却する（ステップＳ７１８）。
【０４１６】
一方、ステップＳ７１７の判定で、双方の番号が一致した場合（ＯＫの場合）には、制御部７００は、ステップＳ７１５で管理装置１３からネットワーク８を介して制御部７００に出力された度数残高の情報を貨幣処理部７０２に出力する。さらに、その度数残高の情報は、貨幣処理部７０２から表示部１０ｇに出力され、度数残高が表示部１０ｇに表示される（ステップＳ７１９）。
【０４１７】
次に、精算ボタン１０ｅが押されたが否かを選択ボタン検知部７０３が判定する（ステップＳ７２０）。
【０４１８】
ステップＳ７２０の判定で、Ｎｏの場合には、その情報は制御部７００に出力される。続いて、取消ボタン１０ｆが押されたが否かを選択ボタン検知部７０３が判定する（ステップＳ７２１）。
【０４１９】
ステップＳ７２１の判定で、Ｎｏの場合には、制御部７００は待機状態となる。ステップＳ７２１の判定で、Ｙｅｓの場合には、選択ボタン検知部７０３はその情報を制御部７００に出力する。制御部７００は、カード処理部７０１に、会員用ＩＣカード３０または非会員用ＩＣカード３１を返却する情報を出力する。その情報を受けたカード処理部７０１は、会員用ＩＣカード３０または非会員用ＩＣカード３１をカード挿入口１０ａから返却する（ステップＳ７２２）。
【０４２０】
ステップＳ７２０の判定で、Ｙｅｓの場合には、選択ボタン検知部７０３はその情報を制御部７００に出力する。そして、制御部７００は、会員用ＩＣカード３０または非会員用ＩＣカード３１のＩＤに基づいて管理装置１３から出力された消費税の情報を表示させるための情報を表示部１０ｇに出力し、表示部１０ｇは、例えば、「預り消費税対応度数２５」、「未収用消費税対応度数４８」などを表示する（ステップＳ７２３）。
【０４２１】
続いて、制御部７００は、記録された消費税徴収モードが、（ｉ）貸玉から消費税を徴収するモード、（ii）消費税を徴収しないモード、（iii）賞玉から消費税を徴収するモード、（iv）預り消費税から貸玉時に消費税を徴収し残預り消費税を現金化して返却するモード、（v）貸玉時に度数残高から消費税を徴収するモード、（vi）精算時消費税徴収モード、（vii）預り消費税から貸玉時に消費税を徴収し残預り消費税を度数化するモードのうちのいずれであるかを判定する（ステップＳ７２４）。
【０４２２】
ステップＳ７２４の判定で、（ｉ）貸玉から消費税を徴収するモード、（ii）消費税を徴収しないモード、（iii）賞玉から消費税を徴収するモードのいずれかであることが判定された場合（（ｉ）〜（iii）の場合）には、消費税がすでに徴収されているか、消費税を精算機１０では徴収しないモードであるので、制御部７００は、管理装置１３から出力された度数残高の情報に基づき、精算不可能な１００円単位より小さい単位に対応する度数と精算可能な１００円単位以上の単位に対応する度数を算出する（ステップＳ７２５）。
【０４２３】
続いて、制御部７００は、精算可能な１００円単位以上の単位に対応する度数に対応する金額を支払うための情報を貨幣処理部７０２に出力する。貨幣処理部７０２は、その情報に基づいて、紙幣返却口１０ｃから紙幣を、釣銭受１０ｄから硬貨を支払う（ステップＳ７２６）。
【０４２４】
ステップＳ７２４の判定で、（iv）預り消費税から貸玉時に消費税を徴収し残預り消費税を現金化して返却するモードであることが判定された場合（（iv）の場合）には、消費税がすでに徴収されているので、制御部７００は、管理装置１３から出力された預り消費税に対応する度数の情報に基づき、精算不可能な１００円単位より小さい単位に対応する度数と精算可能な１００円単位以上の単位に対応する度数を算出する（ステップＳ７２７）。
【０４２５】
ステップＳ７２７によって算出された精算可能な１００円単位以上の単位に対応する度数と度数残高とを合計した度数に対応する金額を支払うための情報を貨幣処理部７０２に出力する。貨幣処理部７０２は、その情報に基づいて、紙幣返却口１０ｃから紙幣を、釣銭受１０ｄから硬貨を支払う（ステップＳ７２８）。
【０４２６】
ステップＳ７２４の判定で、（v）貸玉時に度数残高から消費税を徴収するモードであることが判定された場合（（v）の場合）には、消費税がすでに徴収されているので、制御部７００は、管理装置１３から出力された度数残高の情報に基づき、精算不可能な１００円単位より小さい単位に対応する度数と精算可能な１００円単位以上の単位に対応する度数を算出する（ステップＳ７２９）。
【０４２７】
続いて、制御部７００は、精算可能な１００円単位以上の単位に対応する度数に対応する金額を支払うための情報を貨幣処理部７０２に出力する。貨幣処理部７０２は、その情報に基づいて、紙幣返却口１０ｃから紙幣を、釣銭受１０ｄから硬貨を支払う（ステップＳ７３０）。
【０４２８】
ステップＳ７２４の判定で、（vi）精算時消費税徴収モードであることが判定された場合（（vi）の場合）には、制御部７００は、さらに、未収用消費税徴収モードが、（vi−１）度数残高徴収モードか、（vi−２）入金徴収モードかを判定する（ステップＳ７３０）。
【０４２９】
ステップＳ７３０の判定で、度数残高徴収モードであることが判定された場合（ステップＳ７３０の度数残高徴収）には、度数残高から未収用消費税に対応する度数を減算し、その減算された度数に基づき、精算不可能な１００円単位より小さい単位に対応する度数と精算可能な１００円単位以上の単位に対応する度数を算出する（ステップＳ７３２）。
【０４３０】
続いて、制御部７００は、精算可能な１００円単位以上の単位に対応する度数に対応する金額を支払うための情報を貨幣処理部７０２に出力する。貨幣処理部７０２は、その情報に基づいて、紙幣返却口１０ｃから紙幣を、釣銭受１０ｄから硬貨を支払う（ステップＳ７３３）。
【０４３１】
一方、ステップＳ７３０の判定で、入金徴収モードであることが判定された場合（ステップＳ７３０の入金徴収）には、制御部７００は、未収用消費税に対応する入金額を表示するための情報を表示部１０ｇに出力する。そして、表示部１０ｇは、その情報に基づいて未収用消費税に対応する入金額を表示する（ステップＳ７３４）。
【０４３２】
続いて、貨幣処理部７０２は、紙幣挿入口１０ｈから挿入された４種類の紙幣を識別し、識別した紙幣の情報を制御部７００に出力し、制御部７００は、その情報に基づいて、入金額が未収用消費税に対応する金額以上か否かを判定する（ステップＳ７３５）。
【０４３３】
ステップＳ７３５の判定で、Ｎｏの場合には、制御部７００は、ステップＳ７３４の動作を再度行わせる。
【０４３４】
ステップＳ７３５の判定で、Ｙｅｓの場合には、制御部７００は、入金額に対応する度数から未収用消費税に対応する度数を減算し、その減算された度数に基づき、精算不可能な１００円単位より小さい単位に対応する度数と精算可能な１００円単位以上の単位に対応する度数を算出する（ステップＳ７３６）。
【０４３５】
続いて、制御部７００は、精算可能な１００円単位以上の単位に対応する度数と度数残高とを加算した度数に対応する金額を支払うための情報を貨幣処理部７０２に出力する。貨幣処理部７０２は、その情報に基づいて、紙幣返却口１０ｃから紙幣を、釣銭受１０ｄから硬貨を支払う（ステップＳ７３７）。
【０４３６】
ステップＳ７２４の判定で、（vii）預り消費税から貸玉時に消費税を徴収し残預り消費税を度数化するモードであることが判定された場合（（vii）の場合）には、消費税がすでに徴収されているモードであるので、制御部７００は、管理装置１３から出力された度数残高の情報に基づき、精算不可能な１００円単位より小さい単位に対応する度数と精算可能な１００円単位以上の単位に対応する度数を算出する（ステップＳ７３８）。
【０４３７】
続いて、制御部７００は、精算可能な１００円単位以上の単位に対応する度数に対応する金額を支払うための情報を貨幣処理部７０２に出力する。貨幣処理部７０２は、その情報に基づいて、紙幣返却口１０ｃから紙幣を、釣銭受１０ｄから硬貨を支払う（ステップＳ７３９）。
【０４３８】
さらに、制御部７００は、預り消費税に対応する度数と精算不可能な１００円単位より小さい単位に対応する度数とを加算し、度数残高とする（ステップＳ７４０）。
【０４３９】
続いて、制御部７００は、ステップＳ７４０において度数残高とされた度数を表示するための情報を表示部１０ｇに出力する。そして、表示部１０ｇは、その情報に基づいて度数残高を表示する（ステップＳ７４１）。
【０４４０】
次に、制御部７００は、各モード（ｉ）〜（vii）で算出された、精算不可能な１００円単位より小さい単位に対応する度数を表示するための情報を表示部１０ｇに出力する。そして、表示部１０ｇは、その情報に基づいて度数残高を表示する（ステップＳ７４２）。
【０４４１】
続いて、制御部７００は、端数処理モードが、端玉返却モード、切り捨てモード、預り証モードのいずれであるかを判定する（ステップＳ７４３）。
【０４４２】
ステップＳ７４３の判定で、預り証モードであると判定された場合（ステップＳ７４３の預り証モード）には、制御部７００は、例えば、精算機１０に貯留された非会員ＩＣカード３１などに精算不可能な度数を記録して発行するための情報をカード処理部７０１に出力する。カード処理部７０１は、その情報に基づいて貯留された非会員ＩＣカード３１などに精算不可能な度数を記録して預り証として発行する（ステップＳ７４３）。
【０４４３】
また、ステップＳ７４３の判定で、端玉返却モードであると判定された場合（ステップＳ７４３の端玉返却モード）には、制御部７００は、精算不可能な度数に対応する遊技媒体を返却するための情報を端数処理部７０４に出力する。端数処理部７０４は、その情報に基づいて、端玉受１０ｉから精算不可能な度数に対応する遊技媒体を返却する（ステップＳ７４５）。
【０４４４】
また、ステップＳ７４３の判定で、切り捨てモードであると判定された場合（ステップＳ７４３の切り捨てモード）には、制御部７００は、精算不可能な度数を切り捨てる処理を行い、精算不可能な度数の情報を消去する（ステップＳ７４６）。
【０４４５】
続いて、制御部７００は、支払金額、度数残高、精算不可能な度数、預り証発行度数、端玉返却数、預り消費税、切り捨て度数などの情報を、会員ＩＣカード３０または非会員ＩＣカード３１のＩＤに基づいて、管理装置１３に出力する。管理装置１３では、各情報をＩＤ毎に更新または記録する（ステップＳ７４７）。
【０４４６】
ステップＳ７４７の処理が終わると、会員ＩＣカード３０は、カード処理部７０１によって、カード挿入口１０ａから返却される（ステップＳ７１８）。
【０４４７】
一方、非会員用ＩＣカード３１は、度数残高のすべてが精算され、度数残高が０となるので、カード処理部７０１から精算機１０に設けられた貯留部（図示しない）に移動され、回収される（ステップＳ７１９）。
【０４４８】
（管理装置１３）
図４１は、管理装置１３の構成部を示す図、図４２は、管理装置１３における動作の流れを示す図である。
【０４４９】
図１に示されているように、管理装置１３は、複数のパチンコ機２、複数のパチンコ機２のそれぞれに接続された台間機３、４、複数のスロットマシン機５、スロットマシン機５間に接続された台間機６と島コンピュータ７およびネットワーク８を介して接続されている。また、管理装置１３は、計数機９、精算機１０、景品管理機（ＰＯＳ）１１、再プレー受付機１２、発券機２０、データ表示機２１、データ公開機２２などともネットワーク８を介して接続されている。
【０４５０】
さらに、ネットワーク８を介して管理装置１３に入力された情報は、プロトコルコンバータ１４、モデム１５を介してカードセンタ１６に送信される。また、管理装置１３は、例えば、パーソナルコンピュータ１７などとも接続され、パーソナルコンピュータ１７で管理装置１３の情報を見ることができる。また、パーソナルコンピュータ１７は、管理装置１３で管理している各情報にアクセスことができるので、各情報の表示や印刷をすることができる。さらに、パーソナルコンピュータ１７では、例えば、再プレー手数料の設定などの管理装置１３の種々の設定や会員登録などを行うこともできる。
【０４５１】
管理装置１３は、台間機３、４、６、計数機９、精算機１０、景品管理機（ＰＯＳ）１１、再プレー受付機１２、発券機２０、データ表示機２１、データ公開機２２などの機器からの情報を管理するものである。前述した各機器毎の管理装置１３との情報の通信に基づいて、管理装置１３には後述するような様々な情報が記憶されている。
【０４５２】
また、管理装置１３は、各遊技機における、例えば、スランプグラフ、スタート回数、大当たり回数などの情報を各遊技機の上部に取り付けられたデータ表示機２１に出力することもできる。データ表示機２１では、こられの情報を表示部に表示して、遊技台の情報を遊技者に提供する。
【０４５３】
さらに、管理装置１３は、例えば、各遊技機におけるスランプグラフ、スタート回数、大当たり回数などの情報、遊技台ランキング、遊技台毎の勝敗などの情報をデータ公開機２２に出力することもできる。データ公開機２２では、こられの情報を表示部に表示して、遊技台の情報を遊技者に提供する。
【０４５４】
図４１に示すように、管理装置１３は、制御部８００、会員カード情報管理部８０１、非会員カード情報管理部８０２、出力処理部８０３から構成されている。
【０４５５】
制御部８００は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。この制御部８００では、会員カード情報管理部８０１、非会員カード情報管理部８０２、出力処理部８０３の各機部間の信号の出入力、および、ネットワーク８を介して各機器との間の信号の出入力を制御している。また、制御部８００は、管理装置１３とネットワーク８を介して各機器の制御部と通信できるように接続されている。
【０４５６】
なお、ここで管理装置１３は役割分担した同一ネットワーク上の複数のコンピュータシステムで構成することもできる。例えば、カード管理用、顧客管理用、遊技台管理用、データ表示機管理用などの複数のコンピュータシステムを用いれば、それだけ各役割を高速に実行することができる。
【０４５７】
会員カード情報管理部８０１は、各機器に会員用ＩＣカード３０が用いられたときの情報を管理するものである。図４３には、ＩＤ毎に管理された情報の情報管理一覧表８５０の一例を示す。また、図４４には、会員用ＩＣカード３０の使用履歴を集計した使用履歴管理一覧表８５１の一例を示す。図４３に示された情報管理一覧表８５０および図４４に示された使用履歴管理一覧表８５１は、管理装置１３に接続された、例えば、パーソナルコンピュータ１７などで見ることができる。
【０４５８】
会員用ＩＣカード３０が用いられた場合には、会員用ＩＣカード３０のＩＤに基づき、情報管理一覧表８５０に記載されているような、例えば、貯玉数、度数残高、再プレー用貯玉数、ポイント、台間機又は発券機に挿入した金額、精算金額、消費税処理度数、未収用消費税度数などを管理している。これらのデータは、会員用ＩＣカード３０のＩＤ毎に管理され、さらに、履歴情報、日毎情報、週毎情報などとしても管理されている。なお、図４３に示された情報管理一覧表８５０および図４４に示された使用履歴管理一覧表８５１は、日毎情報の一例である。
【０４５９】
なお、会員用ＩＣカード３０を用いた会員の遊技者用の管理項目は、図４３の情報管理一覧表８５０に記載された管理項目に限るものではなく、例えば、遊技した遊技台種毎のアウト（発射玉）、セーフ（遊技の上皿への供給玉、つまり遊技者の獲得玉）、勝敗情報（セーフからアウトを減じたもの）、大当たり回数、ＣＲ機売上などの情報や、会員の遊技者の住所、氏名、年齢、好きな台、連絡先なども管理項目とすることもできる。
【０４６０】
また、会員用ＩＣカード３０の使用履歴を集計した使用履歴管理一覧表８５１には、例えば、会員用ＩＣカード３０が使用された時刻、使用された装置、消費税徴収モード、操作内容、処理度数値、度数残高、消費度数、預り消費税度数、貸玉時消費税徴収度数、返却された端玉数、貸玉数から消費税に対応して減じられた数、貸玉数、計数値、景品総額、景品額から減じられる消費税額、払出景品額、切り捨て景品端数額などが表記される。
【０４６１】
この使用履歴管理一覧表８５１に表記される項目は、上記したものに限られるものではなく、会員カード情報管理部８０１で管理されている情報から必要に応じて適宜に選択して表記させることができる。
【０４６２】
非会員カード情報管理部８０２は、各機器に非会員用ＩＣカード３１が用いられたときの情報を管理するものである。図４５には、ＩＤ毎に管理された情報の情報管理一覧表８５２の一例を示す。また、図４６には、非会員用ＩＣカード３１の使用履歴を集計した使用履歴管理一覧表８５３の一例を示す。図４５に示された情報管理一覧表８５２および図４６に示された使用履歴管理一覧表８５３は、管理装置１３に接続された、例えば、パーソナルコンピュータ１７などで見ることができる。
【０４６３】
非会員用ＩＣカード３１が用いられた場合には、非会員用ＩＣカード３１のＩＤに基づき、情報管理一覧表８５２に記載されているような、例えば、度数残高、台間機又は発券機に挿入した金額、精算金額、消費税処理度数、未収用消費税度数などを管理している。これらのデータは、非会員用ＩＣカード３１のＩＤ毎に管理される。非会員用ＩＣカード３１を用いる場合には、度数残高を保持できる期間が、例えば、１日などのように限られている。そのため、その期間内でなければ、精算機１０で度数残高を精算し、現金化することができない。
【０４６４】
非会員用ＩＣカード３１が用いられた場合には、度数残高を保持できる期間に対応した情報が管理されている。図４５に示された情報管理一覧表８５２は、その管理期間における情報の一例である。なお、レシート発券時の簡易管理ＩＤおよび玉数（計数機９で計数されたもの）の情報は、偽造されたレシートが使用されるのを防ぐために、一時的に管理されている。したがって、景品管理機（ＰＯＳ）１１における景品交換時において、レシートの適正を確認した後には、簡易管理ＩＤおよび玉数の情報は、管理装置１３から消去される。
【０４６５】
ここで、非会員用ＩＣカード３１が用いられた場合には、アウト（発射玉）、セーフ（遊技の上皿への供給玉、つまり遊技者の獲得玉）、勝敗（セーフからアウトを減じたもの）、貯玉数、再プレー用貯玉数、再プレー手数料、ポイント、遊技台種別、大当たり回数、ＣＲ機売上などの情報が含まれない点で、会員用ＩＣカード３０のを用いた場合の情報とは異なる。
【０４６６】
また、非会員用ＩＣカード３１の使用履歴を集計した使用履歴管理一覧表８５３には、例えば、非会員用ＩＣカード３１が使用された時刻、使用された装置、消費税徴収モード、操作内容、処理度数値、度数残高、消費度数、預り消費税度数、未収用消費税度数、貸玉時消費税徴収度数、返却された端玉数、計数機９による未収用消費税または預り消費税の変更度数、精算機１０による未収用消費税または預り消費税の変更度数、精算機による支払額、精算機による切り捨て端数額などが表記される。
【０４６７】
この使用履歴管理一覧表８５３に表記される項目は、上記したものに限られるものではなく、非会員カード情報管理部８０２で管理されている情報から必要に応じて適宜に選択して表記させることができる。
【０４６８】
また、管理装置１３は、会員カード情報管理部８０１、非会員カード情報管理部８０２からの情報に基づいて、例えば、図４７に示すような各台間機３、４、６毎の使用履歴を集計した使用履歴管理一覧表８５４を集計することもできる。
【０４６９】
この各台間機３、４、６毎の使用履歴を集計した使用履歴管理一覧表８５４には、例えば、利用された時刻、操作内容、処理度数値、度数残高、入金度数、入金積算度数、消費度数、消費積算度数、入金時預り消費税度数、預り消費税度数、貸玉時消費税徴収度数、会員用ＩＣカード３０または非会員用ＩＣカード３１の返却時度数化された消費税度数、    返却された度数、会員用ＩＣカード３０または非会員用ＩＣカード３１の挿入前の度数、会員用ＩＣカード３０または非会員用ＩＣカード３１の挿入時区分された預り消費税度数などが表記される。
【０４７０】
この使用履歴管理一覧表８５４に表記される項目は、上記したものに限られるものではなく、会員カード情報管理部８０１または非会員カード情報管理部８０２で管理されている情報から必要に応じて適宜に選択して表記させることができる。
【０４７１】
さらに、管理装置１３は、会員カード情報管理部８０１、非会員カード情報管理部８０２からの情報に基づいて、例えば、図４８に示すような台間機３、４、６、計数機９、精算機１０、景品管理機（ＰＯＳ）１１における集計値を統合した遊技ホール全体としての情報管理一覧表８５５を集計することもできる。
【０４７２】
この情報管理一覧表８５５に表記される項目は、上記した各台間機３、４、６、各計数機９、各精算機１０、各景品管理機（ＰＯＳ）１１における集計値およびその集計値に基づいて算出された、例えば、台間機３、４、６であれば機種ごとの集計値などが表記されている。また、この表記項目は、会員カード情報管理部８０１または非会員カード情報管理部８０２で管理されている情報から必要に応じて適宜に選択し、またはその選択した情報を集計して表記させることができる。
【０４７３】
出力処理部８０３は、カードセンタ１６に送信する、例えば、一日の営業結果などの情報を、会員カード情報管理部８０１および非会員カード情報管理部８０２に管理されているデータに基づいて管理している。例えば、パーソナルコンピュータ１７などから終業処理の信号が管理装置１３に入力されると、カードセンタ１６に送信する情報を制御部８００を介してプロトコルコンバータ１４に出力する。プロトコルコンバータ１４に出力された情報は、モデム１５を介してカードセンタ１６に送信される。
【０４７４】
そして、制御部８００によって制御される、会員カード情報管理部８０１、非会員カード情報管理部８０２、出力処理部８０３の各機器部は、次のように動作する（図４２）。なお、各機器との情報の通信についての動作は、各機器の説明部分で述べたので、ここでは、管理装置１３に入力された情報の管理動作について主に説明する。
【０４７５】
以下に、図４２を参照してその動作を説明する。
【０４７６】
管理装置１３の制御部８００に、発券機２０、再プレー受付機１２、台間機３、４、６、計数機９、景品管理機（ＰＯＳ）１１、精算機１０などからの情報が入力される（ステップＳ８１０）。
【０４７７】
ステップＳ８１０で入力された情報は、制御部８００で、会員用ＩＣカード３０のを用いた場合の情報か否かが判定される（ステップＳ８１１）。
【０４７８】
ステップＳ８１１の判定で、Ｙｅｓの場合には、入力された情報は、会員カード情報管理部８０１に出力される（ステップＳ８１２）。会員カード情報管理部８０１では、その入力された情報に基づいて、例えば、図４３に示すように、ＩＤおよび項目毎に入力情報が管理される（ステップＳ８１２）。
【０４７９】
ステップＳ８１１の判定で、Ｎｏの場合には、入力された情報は、非会員カード情報管理部８０２に出力される（ステップＳ８１３）。非会員カード情報管理部８０２では、その入力された情報に基づいて、例えば、図４５に示すように、ＩＤおよび項目毎に入力情報が管理される（ステップＳ８１３）。
【０４８０】
次に、出力処理部８０３において、パーソナルコンピュータ１７などから終業処理信号が管理装置１３に入力されたか否かが判定される（ステップＳ８１４）。
【０４８１】
ステップＳ８１４の判定で、Ｎｏの場合には、制御部８００は待機状態となる。ステップＳ８１４の判定で、Ｙｅｓの場合には、出力処理部８０３から、例えば、会員カード情報管理部８０１および非会員カード情報管理部８０２で管理されているデータに基づいて集計された一日の営業結果などの情報が、制御部８００、プロトコルコンバータ１４およびモデム１５を介してカードセンタ１６に送信される（ステップＳ８１５）。
【０４８２】
次に、出力処理部８０３において、パーソナルコンピュータ１７などからデータ送信要求信号が管理装置１３に入力されたか否かが判定される（ステップＳ８１６）。
【０４８３】
ステップＳ８１６の判定で、Ｎｏの場合には、ステップＳ８１８へ進む。ステップＳ８１６の判定で、Ｙｅｓの場合には、会員カード情報管理部８０１および非会員カード情報管理部８０２に管理されているデータに基づいて、例えば、図４３〜４８に示すようなデータを、パーソナルコンピュータ１７などに出力する（ステップＳ８１７）。会員カード情報管理部８０１および非会員カード情報管理部８０２に管理されているデータに基づいて、出力されたデータは、パーソナルコンピュータ１７の画面に表示される。
【０４８４】
続いて、管理装置１３では、会員用ＩＣカード３０、非会員用ＩＣカード３１、預り証における預かり消費税の有効期限の切れた情報をＩＤ毎に判定し、有効期限が切れた預かり消費税の情報を有する場合には、その情報を削除する（ステップＳ８１８）。
【０４８５】
さらに、管理装置１３では、会員用ＩＣカード３０、非会員用ＩＣカード３１における度数残高の有効期限の切れた情報をＩＤ毎に判定し、有効期限が切れた度数残高の情報を有する場合には、その情報を削除する（ステップＳ８１９）。
【０４８６】
ここで、始業処理はパワーＯＮにて割り込み処理にて別途実施する。始業処理とは、上記した各機器との通信がネットワークを介して可能か否かどうか、および、各機器の自己診断機能により、各機器における故障の有無を確認する。この確認において、各機器との通信ができない場合や各機器で故障があると判断された場合には、店員に報知される。
【０４８７】
以上、一実施の形態の消費税徴収型遊技システムおける消費税徴収型遊技媒体貸出機として機能する台間機３、４、６、消費税徴収型遊技媒体貸出方法、消費税徴収対応機能を備えた、発券機２０、再プレー受付機１２、計数機９、景品管理機（ＰＯＳ）１１、精算機１０などについて説明した。
【０４８８】
本発明の消費税徴収型遊技媒体貸出機、消費税徴収型遊技媒体貸出方法および消費税徴収型遊技処理システムによれば、遊技ホールに設置されている台間機３、４、６、発券機２０、再プレー受付機１２、計数機９、景品管理機（ＰＯＳ）１１、精算機１０などによって消費税を徴収することができるので、貸玉、景品交換などに対する消費税を遊技者から適正に徴収することができる。
【０４８９】
また、本発明の消費税徴収型遊技媒体貸出機、消費税徴収型遊技媒体貸出方法および消費税徴収型遊技処理システムによれば、貸玉、景品交換などで消費税を徴収する際に生じる端数を、ＩＤに基づいて端数情報も含めて度数で管理し、例えば、台間機３、４、６や精算機１０においてその端数を処理する場合には、遊技媒体での支払いやその端数分の度数を記録した預り証を発行することができるので、端数処理を適正に行うことができる。また、台間機３、４、６や精算機１０に限らず、再プレー受付機１２、景品管理機（ＰＯＳ）１１においてもその端数処理の少なくとも１方の処理機能を有しているので、再プレー受付機１２、景品管理機（ＰＯＳ）１１においても端数処理を適正に行うことができる。これによって、精算機１０などに、例えば、１円単位の金額を支払うことができる機能を有しなくても、遊技者および遊技ホールのいずれに対しても不利にならない処理を行うことができる。
【０４９０】
さらに、本発明の消費税徴収型遊技媒体貸出機、消費税徴収型遊技媒体貸出方法および消費税徴収型遊技処理システムによれば、消費税の徴収方法や消費税率などを任意に設定することができるので、例えば、税制や業界慣行の変革、各県の事情に適合させて消費税率や景品交換額などを設定することができる。ここで、この消費税の徴収方法や消費税率など設定は、各機器で個々に行うことができ、さらに、例えば、管理装置１３などに接続されたパーソナルコンピュータ１７を用いて一括的に設定することもできる。パーソナルコンピュータ１７を用いて一括的に設定する場合には、人為的な作業を減らすことができる。
【０４９１】
また、管理装置１３などに接続されたパーソナルコンピュータ１７などによって、管理装置１３で集計した各種情報や各機器から管理装置１３に出力される情報を一覧表などで随時確認することができるので、各遊技機毎や遊技ホール全体としての売上状況、各会員の遊技者の利用状況、消費税徴収状況などを一括して把握することができる。
【０４９２】
ここでは、会員用ＩＣカード３０または非会員用ＩＣカード３１は、ＩＤだけを有し、その他の情報は管理装置１３において管理されるシステムを示したが、上記した実施の形態に何ら限定されるものではなく、構成、システムの制御等は本発明の技術的思想の範囲で拡張、変更することができる。
【０４９３】
そして、この拡張、変更した実施の形態も本発明の技術的範囲に含まれる。例えば、会員用ＩＣカード３０または非会員用ＩＣカード３１のそれ自身にも情報を記憶させておくこともできる。その場合には、会員用ＩＣカード３０または非会員用ＩＣカード３１の返却前に、会員用ＩＣカード３０または非会員用ＩＣカード３１に最新情報の書き込みが行われ、その後返却される。
【０４９４】
また、本発明の実施の形態では、会員用および非会員用にＩＣカードを用いた一例を示したが、会員用および非会員用のどちらか少なくとも１方にＩＣコインを用いることもできる。
【０４９５】
さらに、上記した一実施の形態では、遊技媒体としてパチンコ玉が使用された場合について説明したが、勿論、遊技媒体にメダルを使用した場合にも同様の作用効果を得ることができる。
【符号の説明】
【０４９６】
１…消費税徴収型遊技システム、２…パチンコ機、３、４、６…台間機、５…スロットマシン機、７…島コンピュータ、８…ネットワーク、９…計数機、１０…精算機、１１…景品管理機（ＰＯＳ）、１２…再プレー受付機、１３…管理装置、１４…プロトコルコンバータ、１５…モデム、１６…カードセンタ、１７…パーソナルコンピュータ、１８…景品払出機、１９…貯留機構付き紙幣識別装置、１９ａ…紙幣挿入口、１９ｂ…台間機指定ボタン、２０…発券機、２１…データ表示機、２２…データ公開機。
【図１】
2010075750.tif 000003
【図２】
2010075750.tif 000004
【図３】
2010075750.tif 000005
【図４】
2010075750.tif 000006
【図５】
2010075750.tif 000007
【図６】
2010075750.tif 000008
【図７】
2010075750.tif 000009
【図８】
2010075750.tif 000010
【図９】
2010075750.tif 000011
【図１０】
2010075750.tif 000012
【図１１】
2010075750.tif 000013
【図１２】
2010075750.tif 000014
【図１３】
2010075750.tif 000015
【図１４】
2010075750.tif 000016
【図１５】
2010075750.tif 000017
【図１６】
2010075750.tif 000018
【図１７】
2010075750.tif 000019
【図１８】
2010075750.tif 000020
【図１９】
2010075750.tif 000021
【図２０】
2010075750.tif 000022
【図２１】
2010075750.tif 000023
【図２２】
2010075750.tif 000024
【図２３】
2010075750.tif 000025
【図２４】
2010075750.tif 000026
【図２５】
2010075750.tif 000027
【図２６】
2010075750.tif 000028
【図２７】
2010075750.tif 000029
【図２８】
2010075750.tif 000030
【図２９】
2010075750.tif 000031
【図３０】
2010075750.tif 000032
【図３１】
2010075750.tif 000033
【図３２】
2010075750.tif 000034
【図３３】
2010075750.tif 000035
【図３４】
2010075750.tif 000036
【図３５】
2010075750.tif 000037
【図３６】
2010075750.tif 000038
【図３７】
2010075750.tif 000039
【図３８】
2010075750.tif 000040
【図３９】
2010075750.tif 000041
【図４０】
2010075750.tif 000042
【図４１】
2010075750.tif 000043
【図４２】
2010075750.tif 000044
【図４３】
2010075750.tif 000045
【図４４】
2010075750.tif 000046
【図４５】
2010075750.tif 000047
【図４６】
2010075750.tif 000048
【図４７】
2010075750.tif 000049
【図４８】
2010075750.tif 000050